(57)【要約】エンティティの信頼モデルおよびリスク許容度を学習するためのシステムならびに方法が、本明細書に説明される。エンティティの信頼スコアは、種々のデータソースからのデータに基づいて計算され得、本データは、エンティティの信頼モデルおよびリスク許容度を反映する加重のセットに従って組み合わせられ得る。例えば、エンティティは、あるタイプのデータをあるタイプのトランザクションに関してより重く加重し、別のタイプのデータを他のトランザクションに関してより重く加重し得る。エンティティについてのデータを収集することによって、システムは、エンティティの信頼モデルおよびリスク許容度を予測し、信頼スコアを計算するために、適宜、加重のセットを調節し得る。
2019517084.tif 000002
【特許請求の範囲】
【請求項１】
要求エンティティのために、第２のエンティティに関する信頼スコアを調節するための方法であって、前記方法は、
処理回路を使用して、前記第２のエンティティに関するベースライン信頼スコアを判定することと、
第１の遠隔ソースから前記要求エンティティについてのデータを受信することと、
前記第１の遠隔ソースから受信されたデータに基づいて、前記要求エンティティに関する信頼調節スコアを計算することと、
前記信頼調節スコアと前記第２のエンティティに関するベースライン信頼スコアとを組み合わせることによって、前記第２のエンティティに関する調節された信頼スコアを判定することと、
前記要求エンティティに前記調節された信頼スコアのインジケーションを伝送することと
を含む、方法。
【請求項２】
前記信頼調節スコアと前記第２のエンティティに関するベースライン信頼スコアとを組み合わせることは、前記第２のエンティティに関するベースライン信頼スコアを前記信頼調節スコアで乗算することを含む、請求項１に記載の方法。
【請求項３】
前記信頼調節スコアと前記第２のエンティティに関するベースライン信頼スコアとを組み合わせることは、加重和に従って、前記第２のエンティティに関するベースライン信頼スコアと前記信頼調節スコアとを組み合わせることを含む、請求項１に記載の方法。
【請求項４】
前記加重和は、ユーザ割当加重に基づく、請求項３に記載の方法。
【請求項５】
前記受信されたデータは、前記要求エンティティが信頼できるとユーザが考える程度のユーザインジケーションを備え、前記ユーザは、前記要求エンティティと異なる第３のエンティティと関連付けられる、請求項１に記載の方法。
【請求項６】
前記要求エンティティに関する信頼調節スコアを記憶することと、
前記記憶された信頼調節スコアを使用して、前記記憶された信頼調節スコアと第３のエンティティに関するベースライン信頼スコアとを組み合わせることによって、前記第３のエンティティに関する調節された信頼スコアを判定することと
をさらに含む、請求項１に記載の方法。
【請求項７】
第２の遠隔ソースから前記要求エンティティについての第２のデータを受信することと、
前記第２の遠隔ソースから受信された第２のデータに基づいて、前記記憶された信頼調節スコアを更新することと
をさらに含む、請求項６に記載の方法。
【請求項８】
前記要求エンティティおよび前記第２のエンティティによってともに実施されるべきアクティビティのインジケーションを受信することと、
前記アクティビティのインジケーションに基づいて、前記信頼調節スコアを更新することと
をさらに含む、請求項１に記載の方法。
【請求項９】
前記第２のエンティティは、ネットワークコミュニティ内の第２のノードと関連付けられ、第４のエンティティが、ネットワークコミュニティ内の第１のノードと関連付けられ、前記第２のエンティティに関するベースライン信頼スコアを判定することは、
前記ネットワークコミュニティ内の前記第１のノードから前記第２のノードへの経路を識別することと、
前記識別された経路に基づいて、前記第２のエンティティに関するベースライン信頼スコアを判定することと
を含む、請求項１に記載の方法。
【請求項１０】
前記識別された経路は、それぞれ、１つまたはそれを上回るリンクを備え、各リンクは、ユーザコネクティビティ値を割り当てられ、前記識別された経路に基づいて、前記第２のエンティティに関するベースライン信頼スコアを判定することは、前記識別された経路に基づいて、前記第２のエンティティに関するベースライン信頼スコアを判定するために、前記ユーザコネクティビティ値を組み合わせることを含む、請求項９に記載の方法。
【請求項１１】
要求エンティティのために、第２のエンティティに関する信頼スコアを調節するためのシステムであって、前記システムは、
処理回路であって、前記処理回路は、
前記第２のエンティティに関するベースライン信頼スコアを判定することと、
第１の遠隔ソースから前記要求エンティティについてのデータを受信することと、
前記第１の遠隔ソースから受信されたデータに基づいて、前記要求エンティティに関する信頼調節スコアを計算することと、
前記信頼調節スコアと前記第２のエンティティに関するベースライン信頼スコアとを組み合わせることによって、前記第２のエンティティに関する調節された信頼スコアを判定することと、
前記要求エンティティに前記調節された信頼スコアのインジケーションを伝送することと
を行うように構成される、処理回路
を備える、システム。
【請求項１２】
前記処理回路は、前記第２のエンティティに関するベースライン信頼スコアを前記信頼調節スコアで乗算することによって、前記信頼調節スコアと前記第２のエンティティに関するベースライン信頼スコアとを組み合わせるように構成される、請求項１１に記載のシステム。
【請求項１３】
前記処理回路は、加重和に従って、前記第２のエンティティに関するベースライン信頼スコアと前記信頼調節スコアとを組み合わせることによって、前記信頼調節スコアと前記第２のエンティティに関するベースライン信頼スコアとを組み合わせるように構成される、請求項１１に記載のシステム。
【請求項１４】
前記加重和は、ユーザ割当加重に基づく、請求項１３に記載のシステム。
【請求項１５】
前記受信されたデータは、前記要求エンティティが信頼できるとユーザが考える程度のユーザインジケーションを備え、前記ユーザは、前記要求エンティティと異なる第３のエンティティと関連付けられる、請求項１１に記載のシステム。
【請求項１６】
前記処理回路はさらに、
前記要求エンティティに関する信頼調節スコアを記憶することと、
前記記憶された信頼調節スコアを使用し、前記記憶された信頼調節スコアと第３のエンティティに関するベースライン信頼スコアとを組み合わせることによって、前記第３のエンティティに関する調節された信頼スコアを判定することと
を行うように構成される、請求項１１に記載のシステム。
【請求項１７】
前記処理回路はさらに、
第２の遠隔ソースから前記要求エンティティについての第２のデータを受信することと、
前記第２の遠隔ソースから受信された第２のデータに基づいて、前記記憶された信頼調節スコアを更新することと
を行うように構成される、請求項１６に記載のシステム。
【請求項１８】
前記処理回路はさらに、
前記要求エンティティおよび前記第２のエンティティによってともに実施されるべきアクティビティのインジケーションを受信し、
前記アクティビティのインジケーションに基づいて、前記信頼調節スコアを更新する、
ように構成される、請求項１１に記載のシステム。
【請求項１９】
前記第２のエンティティは、ネットワークコミュニティ内の第２のノードと関連付けられ、第４のエンティティが、ネットワークコミュニティ内の第１のノードと関連付けられ、前記処理回路は、
前記ネットワークコミュニティ内の前記第１のノードから前記第２のノードへの経路を識別することと、
前記識別された経路に基づいて、前記第２のエンティティに関するベースライン信頼スコアを判定することと
によって、前記第２のエンティティに関するベースライン信頼スコアを判定するように構成される、請求項１１に記載のシステム。
【請求項２０】
前記識別された経路は、それぞれ、１つまたはそれを上回るリンクを備え、各リンクは、ユーザコネクティビティ値を割り当てられ、前記処理回路は、前記識別された経路に基づいて、前記第２のエンティティに関するベースライン信頼スコアを判定するために、前記ユーザコネクティビティ値を組み合わせることによって、前記識別された経路に基づいて、前記第２のエンティティに関するベースライン信頼スコアを判定するように構成される、請求項１９に記載のシステム。
【発明の詳細な説明】
【背景技術】
【０００１】
信頼は、多くの社会的およびビジネス上の交流に不可欠な要素であるが、信頼は、測定することが難しく、定量化することが困難であり得る。人々は、典型的には、トランザクションにおいて別の当事者またはエンティティを信頼する程度を判定するために、種々の異なる要因、経験、および影響力に目を向ける。例えば、特定のレストランにおいて食事をするかどうかを決定しようとする潜在的顧客は、その人物がそのレストランで食事をした回数、友人および家族からの口コミ、ならびにオンラインフィードバックサイトからの任意の評価を考慮し得る。別の実施例として、銀行は、融資を行うかどうかを判定するとき、その金融責任能力の測度として、潜在的借り手のクレジットスコアを調査し得る。多くの場合、人々は、信頼レベルを判定する際、どの要因が最も重要であるかに関して大きく異なる選好を有し得、これらの選好は、トランザクションのタイプおよび詳細に応じて変化し得る。信頼はまた、経時的に変化し、蓄積された経験、トランザクション履歴、およびエンティティ間の最近の傾向を反映し得る。一度の否定的な事象が、信頼を破壊し得、信頼はまた、経時的に再構築されることができる。上記の考慮事項は全て、「信頼」を捕捉しにくい測度にしている。
【発明の概要】
【課題を解決するための手段】
【０００２】
信頼スコアを計算するためのシステム、デバイス、および方法が、本明細書に説明される。信頼スコアは、限定ではないが、人間ユーザ、ユーザのグループ、場所、組織、または企業／法人を含むエンティティ間で計算され得、とりわけ、照合データ、ネットワークコネクティビティ、公的に利用可能な情報、評価データ、グループ／人口統計情報、場所データ、および実行されるべきトランザクションを含む、種々の要因を考慮し得る。信頼スコアは、特定のコミュニティにおける、または別のエンティティに関連するエンティティの信頼性、評判、メンバーシップ、ステータス、および／または影響力を反映し得る。信頼スコアは、限定ではないが、ネットワークコネクティビティ情報、ソーシャルネットワーク情報、クレジットスコア、利用可能な裁判所データ、オプトイン提供データ、トランザクション履歴、評価／フィードバックデータ、グループ／人口統計データ、検索エンジンデータ、または任意の公的に利用可能な情報を含む、任意の好適なデータソースからのデータを考慮し得る。信頼スコアはまた、エンティティ自体によって提供される、ある非公的に利用可能な情報（例えば、非公開トランザクション履歴、標的評価等）を含み得る。いくつかの実施形態では、信頼スコアはまた、「クラウドソーシング」情報に基づいて計算され得る。本明細書で使用されるように、用語「クラウドソース」は、複数の他のエンティティから入力を受信することを意味する。例えば、上記に議論されるデータソースに加えて、ユーザは、別のユーザについての属性、特性、特徴、または任意の他の情報を提供する、および／もしくはそれに対してコメントし得る。「群衆」の参加は、情報に関するあるタイプの有効化を形成し、二次ユーザに快適性を与え得、二次ユーザは、群衆のメンバーが観覧し、属性、特性、特徴、および他の情報に寄与し得ることを把握する。例証するために、ユーザが、別のエンティティが良好な配管業者であることを示し得る。多くの他のユーザは、本属性に「賛成」を提供する、および／またはその経験についてのコメントをエンティティに提供し、自身もまたユーザが良好な配管業者であると考えていることを示し得る。これらのタイプの入力およびコメントは、ユーザに関する信頼スコアの計算に統合され、それによって、「群衆」の意見を信頼スコアに統合し得る。
【０００３】
本明細書で使用されるように、「システム信頼スコア」は、別のエンティティまたはアクティビティ／トランザクションを具体的に参照することなく、エンティティに関する利用可能な情報に基づいて、エンティティに関して計算される信頼スコアを指す。システム信頼スコアは、具体的アクティビティ／トランザクションについての情報を考慮しない、エンティティに関する信頼性の基準レベルを表し得る。いくつかの実施形態では、システム信頼スコアは、照合データ、ネットワークコネクティビティスコア、および／または評価データ等の公的に利用可能な情報に基づいて計算され得る。本明細書で定義されるように、「ネットワークコミュニティ」は、限定ではないが、コンピュータネットワークまたはソーシャルネットワークを含む、ネットワークを通して接続されるエンティティの任意の集合またはグループを含み得る。いくつかの実施形態では、ユーザは、最小信頼レベルとして初期信頼スコアを設定し得る。これらの実施形態では、初期信頼スコアは、システム信頼スコアを判定するために、公的に利用可能な情報に基づいて読み出され、更新され得る。いくつかの実施形態では、システム信頼スコアは、エンドユーザが自身を識別する必要なく、要求に応じてエンドユーザに提供され得る。例えば、エンドユーザは、例えば、ウェブサイトまたはモバイルアプリケーションを通して、ウェブサイトもしくはモバイルアプリケーションにサインインする必要なく、または別様に自身を識別する必要なく、他のエンティティのシステム信頼スコアにクエリを行い得る。システム信頼スコアはまた、私的に利用可能な情報および／またはクラウドソーシング情報に基づいて計算され得る。例えば、上記に議論されるように、他のユーザは、ユーザについての属性、特性、特徴、または他の情報を提供し得、その情報は、システム信頼スコアに統合され得る。
【０００４】
本明細書で使用されるように、「友人信頼スコア」は、第２のエンティティに関連する第１のエンティティに関して計算される信頼スコアを指す。友人信頼スコアは、第１および第２のエンティティ間の具体的トランザクション履歴、共通の連絡先／友人の数等の第１および第２のエンティティに特有であるある情報を考慮し得る。いくつかの実施形態では、友人信頼スコアは、システム信頼スコアから導出され、システム信頼スコアの更新を表し得る。例えば、いくつかの実施形態では、友人信頼スコアは、システム信頼スコアと実質的に同一のデータソースに基づいて計算され得、いくつかのコンポーネントは、第１および第２のエンティティに特有である付加的情報をさらに加重する、または考慮するために更新され得る。他の実施形態では、友人信頼スコアは、システム信頼スコアから独立して計算され得、システム信頼スコアとは異なるデータソースのセットに基づき得る。
【０００５】
いくつかの実施形態では、第１のエンティティに関する友人信頼スコアは、システム信頼スコアを計算するために使用されるデータソースのうちの１つからのデータを有効にするか、またはシステム信頼スコアを計算するために使用されるデータソースから利用可能ではなかった付加的データを提供するかのいずれかである、クラウドソーシング情報に基づいて計算され得る。そのような事例では、クラウドソーシング情報を提供したエンティティと第２のユーザとの間の関係は、第１のユーザと第２のユーザとの間の信頼への有益な洞察を提供し得る。例証的実施例として、第１のエンティティは、属性「信頼できる」を自身のプロフィール上に列挙させ得、これは、他のユーザによる多数の「いいね」を有する。第２のエンティティは、第１のエンティティとのビジネストランザクションを行うことを試み、第１のエンティティと第２のエンティティとの間の友人信頼スコアを計算しようとし得る。友人信頼スコアは、第１のユーザに関する属性「信頼できる」に「いいね」したユーザのいくつかがまた、ソーシャルメディアネットワークにおいて第２のユーザの友人であることを考慮し得る。したがって、友人信頼スコアの計算は、第１のエンティティが多数の他のユーザによって「信頼できる」という判定だけではなく、それらのユーザのいくつかがまた、第２のユーザが見知らぬ人の意見よりも信頼し得る、第２のユーザの友人であるという事実にも基づく。
【０００６】
本明細書で使用されるように、「文脈信頼スコア」は、具体的アクティビティまたはトランザクションに関連する第１のエンティティに関して計算される信頼スコアを指す。文脈信頼スコアは、具体的アクティビティまたはトランザクションに特有である、ある情報を考慮し得る。いくつかの実施形態では、文脈信頼スコアは、システム信頼スコアまたは友人信頼スコアから導出され、システム信頼スコアまたは友人信頼スコアの更新を表し得る。例えば、いくつかの実施形態では、文脈信頼スコアは、システム信頼スコアと実質的に同一のデータソースに基づいて計算され得、いくつかのコンポーネントは、アクティビティ／トランザクションに特有である情報を考慮するために更新され得る。他の実施形態では、文脈信頼スコアは、システム信頼スコアおよび友人信頼スコアとは異なるデータソースのセットに基づいて計算され得る。いくつかの実施形態では、文脈信頼スコアは、アクティビティ／トランザクションのタイプに基づいて、異なるデータソースからのデータを加重することによって計算され得る。例えば、銀行から住宅ローンを求める潜在的借り手の信頼スコアは、ソーシャルネットワークにおけるそのコネクティビティのレベルではなく、借り手のクレジットスコアおよび金融履歴に重く加重し得る。このように、文脈信頼スコアは、システム信頼スコアおよび／または友人信頼スコアと同一もしくは類似するデータソースに基づくが、データソースからのデータを組み合わせるための異なる加重を伴い得る。いくつかの実施形態では、トランザクションの具体的詳細もまた、文脈信頼スコアの計算に影響を及ぼし得る。例えば、１０ドルを借りている友人に関する文脈信頼スコアは、ソーシャルネットワークコネクティビティ（例えば、彼らが共通して有する友人の数等）により焦点を当て得る一方、銀行から１０万ドルの融資を求めている借り手に関する文脈信頼スコアは、金融要因により焦点を当て得る。いくつかの実施形態では、トランザクションの詳細は、データソースからのデータの組み合わせの加重に影響を及ぼし得る。
【０００７】
いくつかの実施形態では、文脈信頼スコアは、上記に説明されるシステム信頼スコアおよび友人信頼スコアと同様に、クラウドソーシング情報に基づき得る。例えば、他のユーザが、ユーザについての属性、特性、特徴、または他の情報を提供し得る。これらの属性、特性、特徴、または他の情報は、あるトランザクションタイプに特に関連し得る。例えば、上記からの例証的実施例を拡大すると、借り手は、属性「金融的に責任能力がある」を１００人によって有効にされ得、これは、借り手に金を貸すかどうかの貸し手の決定に影響を及ぼす。このように、いったんトランザクションタイプが文脈信頼スコアを計算する際に使用するために識別されると、トランザクションタイプとユーザと関連付けられる１つまたはそれを上回る属性との間の関係が、識別され得、文脈信頼スコアは、これらの関係に照らして更新され得る。
【０００８】
いくつかの実施形態では、システム、友人、および／または文脈信頼スコアのいずれかは、信頼スコアを要求するエンティティが「信頼できる」程度に基づいて調節され得る。そのような事例では、「信頼調節スコア」が、要求エンティティが信頼できる程度を表すために計算され得、上記に説明されるように、システム、友人、または文脈信頼スコアを計算するために使用されるものと実質的に同一のデータソースに基づき得る。信頼スコアは、上記に詳述されるような任意の様式で計算され、次いで、信頼調節スコアに基づいて調節され得る。例証的実施例として、要求エンティティは、第１のエンティティに関する信頼スコアを計算しようとし得る。要求エンティティは、そのソーシャルメディアアカウント上で多くの個人情報を共有し得、これは、これが他人から非常に信頼されていることを示し得る。したがって、これが「高い」信頼調節スコアを有し、したがって、第１のエンティティに関する報告された信頼スコアを調節されていない信頼スコアに関連して改良させることが判定され得る。したがって、報告された信頼スコアは、第１のエンティティが多数のユーザによる「信頼できる」という判定に基づくだけではなく、要求エンティティが、概して、他人を信頼することを望んでいる事実も、考慮される。「信頼調節スコア」は、要求エンティティに個人化され、該要求エンティティによって実施される信頼スコア計算の一部または全てに影響を及ぼし得る。信頼調節スコアが信頼スコア計算に寄与する加重の量は、事前判定され得る、または加重は、要求エンティティによってユーザ割当され得る。
【０００９】
一側面によると、信頼スコアを更新するための方法が、第１のエンティティから第２のエンティティへの経路を識別するステップと、識別された経路に基づいて、ネットワークコネクティビティスコアを計算するステップと、遠隔ソースから第２のエンティティについてのデータを受信するステップと、遠隔ソースから受信されたデータに基づいて、評価スコアを計算するステップとを含み得る。第２のエンティティに関する信頼スコアは、ネットワークコネクティビティスコアおよび評価スコアを組み合わせることによって判定され得る。第１のエンティティおよび第２のエンティティによって実施されるべきアクティビティのインジケーションが、受信され得、信頼スコアは、アクティビティのインジケーションに基づいて更新され得る。いくつかの実施形態では、第１および第２のエンティティは、ソーシャルネットワークによって接続され得る。そのような実施形態では、第１のエンティティから第２のエンティティへの経路を識別するステップは、第１のエンティティを第２のエンティティに接続する、ソーシャルネットワークにおける中間エンティティを識別するステップを含み得る。例えば、中間エンティティは、第１のユーザと第２のユーザとの間の共通の友人であり得る。ネットワークコネクティビティスコアを計算するステップは、第１のエンティティと第２のエンティティとの間の相互の友人の数を判定するステップを含み得る。例えば、ネットワークコネクティビティスコアは、第１のエンティティと第２のエンティティとの間の相互の友人の数に基づいて、段階的スケールに従って割り当てられ得る。ネットワークコネクティビティスコアはまた、第１および第２のエンティティ間の識別された経路の数ならびに識別された経路の数がある閾値を超えるかどうかに基づいて計算され得る。
【００１０】
いくつかの実施形態では、評価データは、クレジットスコア、犯罪履歴データ、金融トランザクション履歴データ、および／またはビジネスレビューデータのうちの１つであり得る。評価データは、第２のエンティティに関する信頼スコアを判定するために、加重和に従って、ネットワークコネクティビティスコアと組み合わせられ得る。加重和は、加重のデフォルトセットに基づく、またはユーザ割当加重に基づき得る。第２のエンティティに関する信頼スコアは、次いで、アクティビティのインジケーションに基づいて更新され得る。例えば、アクティビティのインジケーションは、異なる加重和が第２のエンティティに関する信頼スコアを計算するために使用されるように、加重和を調節し得る。
【００１１】
いくつかの実施形態では、システム、友人、または文脈信頼スコアを計算するための加重のデフォルトセットは、システム管理者によって提供され得る。いくつかの実施形態では、加重のデフォルトセットは、個々のエンティティならびに個々のトランザクション／アクティビティタイプの両方にカスタマイズされ得る。エンティティの信頼モデルおよび／またはリスク許容度を判定するために、例えば、ネットワークコネクティビティ、クレジットスコアもしくは金融情報、裁判所データ、トランザクション履歴、検索エンジンマイニング、評価／フィードバックデータ、またはグループ／人口統計データを含む、本明細書の上記に説明されるデータソースのいずれかが、収集および検索され得る。いくつかの実施形態では、エンティティの過去のトランザクションが、あるタイプのトランザクションに関するパターンを識別するために検索され得る。例えば、エンティティは、ユーザの信頼スコアがある値を上回る場合のみ、そのようなトランザクションに従事し得る。パターンを識別するステップは、過去のトランザクション毎の仮想加重のセットを推定し、推定されたセットの全ての平均をとるステップを含み得る。このように、本システムは、あるトランザクションタイプに関して、エンティティが異なるデータソースからのデータを組み合わせる方法およびどのデータソースをこれが選好するかを「推測」し得る。エンティティの過去のトランザクション毎に加重を推定することによって、本システムは、経時的に、エンティティの信頼モデルを推定し、同一のタイプの将来のトランザクションのためのより正確な加重のセットを提供し得る。いくつかの実施形態では、ユーザが、これがあるトランザクションタイプに関する信頼スコアを計算することを所望することを示すことに応答して、本システムは、エンティティの信頼モデルおよびリスク許容度のその判定に基づいて、推定された加重のセットを提供し得る。
【００１２】
いくつかの実施形態では、本システムまたはシステム管理者は、コンピュータネットワーク内の複数のエンティティが加重を調節している程度に基づいて、異なるトランザクションタイプに関するデフォルト加重プロファイルを開発し得る。例えば、本システムは、エンティティによって調節されたあるトランザクションタイプに関する加重プロファイルを記憶し得る。本システムは、加重プロファイルの加重のセットにおける加重毎に、加重のデフォルトセットから差異またはデルタ値を計算し得る。本システムは、平均して、エンティティが加重を変更している程度を判定するために、これらのデルタ値の平均をとり得る。本システムは、加重の更新されたデフォルトセットを生産するために、これらのデルタ値を加重の現在のデフォルトセットに適用し得る。本システムは、次いで、加重の更新されたデフォルトセットをコンピュータネットワーク内の複数のエンティティに伝搬させ得る。このように、本システムは、信頼モデルおよびリスク許容度に関する集団の一般的傾向に対応し得る。
【００１３】
いくつかの実施形態では、第１のエンティティおよび第２のエンティティのうちの少なくとも１つは、人間ユーザである。例えば、信頼スコアは、あるアクティビティに参加している２人のユーザ間で計算され得る。別の実施形態では、第１のエンティティおよび第２のエンティティのうちの少なくとも１つは、企業であり得る。例えば、ユーザとレストランとの間の信頼スコアは、レストランで食事をするかどうか判定する際にユーザを補助するために計算され得る。また他の実施形態では、第１のエンティティおよび第２のエンティティのうちの少なくとも１つは、ユーザのグループまたは組織であり得る。例証的実施例として、第２のエンティティは、Ｂｏｙ  Ｓｃｏｕｔｓ  ｏｆ  Ａｍｅｒｉｃａであり得、信頼スコアは、第１のユーザとＢｏｙ  Ｓｃｏｕｔｓ  ｏｆ  Ａｍｅｒｉｃａとの間で計算され得る。いくつかの実施形態では、第１および第２のエンティティのうちの少なくとも１つは、製品または物体であり得る。例えば、第１のエンティティは、第１のユーザであり得、第２のエンティティは、チェーンソーであり得、信頼スコアは、チェーンソーと第１のユーザとの間で計算され得る。本実施例では、信頼スコアは、サードパーティ評価スコアから受信されるチェーンソーの任意のユーザレビューを考慮し得る。いくつかの実施形態では、第１および第２のエンティティのうちの少なくとも１つは、場所、都市、地域、国家、または任意の他の地理的場所であり得る。例えば、第１のユーザとＮｅｗ  Ｙｏｒｋ  Ｃｉｔｙ等の都市との間の信頼スコアが、計算され得る。本実施例では、信頼スコアは、第１のユーザがＮｅｗ  Ｙｏｒｋ  Ｃｉｔｙにおいて有する連絡先の数、サードパーティ評価ソースから受信される旅行者レビュー、および／または第１のユーザがＮｅｗ  Ｙｏｒｋ  Ｃｉｔｙにおいて行っている活動、トランザクション、もしくは交流を考慮し得る。
【００１４】
いくつかの実施形態では、アクティビティに関連する決定が、少なくとも部分的に、計算された信頼スコアに基づいて、自動的に決定され得る。例えば、銀行が、融資に関する借り手の好適性を評価するために、潜在的借り手の信頼スコアを要求し得る。更新された信頼スコアに基づいて、銀行は、例えば、信頼スコアがある閾値を超える場合、自動的に融資を行い得る。このように、システム信頼スコア、友人信頼スコア、および／または文脈信頼スコアは、単独で、または組み合わせのいずれかにおいて、自動的意思決定に関する基準を形成することができる。
【００１５】
いくつかの実施形態では、システム、友人、および／または文脈信頼スコアのうちの少なくとも１つは、信頼性範囲を含み得る。例えば、データソースからのコンポーネントはそれぞれ、データ内の不確定性のレベルを示す信頼性範囲（分散または標準偏差等）を備え得、コンポーネントスコアは、システム、友人、および／または文脈信頼スコアのうちの１つを形成するために組み合わせられ得る。したがって、結果として生じる信頼スコアは、平均スコアおよび信頼性範囲によって表され得、いくつかの実施形態では、信頼性範囲は、平均および標準偏差によって表され得る。
【００１６】
別の側面によると、クラウドソーシング情報に基づいて信頼スコアを計算するための方法およびシステムが、本明細書に説明される。コンピュータネットワーク内の第１のエンティティと関連付けられる第１のデータが、処理回路を使用して、第１のデータベースから読み出され得る。第１のデータは、本明細書に説明されるように、任意のローカルまたは遠隔データソースから読み出され得る。処理回路は、第１のデータに基づいて、第１のコンポーネントスコアを計算し得る。処理回路はまた、第２のデータベースから、第１のエンティティと関連付けられる第２のデータを読み出し、第２のデータに基づいて、第２のコンポーネントスコアを計算し得る。第１のコンポーネントスコアおよび第２のコンポーネントスコアを使用して、処理回路は、第１のコンポーネントスコアおよび第２のコンポーネントスコアの加重平均を計算することによって、第１のエンティティに関する信頼スコアを生産し得る。２つのコンポーネントスコアのみが本例証的実施例において議論されるが、データが、任意の数のデータソースから読み出され得、任意の数のコンポーネントスコアが、計算され、組み合わせられ、第１のエンティティに関する信頼スコアを生産し得ることが、当業者によって理解されるであろう。
【００１７】
処理回路は、コンピュータネットワーク内の第２のエンティティのユーザアカウントから、第１のエンティティと関連付けられる属性を示すデータを受信し得る。本明細書で使用されるように、「属性」は、第１のエンティティと関連付けられる任意の記述的情報を含む。属性は、限定ではないが、特性、特徴、技能、雇用情報、挙動インジケータ、意見、評価、グループメンバーシップ、または任意の他の記述的形容詞を含み得る。処理回路はまた、遠隔データベースまたはシステム管理者等の他のソースから第１のエンティティと関連付けられる属性を示すデータを受信し得る。いくつかの実施形態では、第１のエンティティ自体が、手動ユーザ入力を使用して属性を提供し得る。例証的実施例として、Ｂｏｂに関する属性が、「起業家」であり得る。Ｂｏｂは、例えば、自身のモバイル電話上のテキスト入力を通して、自身で本情報を提供している場合があり、属性が、Ｂｏｂのプロフィールに追加され得る。いくつかの実施形態では、Ｂｏｂの友人等の他の誰かが、その自身のモバイル電話を使用して、Ｂｏｂが起業家であることを示している場合がある。いくつかの実施形態では、システム管理者が、Ｂｏｂを起業家として認識している場合がある、またはＢｏｂが起業家であるという事実が、遠隔データベース（雇用データベース等）から読み出されている場合がある。最後に、属性は、他のソースから受信された関連データを自動的に認識することによって、エンティティに対して自動的に帰属する、または推測され得る。例えば、あるデータベースから受信されたデータは、ある属性に関連し得、これらの事例では、属性は、エンティティに自動的に割り当てられ得る。例証的実施例として、裁判所データベースから受信されたデータは、ある時間周期にわたるエンティティの犯罪履歴を含み得る。受信されたデータが、ある個人が重罪で有罪判決を受けたことを示す場合、属性「犯罪者」が、個人のプロフィールに自動的に追加され得る。いくつかの実施形態では、属性と受信されたデータとの間のこれらの関係は、システム管理者によって設定され得る。例えば、システム管理者は、個人が過去５年以内に重罪を犯したことを示す犯罪履歴データの受信が、属性「犯罪者」が個人のプロフィールに自動的に追加されるようにし得るように、トリガを設定し得る。
【００１８】
いくつかの実施形態では、第２のエンティティは、属性を有効にするか、またはそれに反対するかのいずれかのユーザ入力を入力し得る。例えば、第２のエンティティは、賛成／反対アイコン、いいね／やだねアイコン、プラス／マイナスアイコン、肯定／否定アイコン、または他のそのようなインジケータ等のユーザ選択可能アイコンを選択することによって、属性を有効にする、またはそれに反対し得る。彼らが属性に合意する程度に基づいて、ゼロから５つの星を入力すること、または０〜１０のスコアを示すことを含む、他の構成も、想定される。そのようなユーザ入力は、コンピュータネットワーク内の複数のエンティティから受信され得る。いくつかの実施形態では、他のユーザはまた、属性に対してコメントし得る。例証的実施例として、Ｂｏｂが、属性「起業家」と関連付けられ得、３７人のユーザが、「いいね」アイコンを選択することによって合意し得、２人のユーザが、「やだね」アイコンを選択することによって反対し得る。いくつかの実施形態では、属性にやだねをした２人のユーザは、彼らがＢｏｂに関する属性「起業家」に反対する理由を説明するために、コメントを残し得る。
【００１９】
上記に言及されるように、属性は、コンポーネントスコアおよび信頼スコアを計算するために使用されるデータと接続され得る。いくつかの実施形態では、属性およびユーザからの属性に対するフィードバック（「クラウドソーシング」情報）は、コンポーネントスコアおよび／または信頼スコアを更新するために使用され得る。いくつかの実施形態では、属性および／または属性と関連付けられるスコアは、下記にさらに詳細に議論されるように、信頼スコアの計算のためのコンポーネントスコア自体として使用され得る。コンポーネントスコアおよび信頼スコアは、任意の好適な技法を使用して更新され得ることが、当業者から理解されるであろう。いくつかの実施形態では、正味属性スコアが、他のユーザから受信されたフィードバックに基づいて計算され得る。例えば、正味属性スコアは、「賛成」の数と「反対」の数との間の差異を見出すことによって計算され得る。本差異は、人々が属性に合意するか（これは、肯定的な正味属性スコアをもたらすはずである）、または属性に反対するか（これは、否定的な正味スコアをもたらすはずである）のインジケータとしての役割を果たし得る。他のユーザが、星または数値システムを使用して評価することを可能にする実施形態等のいくつかの実施形態では、他のユーザによって提供される評価の平均が、正味属性スコアに関して計算され得る。
【００２０】
属性が具体的コンポーネントスコアに関連する実施形態では、属性は、コンポーネントスコアを増加または減少させる役割を果たし得る。例証的実施例として、属性「犯罪者」は、システム信頼スコアを計算するために使用される裁判所履歴コンポーネントスコアに関連し得る。そのような実施形態では、処理回路は、本明細書に説明されるような裁判所履歴コンポーネントスコアを計算し、エンティティがまた「犯罪者」属性に帰属するという判定に基づいて、裁判所履歴コンポーネントスコアを調節し得る。いくつかの実施形態では、本調節は、正味属性スコアに基づく乗数であり得る。他の実施形態では、調節は、ある数のパーセンテージポイントをコンポーネントスコアに加算し得る。いくつかの実施形態では、調節は、閾値調節によって限定され得る。つまり、乗数および／またはパーセンテージ調節が閾値調節を超える場合であっても、閾値調節は、コンポーネントスコアに関する最大調節としての役割を果たすであろう。例証的実施例として、裁判所履歴コンポーネントスコアが、全体的信頼スコアに関する合計１，０００ポイントのうちの１００ポイントを構成し得る。裁判所データベースから読み出された裁判所履歴データに基づいて、処理回路は、Ｓａｍに関して１００ポイントのうちの６０の裁判所履歴コンポーネントスコアを計算し得る。しかしながら、Ｓａｍはまた、「犯罪者」属性と関連付けられる。そのような実施形態では、処理回路は、１０％だけ下方に裁判所履歴コンポーネントスコアを自動的に調節し、５４の調節された裁判所履歴コンポーネントスコアをもたらし得る。いくつかの実施形態では、属性（または属性の集合）がコンポーネントスコアに影響を及ぼし得る最大量は、５ポイントであり得る。そのような実施形態では、６の計算された調節が、５の閾値によって限定されるため、調節された裁判所履歴コンポーネントスコアは、５５であり得る。このように、エンティティの属性がそのコンポーネントおよび／または信頼スコアに対して有し得る調節の大きさは、これらの閾値によって限定され得る。
【００２１】
いくつかの実施形態では、属性によって引き起こされるコンポーネントおよび／または信頼スコアの調節は、属性を伴うエンティティに関する正味属性スコアの分布に基づき得る。例えば、ミュージシャンであるＭｉｋｅは、自身のプロフィール上に、属性「ギタリスト」に関して１，０００件の「いいね」を有し得る。しかしながら、属性「ギタリスト」に関する平均「いいね」は、１００万件であり得る。世界中のギタリストの全てと比較して、Ｍｉｋｅの１，０００件の「いいね」は、彼を比較的に無名のミュージシャンにし得る。一方、慈善家であるＰｈｉｌは、自身のプロフィール上に、属性「慈善家」に関して１００件の「いいね」を有し得、これは、その属性を伴うエンティティに関する上位１％に彼を置き得る。したがって、慈善家であるＰｈｉｌは、ミュージシャンであるＭｉｋｅが自身の属性に関してより多数のいいねを有するにもかかわらず、ミュージシャンであるＭｉｋｅよりも大きい自身の信頼スコアへの乗数を受信し得る。本方式で、処理回路は、属性ともまた関連付けられるエンティティのサブグループを識別し、サブグループ間の正味属性スコアの分布に基づいて、適切な調節を計算し得る。いくつかの実施形態では、処理回路は、サブグループに関する平均正味属性スコアを計算し得る。他の実施形態では、処理回路は、サブグループに関する正味属性スコアを使用して、ガウス分布等の分布を判定し得る。例えば、処理回路は、慈善家が、平均して、約１５の標準偏差とともに、属性「慈善家」に関して約３０件の「いいね」を受信することを判定し得る。これは、慈善家であるＰｈｉｌの１００件の「いいね」のいくつかの標準偏差を、慈善家に関する「いいね」の平均数を上回るように置くであろう。平均正味属性スコアおよび／または分布に基づいて、処理回路は、関連コンポーネントスコアへの適切な調節を計算し得る。いくつかの実施形態では、処理回路は、正味属性スコア（例えば、５７件の「いいね」−１２件の「やだね」＝４５の正味属性スコア）とコンポーネントスコアに関する乗数（例えば、４０〜５０の正味属性スコアがコンポーネントスコアへの１％乗数を取得する）との間の関数を判定するテーブルまたは方程式を参照し得る。いくつかの実施形態では、調節は、信頼スコアに直接適用され得る。例えば、「慈善家」属性を伴う任意の人物が、１，０００のうち、その信頼スコアへの５ポイントの増加を自動的に受信し得る。
【００２２】
いくつかの実施形態では、属性、調味属性スコア、コンポーネントスコアの調節、調節されたコンポーネントスコア、または再計算された信頼スコアのうちの任意の１つもしくはそれを上回るものが、ユーザデバイス上のディスプレイに対して生成され得る。例えば、ユーザデバイスが、属性に隣り合う「＋５」のインジケーションを伴う属性「慈善家」を表示し、属性が再計算された信頼スコアに＋５の増加を引き起こしたことを示し得る。
【００２３】
いくつかの実施形態では、コンピュータネットワーク内の第３のエンティティが、第１のエンティティに関する信頼スコアを要求し得る。処理回路は、コンピュータネットワーク内の経路を示すデータを読み出し、コンピュータネットワーク内の経路を示す読み出されたデータに基づいて、コンピュータネットワーク内で第３のエンティティを第２のエンティティに接続する経路を識別し得る。いくつかの実施形態では、処理回路は、ある閾値数を下回る数のリンクを備える経路のみを識別し得る。処理回路は、第２および第３のエンティティが識別された経路によって接続されるという判定に基づいて、コンポーネントスコアおよび／または信頼スコアを調節し得る。このように、処理回路は、属性のみに基づくのではなく、また、属性を有効にしている、またはそれに反対しているエンティティの識別に基づいて、コンポーネント／信頼スコアを調節し得る。例えば、親しい友人が属性「ベビーシッター」に賛成を与えているという事実は、見知らぬ人が同一の属性に賛成を与えている場合よりも、信頼スコアに大きい調節を引き起こし得る。したがって、要求エンティティに関連して標的エンティティに関する友人信頼スコアを計算するとき、処理回路は、要求エンティティと、標的エンティティの属性を有効にした、またはそれに反対したそれらのエンティティとの間の関係を考慮し得る。
【００２４】
いくつかの実施形態では、クラウドソーシング情報はまた、アクティビティが第１のエンティティおよび第２のエンティティによって将来実施されるであろうという情報と併用され得る。例えば、属性が、あるトランザクションタイプと関連付けられ得、エンティティが属性と関連付けられるという事実はさらに、コンポーネントスコアおよび信頼スコアを調節し得る。例証的実施例として、属性「銀行員」は、エンティティとの金融トランザクションを行っている任意のエンティティに関する文脈信頼スコアの増加を引き起こし得る。そのような場合では、処理回路は、上記に説明される調節に加えて、属性に基づいて、コンポーネントおよび／または信頼スコアへのさらなる調節を計算し得る。属性およびコンポーネントスコアならびに／またはトランザクションタイプ間の関係は、他のエンティティもしくはシステム管理者によって提供される、または関連データベースから読み出され得る。
【００２５】
別の側面によると、信頼スコア計算アルゴリズムを更新するためのシステムおよび方法が、本明細書に説明される。処理回路は、加重プロファイルを第１のユーザアカウントおよび第２のユーザアカウントに伝送し得る。加重プロファイルは、複数のデータソースのそれぞれからのデータを組み合わせるための加重の第１のセットを備え、信頼スコアを計算し得る。処理回路は、加重の第１のセットを、加重の第１のセットとは異なる加重の第２のセットに調節するために、第１のユーザアカウントから第１のユーザ入力を受信し得る。処理回路はさらに、加重の第１のセットを、加重の第１のセットとは異なる加重の第３のセットに調節するために、第２のユーザアカウントから第２のユーザ入力を受信し得る。第１のユーザ入力および第２のユーザ入力に基づいて、処理回路は、加重プロファイルを更新し、複数のデータソースのそれぞれからのデータを組み合わせるための加重の第４のセットを構成し、信頼スコアを計算し、加重の第４のセットは、加重の第１のセットとは異なり得る。例えば、処理回路は、加重の第２のセットおよび加重の第３のセットの平均をとり得る。処理回路は、更新された加重プロファイルを、第１のユーザアカウントおよび第２のユーザアカウントとは異なる第３のユーザアカウントに伝送し得る。このように、処理回路は、エンティティがデフォルト加重プロファイルに成している変更を監視し、これらの変更に基づいて、デフォルト加重プロファイルを更新し、更新されたデフォルト加重プロファイルをエンティティに戻すように伝搬させ得る。
【００２６】
いくつかの実施形態では、加重プロファイルを更新するステップは、加重の第１のセットと加重の第２のセットとの間の第１の差異を計算するステップと、加重の第１のセットと加重の第３のセットとの間の第２の差異を計算するステップと、第１の差異および第２の差異から平均差異を計算するステップとを含む。処理回路は、次いで、平均差異を加重の第１のセットに適用し、加重の第４のセットを生産し得る。いくつかの実施形態では、処理回路は、加重の第４のセットを使用して更新された加重プロファイルに基づいて、第３のユーザアカウントに信頼スコアを計算させ得る。
【００２７】
いくつかの実施形態では、加重プロファイルにおける加重のセットは、最大１００パーセントまで加算するように意図されるパーセンテージを構成し得る。そのような実施形態では、１つの加重の増加は、１００パーセントの総和を維持するために、加重のセットにおける１つまたはそれを上回る他の加重における減少を要求し得る。処理回路は、１００パーセントに等しい加重の本和を維持するために、加重を自動的に調節し得る。いくつかの実施形態では、処理回路が平均差異を加重の第１のセットに適用した後、処理回路は、加重の更新されたセットを総計し、加重の更新されたセットにおける各加重を和で除算することによって、加重の更新されたセットにおける各加重を正規化し得る。このように、加重の更新されたセットが合計して１００パーセントを上回る、または下回る場合であっても、処理回路は、合計して１００パーセントになるように加重のセットを正規化し得る。
【００２８】
別の側面によると、外挿された傾向に基づいて信頼スコアを更新するためのシステムおよび方法が、本明細書に説明される。処理回路は、コンピュータネットワーク内の第１のエンティティと関連付けられる第１の信頼スコアをデータベースから読み出し得、第１の信頼スコアは、第１の時間に計算された。処理回路は、第１の信頼スコアが、ある閾値時間周期にわたって第１のエンティティに関して更新されていないことを判定し得る。例えば、処理回路は、第１の時間と現在の時間との間の差異が、その閾値時間周期を超えていることを判定し得る。第１の時間と現在の時間との間の差異がその閾値時間周期を超えていることを判定することに応答して、処理回路は、コンピュータネットワーク内の第２のエンティティを識別し、第２の時間に計算された第２の信頼スコアおよび第３の時間に計算された第３の信頼スコアを読み出し得、第２の信頼スコアおよび第３の信頼スコアは、第２のエンティティと関連付けられる。第２のエンティティは、第１のエンティティに関する第１の信頼スコアよりも後で計算された信頼スコアを有し得、したがって、第２のエンティティは、第１の信頼スコアが計算された時間以来の信頼スコアにおける傾向の好適なインジケータであり得る。例えば、処理回路は、第２の時間または第３の時間のうちの少なくとも１つが第１の時間よりも後であることを判定し、第２のエンティティが第１のエンティティに関する第１の信頼スコアよりも後で計算された信頼スコアを有することを示し得る。
【００２９】
処理回路は、第２の信頼スコアおよび第３の信頼スコアを使用して、傾向を計算し得る。２つの信頼スコアのみが本例証的実施例において議論されるが、傾向は、第２のエンティティと関連付けられる任意の２つまたはそれを上回る信頼スコアに基づき得ることが、当業者によって理解されるであろう。いくつかの実施形態では、処理回路はまた、信頼スコアを計算するために使用される１つまたはそれを上回るコンポーネントスコアにおける傾向を計算し得る。傾向は、例えば、経時的に増加する信頼スコアまたは減少する信頼スコアの一般的傾きを備え得る。第２のエンティティに関する傾向は、第１のエンティティに関する信頼スコアが類似する時間周期にわたって変化するはずである程度を示し得る。処理回路は、計算された傾向を使用して、第１の信頼スコアを更新し得る。例えば、処理回路は、第２のエンティティの信頼スコアの傾向と同一の時間周期にわたって、第１の信頼スコアに増加する、または減少する信頼スコアの傾きを適用し得る。
【００３０】
いくつかの実施形態では、処理回路は、傾向を個々のコンポーネントスコアに適用し、個々のコンポーネントスコアを更新し、第１のエンティティに関する信頼スコアを再計算し得る。例証的実施例として、複数のエンティティに関するクレジットスコアが、過去２年において１０％だけ減少している場合がある。処理回路は、複数のエンティティの読み出されたクレジットスコアを分析することによって、本傾向を識別し得る。処理回路は、次いで、本傾向を利用し、これが更新されたクレジットスコアデータを有していないエンティティに関するクレジットスコアコンポーネントスコアを更新し、更新されたクレジットスコアコンポーネントスコアに基づいて、エンティティに関する信頼スコアを再計算し得る。このように、処理回路は、更新されたデータが利用可能ではないエンティティに関する信頼スコアを更新し得る。
【００３１】
いくつかの実施形態では、傾向を計算するステップは、第２の信頼スコアと第３の信頼スコアとの間の差異を計算するステップ、第２の信頼スコアと第３の信頼スコアとの間の時間あたりの差異を計算するステップ、第２の信頼スコアから第３の信頼スコアまでのパーセント増加／減少を計算するステップ、第２の信頼スコアから第３の信頼スコアまでの時間あたりのパーセント増加／減少を計算するステップのうちの１つを含む。
【００３２】
いくつかの実施形態では、処理回路は、第１のエンティティに接続されるエンティティにのみ関する信頼スコアにおける傾向を識別し得る。例えば、処理回路は、リンクのある閾値数よりも少ない少なくとも１つの経路によって、コンピュータネットワーク内の第１のエンティティに接続されるエンティティのサブセットを識別し得る。したがって、信頼スコアにおける傾向は、第１のエンティティに関連するエンティティに基づいて判定され得る。
【００３３】
別の側面によると、要求エンティティのために、第２のエンティティに関する信頼スコアを調節するためのシステムおよび方法が、本明細書に説明される。処理回路は、第２のエンティティに関するベースライン信頼スコアを判定し得る。本明細書で使用されるように、「ベースライン信頼スコア」は、要求エンティティが信頼できる程度を考慮することなく計算される、システム、友人、または文脈信頼スコアを含む、任意の信頼スコアを指す。処理回路は、第１の遠隔ソースから要求エンティティについてのデータを受信し得、第１の遠隔ソースから受信されたデータに基づいて、要求エンティティに関する信頼調節スコアをさらに計算し得、これは、要求エンティティが信頼できる程度に関連し得る。処理回路は、信頼調節スコアおよび第２のエンティティに関するベースライン信頼スコアを組み合わせることによって、第２のエンティティに関する調節された信頼スコアを判定し得る。処理回路は、次いで、要求エンティティに調節された信頼スコアのインジケーションを伝送し得る。
【００３４】
いくつかの実施形態では、信頼調節スコアおよび第２のエンティティに関するベースライン信頼スコアは、乗算によって組み合わせられ得る。例えば、要求エンティティが実質的に信頼できると判定される場合、信頼調節スコアは、例えば、１〜２の値であり得、調節された信頼スコアは、したがって、信頼調節スコアに関連するパーセンテージだけベースライン信頼スコアよりも高くあり得る。別の実施例として、要求エンティティが他人から実質的に信頼されないと判定される場合、信頼調節スコアは、０〜１の値を有し得、調節された信頼スコアは、したがって、信頼調節スコアに関連するあるパーセンテージだけベースライン信頼スコアよりも低くあり得る。他の実施形態では、信頼調節スコアおよび第２のエンティティに関するベースライン信頼スコアは、加重和に従って組み合わせられ得る。本実施形態では、信頼調節スコアは、要求エンティティがより信頼できると判定された場合、ゼロを上回り、要求エンティティがより信頼できないと判定された場合、ゼロを下回るであろう。例証的実施例として、信頼調節スコアが１０パーセントの加重を与えられ、要求エンティティが実質的に信頼できないと判定されるため、信頼調節スコアが−２００である場合、調節された信頼スコアは、ベースライン信頼スコアよりも２０ポイント低いであろう。いくつかの実施形態では、信頼調節スコアに与えられる加重は、ユーザによって判定され得る。例えば、要求エンティティが、信頼調節スコアを含まないことを所望し得、これに０の加重を与える、または本調節計算をディスエーブルにし得る。代替として、要求エンティティは、多くの加重を信頼調節スコアに与えることを所望し得る。
【００３５】
いくつかの実施形態では、受信されたデータは、ソーシャルメディア投稿の数および投稿の内容等のソーシャルネットワークデータ、金融トランザクション履歴データ、ならびに／または以前の信頼スコア検索データのうちの少なくとも１つを備える。本データは、上記に説明されるように、信頼調節スコアの計算において使用され得る。例えば、そのソーシャルメディアアカウントに多く投稿する要求エンティティは、高信頼調節スコアを有し得る。いくつかの実施形態では、殆ど金融トランザクションに従事しない要求エンティティは、低信頼調節スコアを有し得る。ネットワークコネクティビティ情報、クレジットスコア、利用可能な裁判所データ、オプトイン提供データ、トランザクション履歴、評価／フィードバックデータ、グループ／人口統計データ、検索エンジンデータ、または任意の公的に利用可能な情報およびある非公的に利用可能な情報等の他のデータが使用され得ることが、当業者によって理解されるであろう。いくつかの実施形態では、受信されたデータは、要求エンティティが信頼できるとユーザが考える程度のユーザインジケーションを備え得る。例えば、要求エンティティの友人が、自身が要求エンティティが「非常に信頼できる」と考えることを示す場合、要求エンティティの信頼調節スコアは、上昇し得る。
【００３６】
いくつかの実施形態では、処理回路は、要求エンティティに関して計算された信頼調節スコアを記憶し、記憶された信頼調節スコアを使用し、別のエンティティに関する調節された信頼スコアを判定するように進み得る。例えば、要求エンティティが、第２のエンティティに関する信頼スコアを判定することを求め、そのプロセス中、信頼調節スコアが計算される場合、処理回路は、計算された信頼調節スコアを記憶し得、要求エンティティが、第３のエンティティに関する信頼スコアを判定することを求める場合、エンティティは、新しいものを計算する代わりに、以前に計算された信頼調節スコアを使用し得る。これは、より少ない処理時間を可能にし得る。いくつかの実施形態では、処理回路は、第２の遠隔ソースから要求エンティティについての第２のデータを収集し、次いで、そのデータに基づいて、記憶された信頼調節スコアを更新し得る。例えば、初期信頼調節スコアが、要求エンティティがそのソーシャルネットワークデータに基づいて非常に信頼できないが、要求ユーザが多くの金融トランザクションに最近従事していることを示した場合、記憶された信頼調節スコアは、ユーザがより信頼できることを反映するために更新され得る。いくつかの実施形態では、第２の遠隔ソースは、第１の遠隔ソースと同一であり得る。例えば、初期の計算された信頼調節スコアを計算するために使用される初期データは、要求エンティティがそのソーシャルメディアアカウント上で多くの情報を共有していることを示している場合がある。ある程度後で、処理回路は、第２のデータを受信し得、これは、ユーザがそのソーシャルメディアアカウント上で情報を共有することをやめたことを示し得、したがって、信頼調節スコアは、低下され得る。
【００３７】
ある実施形態では、処理回路は、要求エンティティおよび第２のエンティティによってともに実施されるべきアクティビティのインジケーションを受信し、次いで、そのインジケーションに基づいて、信頼調節スコアを更新し得る。本実施形態は、特に、文脈信頼スコアの調節に関連し得る。例えば、受信された第１のデータは、要求エンティティが金融トランザクションに殆ど従事していないが、ソーシャルメディアに非常に頻繁に投稿していることを示し得る。処理回路が、要求エンティティが第２のエンティティとの金融トランザクションに従事することを所望し、第２のエンティティの信頼スコアを求めるインジケーションを受信する場合、信頼調節スコアは、更新され得、要求エンティティが金融トランザクションの文脈において実質的に信頼できないことを反映し得る。処理回路が、要求エンティティがソーシャルメディア上で第２のエンティティと「接続する」ことを所望し、第２のエンティティの信頼スコアを求めるインジケーションを受信する場合、信頼調節スコアは、更新され得、要求エンティティがソーシャルメディアの文脈において実質的に信頼できることを反映し得る。
【００３８】
いくつかの実施形態では、信頼調節スコアは、上記に説明されるコンポーネントスコアと類似するが、代わりに、要求エンティティに関連する、信頼コンポーネントスコアに基づいて計算され得る。第１の信頼コンポーネントスコアが、処理回路によって受信された第１のデータに基づいて計算され得、第２の信頼コンポーネントスコアが、処理回路によって受信された第２のデータに基づいて計算され得る。これらは、要求エンティティに関する信頼調節スコアを判定するために組み合わせられ得る。２つのコンポーネントスコアが議論されるが、データが、任意の数のデータソースから読み出され得、任意の数のコンポーネントスコアが、計算され、組み合わせられ、要求エンティティに関する信頼調節スコアを生産し得ることが、当業者によって理解されるであろう。信頼コンポーネントスコアは、具体的属性スコアと接続され得、これは、上記に説明されるものと類似し得、それらの属性に対するフィードバックが、上記のフィードバックと類似する様式で与えられ得、クラウドソーシング情報が、属性に対するフィードバックを与えるために使用され得、属性に対するフィードバックは、対応する信頼コンポーネントスコアを更新するために使用され得る。
【００３９】
一側面によると、第１のエンティティに関するリスクスコアを判定するためのシステムおよび方法が、本明細書に説明される。第１のエンティティに関するリスクスコアは、リスクのある挙動に従事する第１のエンティティの性向の表現であり得る、第１のエンティティがリスクをとることを望んでいる程度のインジケーションであり得る、または第１のエンティティがリスク回避型である程度のインジケーションであり得る。ある実施形態では、リスクスコアは、上記に詳述されるような信頼調節スコアと類似し、第１のエンティティが信頼できる程度の代わりに、リスク許容度または回避度の使用を伴うことを除いて、類似する方式で計算され得る。他の実施形態では、リスクスコアは、信頼スコアと類似し、信頼性の代わりに、リスク許容度または回避度の使用を伴うことを除いて、類似する方式で計算され得る。処理回路は、遠隔ソースから第１のエンティティについてのデータを受信し得、遠隔ソースから受信されたデータに基づいて、受信されたデータを分析し、分析されたデータに対してある数学的演算を実施することによって、第１のエンティティに関するリスクスコアを判定し得る。いくつかの実施形態では、受信されたデータは、ネットワークコネクティビティ情報、ソーシャルネットワークデータ、金融トランザクションデータ、以前の信頼スコア検索データ、クレジットスコア、利用可能な裁判所データ、オプトイン提供データ、トランザクション履歴、評価／フィードバックデータ、グループ／人口統計データ、検索エンジンデータ、もしくは任意の公的に利用可能な情報およびある非公的に利用可能な情報、または第１のエンティティがリスク回避型である程度のインジケーションとして使用され得る任意の好適なデータもしくはそれらの任意の組み合わせを備え得る。加えて、受信されたデータは、ソーシャルメディアネットワーク、政党メンバーシップ、宗教団体メンバーシップ、評価機関、信用情報機関、消費者苦情、犯罪履歴、法的記録、メディア検索エンジン結果、公文書発行者、電子メールサービス、データシンジケータ、住所データベース、輸送乗客リスト、ギャンブルデータベース、企業名簿、病院所属、大学所属、融資および／もしくは借り手データベース、データ交換、ブログ、死亡記事、消費者データベース、ビデオメタデータ、オーディオメタデータ、画像メタデータ、有権者登録リスト、オンラインもしくはオフライン出会い系サイト情報、オンラインもしくはオフライン株主登録簿、企業の規制申請書類、登録された性犯罪者リスト、Ｄｏ  Ｎｏｔ  Ｆｌｙもしくは類似する国土安全保障ウォッチリスト、調書、電子メールデータベース、オンラインもしくはオフラインｃ．ｖ．リスト／データベース、もしくは従業員リスト、または任意の他の好適なソースもしくはそれらの組み合わせを含む、種々のデータソースから受信され得る。例えば、受信されたデータは、第１のエンティティが、単一のクレジットカードのみを開設している、またはいかなるクレジットカードも全く開設していないことを示し得る。本データは、第１のエンティティが幾分リスク回避型であることを示し、したがって、第１のエンティティのリスクスコアを下降させ得る。別の例証的実施例と��て、受信されたデータは、第１のエンティティが、スカイダイビング等のリスクのあるアクティビティに複数回従事していることを示し得る。本データは、第１のエンティティのリスクスコアを上昇させ得る。データはまた、他のリスク要因に関する情報を提供し得、飲酒習慣、性的活動、運動習慣、スポーツへの関与、種々の趣味への関与、支出履歴、クレジットカード使用、医療履歴、および第１のエンティティがリスク回避型である程度を判定する際の任意の他の関連要因を含み得る。例えば、受信されたデータが、ユーザが大量に飲酒することを示す場合、そのユーザのリスクスコアは、８００であり得る一方、殆ど飲酒しないユーザは、２５０のリスクスコアを有し得る。ユーザが毎月その最大信用限度近くまで支出するが、病院を殆ど訪問しない場合、そのユーザは、中程度のリスクスコアを有し得、例えば、そのユーザは、０〜１，０００のスケール上で５５０のリスクスコアを有し得る。いくつかの実施形態では、受信されたデータは、第１のエンティティがリスク回避型であるとユーザが考える程度のユーザインジケーションを備え得る。例えば、第１のエンティティに接続される別のエンティティが、自身が第１のエンティティが「非常にリスク回避型である」と考えることを示す場合、第１のエンティティのリスクスコアは、下降し得る。先の実施例は、より高いリスクスコアが、第１のエンティティがリスクのある挙動に従事するより高い性向を有し得ることを示すことを示すが、これは、単に、例証であり、当業者は、より高いリスクスコアが、第１のエンティティがよりリスク回避型であり得ることを示し、より低いリスクスコアが、第１のエンティティがリスクのある挙動に従事するより高い性向を有することを示し得るシステムを想像することができる。
【００４０】
いくつかの実施形態では、第１のエンティティに関するリスクスコアは、第１のエンティティに報告される、別の要求エンティティに報告される、複数の要求エンティティに報告され得る、または公的に利用可能にされ得る。いくつかの実施形態では、リスクスコアは、第１のエンティティと関連付けられ得、第１のエンティティと関連付けられるデバイス、第１のエンティティと関連付けられる複数のデバイス、または第１のエンティティと関連付けられるアカウントもしくはプロフィールと関連付けられ得る。リスクスコアは、第１のエンティティのリスクをとる性向のインジケーションであり得るため、リスクスコアは、個々のエンティティ毎に個人化され得る。いくつかの実施形態では、リスクスコアはさらに、信頼調節スコアを計算するために使用され得る、またはベースライン信頼スコアを調節するために使用され得る。本調節は、上記に詳述されるように、信頼調節スコアによって実施される調節と類似し得る。
【００４１】
いくつかの実施形態では、処理回路は、第１のエンティティに関するリスクスコアを記憶デバイスに記憶し得、これは、エンティティに遠隔またはローカルであり得る。処理回路は、遠隔ソースから付加的データを受信し、そのデータを使用し、記憶されたリスクスコアを更新するように構成され得る。これは、ユーザ設定間隔において、サーバ設定間隔において、ランダム間隔において、または任意の他の適切な時間周期もしくはそれらの組み合わせにおいて、定期的に随時起こり得る。いくつかの実施形態では、記憶されたリスクスコアの更新は、ユーザ要求、ユーザアクションに応答して、またはユーザもしくはエンティティが第１のエンティティのリスクスコアを要求することに応答して起こり得る。第１のエンティティのリスクスコアの記憶は、さらなるリスクスコア計算を行うとき、より少ない処理時間を可能にし得る。
【００４２】
ある実施形態では、処理回路は、第１のエンティティによって実施されるべきアクティビティのインジケーションを受信し、次いで、アクティビティのインジケーションに基づいて、リスクスコアを更新し得る。例えば、アクティビティは、金融トランザクションに従事することであり得、処理回路は、次いで、そのアクティビティに関する第１のエンティティのリスクスコアを計算するとき、他のデータよりも金融トランザクションデータをより重く加重し得る。本実施例では、受信されたデータが、第１のエンティティが非常に裕福であることを示すが、また、第１のエンティティが一度もスカイダイビングに行ったことがないことを示す場合、第１のエンティティに関するリスクスコアは、示されたアクティビティが小額融資である場合に上昇し（すなわち、６５０〜８００）、小額融資が第１のエンティティにとってあまりリスクのあることではない場合があるため、第１のエンティティがその特定のアクティビティに参加する可能性がより高くあり得ることを示し得る。しかしながら、示されたアクティビティが、バンジージャンプ等の身体的アクティビティである場合、第１のエンティティに関するリスクスコアは、第１のエンティティが一度もスカイダイビングに行ったことがないことを示す受信されたデータに照らして、第１のエンティティがバンジージャンプに参加する可能性がより低くあり得るため、そのアクティビティに関連して下降し得る（すなわち、６５０〜３２５）。
【００４３】
いくつかの実施形態では、リスクスコアは、上記に説明されるコンポーネントスコアと同様に、リスクコンポーネントスコアに基づいて計算され得る。第１のリスクコンポーネントスコアが、処理回路によって受信された第１のデータに基づいて計算され得、第２の信頼コンポーネントスコアが、処理回路によって受信された第２のデータに基づいて計算され得る。これらは、第１のエンティティに関するリスクスコアを判定するために組み合わせられ得る。２つのコンポーネントスコアが議論されるが、データが、任意の数のデータソースから読み出され得、任意の数のコンポーネントスコアが、計算され、組み合わせられ、第１のエンティティに関するリスクスコアを生産し得ることが、当業者によって理解されるであろう。リスクコンポーネントスコアは、具体的属性スコアと接続され得、これは、上記に説明されるものと類似し得、それらの属性に対するフィードバックが、上記のフィードバックと類似する様式で与えられ得、クラウドソーシング情報が、属性に対するフィードバックを与えるために使用され得、属性に対するフィードバックは、対応するリスクコンポーネントスコアを更新するために使用され得る。
【図面の簡単な説明】
【００４４】
前述ならびに他の特徴および利点は、付随の図面と併せて検討される以下の詳細な説明の考慮に応じて明白であろう。
【００４５】
【図１】図１は、信頼スコアを計算するための例証的アーキテクチャのブロック図である。
【図２】図２は、信頼スコアを計算するための例証的アーキテクチャの別のブロック図である。
【図３】図３は、例証的階層化信頼スコアシステムの図である。
【図４】図４は、システム信頼スコアを構成する例証的コンポーネントのブロック図である。
【図５】図５は、システム信頼スコアを構成するコンポーネントの例証的加重組み合わせの図である。
【図６】図６は、信頼スコアインターフェースを表示する例証的グラフィカルユーザインターフェースである。
【図７】図７は、別の例証的信頼スコアインターフェースを表示するグラフィカルユーザインターフェースである。
【図８】図８は、あるメトリックに基づいて、コンポーネントスコアを割り当てるための例証的段階的スケールを示す表である。
【図９】図９は、あるメトリックに基づいて、コンポーネントスコアを割り当てるための例証的分布である。
【図１０】図１０は、例証的ネットワークグラフの表示である。
【図１１】図１１は、ネットワークコミュニティ内のコネクティビティ判定をサポートするための例証的データ表である。
【図１２】図１２は、ネットワークコミュニティ内のコネクティビティ判定をサポートするための別の例証的データ表である。
【図１３Ａ】図１３Ａ−Ｅは、ネットワークコミュニティ内のコネクティビティ判定をサポートするための例証的プロセスである。
【図１３Ｂ】図１３Ａ−Ｅは、ネットワークコミュニティ内のコネクティビティ判定をサポートするための例証的プロセスである。
【図１３Ｃ】図１３Ａ−Ｅは、ネットワークコミュニティ内のコネクティビティ判定をサポートするための例証的プロセスである。
【図１３Ｄ】図１３Ａ−Ｅは、ネットワークコミュニティ内のコネクティビティ判定をサポートするための例証的プロセスである。
【図１３Ｅ】図１３Ａ−Ｅは、ネットワークコミュニティ内のコネクティビティ判定をサポートするための例証的プロセスである。
【図１４】図１４は、システム信頼スコアを計算するための例証的プロセスである。
【図１５】図１５は、友人信頼スコアを計算するための例証的プロセスである。
【図１６】図１６は、文脈信頼スコアを計算するための例証的プロセスである。
【図１７】図１７は、ユーザ入力に基づいて、加重プロファイルを調節するための例証的プロセスである。
【図１８】図１８は、エンティティと関連付けられる属性を提供するための例証的ディスプレイである。
【図１９】図１９は、エンティティと関連付けられる属性に基づいて、システム信頼スコアを計算するための例証的プロセスである。
【図２０】図２０は、エンティティと関連付けられる属性に基づいて、友人信頼スコアを計算するための例証的プロセスである。
【図２１】図２１は、エンティティと関連付けられる属性に基づいて、文脈信頼スコアを計算するための例証的プロセスである。
【図２２】図２２は、外挿された傾向に基づいて、信頼スコアを更新するための例証的プロセスである。
【発明を実施するための形態】
【００４６】
本明細書に説明されるシステム、デバイス、および方法の全体的理解を提供するために、ある例証的実施形態が、説明されるであろう。本明細書に説明されるシステム、デバイス、および方法は、任意の好適な用途のために適合および修正され得、そのような他の追加または修正は、本明細書の範囲から逸脱しないであろうことを理解されたい。
【００４７】
図１は、本開示のある実施形態による、信頼スコアを計算するためのアーキテクチャ１００のブロック図を示す。ユーザが、アクセスアプリケーション１０２を利用し、通信ネットワーク１０４を経由してアプリケーションサーバ１０６にアクセスし得る。例えば、アクセスアプリケーション１０２は、標準ウェブブラウザまたはモバイルデバイス上で起動するアプリ等のコンピュータアプリケーションを含み得る。アプリケーションサーバ１０６は、ウェブサーバを含む任意の好適なコンピュータサーバから成り得、通信ネットワーク１０６は、インターネット等の任意の好適なネットワークから成り得る。アクセスアプリケーション１０２はまた、１つまたはそれを上回るプラットフォームもしくはデバイスのために具体的に開発された専用アプリケーションを含み得る。例えば、アクセスアプリケーション１０２は、Ａｐｐｌｅ  ｉＯＳ、Ａｎｄｒｏｉｄ、もしくはＷｅｂＯＳアプリケーション、または通信ネットワーク１０４を経由してアプリケーションサーバ１０６にアクセスする際に使用するための任意の好適なアプリケーションの１つまたはそれを上回るインスタンスを含み得る。複数のユーザが、アクセスアプリケーション１０２の１つまたはそれを上回るインスタンスを介して、アプリケーションサーバ１０６にアクセスし得る。例えば、複数のモバイルデバイスが、それぞれ、個別のデバイス上でローカルに起動するアクセスアプリケーション１０２のインスタンスを有し得る。１人またはそれを上回るユーザが、アクセスアプリケーション１０２のインスタンスを使用し、アプリケーションサーバ１０６と相互作用し得る。
【００４８】
通信ネットワーク１０４は、インターネット、ＷｉＭａｘ、広域セルラー、またはローカルエリア無線ネットワーク等の任意の有線もしくは無線ネットワークを含み得る。通信ネットワーク１０４はまた、Ｂｌｕｅｔｏｏｔｈ（登録商標）および赤外線ネットワーク等のパーソナルエリアネットワークを含み得る。通信ネットワーク１０４上の通信は、任意の好適なセキュリティまたは暗号化プロトコルを使用して、暗号化される、もしくは別様にセキュアにされ得る。
【００４９】
ファイルまたはウェブサーバ等、任意のネットワークサーバもしくは仮想サーバを含み得る、アプリケーションサーバ１０６は、ローカルに、または任意の好適なネットワーク接続を経由して、データソース１０８にアクセスし得る。アプリケーションサーバ１０６はまた、処理回路（例えば、１つまたはそれを上回るコンピュータプロセッサもしくはマイクロプロセッサ）、メモリ（例えば、ＲＡＭ、ＲＯＭ、および／またはハイブリッドタイプのメモリ）、および１つまたはそれを上回る記憶デバイス（例えば、ハードドライブ、光学ドライブ、フラッシュドライブ、テープドライブ）を含み得る。アプリケーションサーバ１０６内に含まれる処理回路は、信頼スコアを計算するためのサーバプロセスを実行し得る一方、アクセスアプリケーション１０２は、対応するクライアントプロセスを実行する。アクセスアプリケーション１０２は、コンピュータまたはモバイルデバイス（例えば、携帯電話、スマートウォッチ等のウェアラブルモバイルデバイス等）等のユーザの機器上で処理回路によって実行され得る。アプリケーションサーバ１０６内に含まれる処理回路および／またはアクセスアプリケーション１０２を実行する処理回路はまた、信頼スコアを計算することと関連して、本明細書に説明される計算および算出のいずれかを実施し得る。いくつかの実施形態では、その上に記録されるコンピュータプログラム論理を伴うコンピュータ可読媒体が、アプリケーションサーバ１０６内に含まれる。コンピュータプログラム論理は、信頼スコアを計算し得、ディスプレイデバイス上での表示のためにそのような信頼スコアを生成し得る。いくつかの実施形態では、アプリケーション１０２および／またはアプリケーションサーバ１０６は、信頼スコアの計算日付を記憶し得、表示のために、計算の日付とともに信頼スコアを生成し得る。
【００５０】
アプリケーションサーバ１０６は、インターネット、セキュアなプライベートＬＡＮ、または任意の他の通信ネットワークを経由してデータソース１０８にアクセスし得る。データソース１０８は、サードパーティソーシャルネットワーキングサービス、サードパーティ評価機関、ソーシャルメディアネットワーク、政党メンバーシップ、宗教団体メンバーシップ、評価機関、信用情報機関、消費者苦情、犯罪履歴、法的記録、メディア検索エンジン結果、公文書発行者、電子メールサービス、データシンジケータ、住所データベース、輸送乗客リスト、ギャンブルデータベース、企業名簿、病院所属、大学所属、融資および／もしくは借り手データベース、データ交換、ブログ、死亡記事、消費者データベース、ビデオメタデータ、オーディオメタデータ、画像メタデータ、有権者登録リスト、オンラインもしくはオフライン出会い系サイト情報、オンラインもしくはオフライン株主登録簿、企業の規制申請書類、登録された性犯罪者リスト、Ｄｏ  Ｎｏｔ  Ｆｌｙもしくは類似する国土安全保障ウォッチリスト、調書、電子メールデータベース、オンラインもしくはオフラインｃ．ｖ．リスト／データベース、もしくは従業員リスト、または任意の他の好適なソースもしくはそれらの組み合わせからのデータ等、１つまたはそれを上回るサードパーティデータソースを含み得る。例えば、データソース１０８は、Ｆａｃｅｂｏｏｋ、ＭｙＳｐａｃｅ、ｏｐｅｎＳｏｃｉａｌ、Ｆｒｉｅｎｄｓｔｅｒ、Ｂｅｂｏ、ｈｉ５、Ｏｒｋｕｔ、ＰｅｒｆＳｐｏｔ、Ｙａｈｏｏ！３６０、Ｌｉｎｋｅｄｌｎ、Ｔｗｉｔｔｅｒ、Ｇｏｏｇｌｅ  Ｂｕｚｚ、Ｒｅａｌｌｙ  Ｓｉｍｐｌｅ  Ｓｙｎｄｉｃａｔｉｏｎリーダ、または任意の他のソーシャルネットワーキングウェブサイトもしくは情報サービスのうちの１つまたはそれを上回るものからのユーザおよび関係データ（例えば、「友人」または「フォロワー」データ）を含み得る。データソース１０８はまた、アクセスアプリケーション１０２を介してアプリケーションサーバ１０６にアクセスするユーザについての関係情報を含有する、アプリケーションサーバ１０６にローカルなデータストアおよびデータベース（例えば、住所のデータベース、法的記録、輸送乗客リスト、ギャンブルパターン、政治および／もしくは慈善寄付、政党所属、車両ナンバープレートもしくは識別番号、統一商品コード、ニュース記事、企業名簿、ならびに病院もしくは大学所属）を含み得る。
【００５１】
アプリケーションサーバ１０６は、データストア１１０、キー値ストア１１２、および並列算出フレームワーク１１４のうちの１つまたはそれを上回るものと通信し得る。任意のリレーショナルデータベース管理システム（ＲＤＢＭＳ）、ファイルサーバ、または記憶システムを含み得る、データストア１１０は、１つまたはそれを上回るネットワークコミュニティに関連する情報を記憶し得る。例えば、データ表１１００（図１１）のうちの１つまたはそれを上回るものが、データストア１１０上に記憶され得る。データストア１１０は、ネットワークコミュニティ内のユーザおよびエンティティについての識別情報、ネットワークコミュニティ内のノードの識別、ユーザリンクおよびパスウェイト、ユーザ構成設定、システム構成設定、ならびに／または任意の他の好適な情報を記憶し得る。ネットワークコミュニティあたりデータストア１１０の１つのインスタンスが存在し得る、またはデータストア１１０は、複数のネットワークコミュニティに関連する情報を記憶し得る。例えば、データストア１１０は、ネットワークコミュニティあたり１つのデータベースを含み得る、または１つのデータベースが、全ての利用可能なネットワークコミュニティについての情報（例えば、データベース表あたり１つのネットワークコミュニティについての情報）を記憶し得る。
【００５２】
任意の並列または分散算出フレームワークもしくはクラスタを含み得る、並列算出フレームワーク１１４は、同時に、分散方式で、またはその両方で実施されるべきより小さいジョブに算出ジョブを分割するように構成され得る。例えば、並列算出フレームワーク１１４は、アプリケーションが複数の小フラグメントの作業に分割され得、そのそれぞれがコアのクラスタ内の任意のコアプロセッサ上で実行または再実行され得る、マップ／リデュース算出パラダイムを実装することによって、データ集約的分散アプリケーションをサポートし得る。並列算出フレームワーク１１４の好適な実施例は、Ａｐａｃｈｅ  Ｈａｄｏｏｐクラスタを含む。
【００５３】
並列算出フレームワーク１１４は、キー値ストア１１２とインターフェースし得、これもまた、コアのクラスタの形態をとり得る。キー値ストア１１２は、並列算出フレームワーク１１４によって実装されるマップ／リデュース算出パラダイムと併用するためのキー値ペアのセットを保持し得る。例えば、並列算出フレームワーク１１４は、大きい分散算出をキー値ペアのデータセットに対する分散演算のシーケンスとして表し得る。ユーザ定義されたマップ／リデュースジョブが、クラスタ内の複数のノードを横断して実行され得る。本明細書に説明される処理および算出は、少なくとも部分的に、任意のタイプのプロセッサまたはプロセッサの組み合わせによって実施され得る。例えば、種々のタイプの量子プロセッサ（例えば、ソリッドステート量子プロセッサおよび光ベース量子プロセッサ）、人工ニューラルネットワーク、および同等物が、超並列算出および処理を実施するために使用され得る。
【００５４】
いくつかの実施形態では、並列算出フレームワーク１１４は、２つの固有のフェーズである「マップ」フェーズおよび「リデュース」フェーズをサポートし得る。算出への入力は、キー値ストア１１２に記憶されるキー値ペアのデータセットを含み得る。マップフェーズでは、並列算出フレームワーク１１４は、入力データセットを多数のフラグメントに分配または分割し、各フラグメントをマップタスクに割り当て得る。並列算出フレームワーク１１４はまた、その上でこれが動作するノードのクラスタを横断してマップタスクを分配し得る。各マップタスクは、その割り当てられたフラグメントからのキー値ペアを消費し、中間キー値ペアのセットを生産し得る。入力キー値ペア毎に、マップタスクは、入力を異なるキー値ペアに変えるユーザ定義されたマップ機能を呼び出し得る。マップフェーズに続いて、並列算出フレームワーク１１４は、キーによって中間データセットをソートし、特定のキーと関連付けられる全ての値がともに現れるようにタプルの集合を生産し得る。並列算出フレームワーク１１４はまた、タプルの集合を、リデュースタスクの数に等しい数のフラグメントにパーティション化し得る。
【００５５】
リデュースフェーズでは、各リデュースタスクは、これに割り当てられたタプルのフラグメントを消費し得る。そのようなタプル毎に、リデュースタスクは、タプルを出力キー値ペアに変えるユーザ定義されたリデュース機能を呼び出し得る。並列算出フレームワーク１１４は、次いで、ノードのクラスタを横断して多くのリデュースタスクを分配し、中間データの適切なフラグメントを各リデュースタスクに提供し得る。
【００５６】
各フェーズにおけるタスクは、フォールトトレラント様式で実行され得、したがって、算出中に１つまたはそれを上回るノードが失敗する場合、そのような失敗したノードに割り当てられたタスクは、残りのノードを横断して再分配され得る。本挙動は、ロードバランシングを可能にし、失敗したタスクが低ランタイムオーバーヘッドを用いて再実行されることを可能にし得る。
【００５７】
キー値ストア１１２は、大きいファイルを確実に記憶することが可能な任意の分散ファイルシステムを実装し得る。例えば、キー値ストア１１２は、Ｈａｄｏｏｐの独自の分散ファイルシステム（ＤＦＳ）またはＨＢａｓｅ等のより拡張可能な列指向分散データベースを実装し得る。そのようなファイルシステムまたはデータベースは、恣意的な数の表列のためのサポート等、ＢｉｇＴａｂｌｅのような能力を含み得る。
【００５８】
図１は、図面を過剰に複雑化しないために、アクセスアプリケーション１０２、通信ネットワーク１０４、アプリケーションサーバ１０６、データソース１０８、データストア１１０、キー値ストア１１２、および並列算出フレームワーク１１４の単一のインスタンスのみを示すが、実践では、アーキテクチャ１００は、前述のコンポーネントのうちの１つまたはそれを上回るものの複数のインスタンスを含み得る。加えて、キー値ストア１１２および並列算出フレームワーク１１４はまた、いくつかの実施形態では、除去され得る。図２のアーキテクチャ２００に示されるように、キー値ストア１１２および／または並列算出フレームワーク１１４によって実行される並列または分散算出は、加えて、または代替として、定常コアの代わりにモバイルデバイス２０２のクラスタによって実施され得る。いくつかの実施形態では、モバイルデバイス２０２のクラスタ、キー値ストア１１２、および並列算出フレームワーク１１４は全て、ネットワークアーキテクチャ内に存在する。あるアプリケーションプロセスおよび算出は、モバイルデバイス２０２のクラスタによって実施され得、ある他のアプリケーションプロセスおよび算出は、キー値ストア１１２および並列算出フレームワーク１１４によって実施され得る。加えて、いくつかの実施形態では、通信ネットワーク１０４自体が、アプリケーションプロセスおよび算出のいくつかまたは全てを実施し得る。例えば、特別に構成されたルータまたはサテライトが、本明細書に説明されるアプリケーションプロセスおよび算出のいくつかまたは全てを実行するように適合される処理回路を含み得る。
【００５９】
モバイルデバイス２０２のクラスタは、ＰＤＡ、セルラー電話、モバイルコンピュータ、または任意の他のモバイルコンピューティングデバイス等の１つもしくはそれを上回るモバイルデバイスを含み得る。モバイルデバイス２０２のクラスタはまた、マイクロプロセッサ（例えば、予備の処理時間を伴う）、記憶装置、またはその両方を含有する、任意の電化製品（例えば、オーディオ／ビデオシステム、電子レンジ、冷蔵庫、フードプロセッサ）を含み得る。アプリケーションサーバ１０６は、並列算出フレームワーク１１４およびマップ／リデュース算出パラダイムによって複数の固定コアに分配されているであろうものと類似する方式で、モバイルデバイス２０２のクラスタ内のデバイスに算出、記憶、またはその両方を実施するように命令し得る。モバイルデバイス２０２のクラスタ内の各デバイスは、離散算出ジョブ、記憶ジョブ、またはその両方を実施し得る。アプリケーションサーバ１０６は、各分散ジョブの結果を組み合わせ、算出の最終結果を返し得る。
【００６０】
図３は、本開示のある実施形態による、階層化信頼スコアシステムの図３００である。システム信頼スコア３０２、友人信頼スコア３０４、および文脈信頼スコア３０６は、ユーザが、孤立してか、別のエンティティに関連してか、および／または具体的アクティビティ／トランザクションに関連してかのいずれかで、標的エンティティの信頼性について問い合わせ得る階層化信頼システムを表し得る。いくつかの実施形態では、システム信頼スコア３０２は、データソースの第１のセット（例えば、図１のデータソース１０８）から計算され得る。いくつかの実施形態では、友人信頼スコア３０４は、データソースの第１のセットと同一であり得る、またはそうではない場合がある、データソースの第２のセットに基づいて、システム信頼スコア３０２への更新として計算され得る。友人信頼スコア３０４は、付加的データソース（例えば、図１のデータソース１０８）を考慮し得る、または考慮しない場合がある。いくつかの実施形態では、友人信頼スコア３０４はまた、システム信頼スコア３０２とは異なる加重に従って、データソースからのデータを組み合わせ得る。いくつかの実施形態では、文脈信頼スコア３０６は、友人信頼スコア３０４またはシステム信頼スコア３０２のいずれかへの更新として計算され得る。例えば、文脈信頼スコア３０６は、異なるデータソース（例えば、図１のデータソース１０８）を考慮し得る、またはシステム信頼スコア３０２および／もしくは友人信頼スコア３０４と同一のデータソースに基づき得る。いくつかの実施形態では、文脈信頼スコア３０６は、システム信頼スコア３０４および／または友人信頼スコア３０４とは異なる加重に従って、データソースからのデータを組み合わせ得る。システム信頼スコア３０２、友人信頼スコア３０４、および文脈信頼スコア３０６は、階層システムとして図３に示されるが、各信頼スコアは、別個にか、または他の信頼スコアとともにかのいずれかで計算および提示され得る。
【００６１】
システム信頼スコア３０２、友人信頼スコア３０４、および文脈信頼スコア３０６は、任意の好適な方式で表され得る。例証的実施例として、システム信頼スコア３０２、友人信頼スコア３０４、および文脈信頼スコア３０６は、それぞれ、１００のうちのあるパーセンテージとして、または１，０００のうちのある数値スコアとして表され得る。他の実施形態では、システム信頼スコア３０２、友人信頼スコア３０４、および文脈信頼スコア３０６は、異なるカテゴリの信頼性（例えば、「信用できる」、「当てにならない」、「誠実である」、「詐欺的である」等）によって、またはグラフィカルスキーム（例えば、信頼性のレベルを表す色スペクトル）によって表され得る。例証を容易にするために、信頼スコアおよび信頼スコアを構成するコンポーネントスコアは、数値として本明細書で議論されるであろう。しかしながら、計算された信頼スコアを描写する他の方法も、当業者によって想定され、本明細書の範囲から逸脱しないであろう。
【００６２】
各タイプの信頼スコアは、具体的加重に従って、データソースからのデータを組み合わせ得る。例えば、システム信頼スコアに関する加重が、以下のように設定され得る。
データ照合−５％
ネットワークコネクティビティ−２０％
クレジットスコア−１５％
裁判所データ−１０％
評価／フィードバックデータ−２０％
グループ／人口統計−５％
検索エンジンマイニング−５％
トランザクション履歴−２０％
【００６３】
いくつかの実施形態では、ユーザは、その選好に従って、これらのデフォルト加重を調節し得る。例えば、ネットワーク分析（例えば、共通して有する友人の数）に価値を置くユーザは、より重い加重、例えば、２５％をネットワークコネクティビティに割り当てる一方、クレジットスコアの加重を１０％まで低下させ得る。逆に、その顧客のクレジットスコアについて非常に気にかける銀行は、より重い加重をクレジットスコアに割り当て、ネットワークコネクティビティを割引し得る。
【００６４】
いくつかの実施形態では、これらのデフォルト加重は、システム管理者によって設定され得る。いくつかの実施形態では、デフォルト加重は、ユーザおよび／または具体的トランザクションタイプにカスタマイズされ得る。本システムは、上記に言及されるデータソースのいずれかから読み出されたデータを分析し、エンティティの信頼モデルおよび／またはリスク許容度を判定し得る。例えば、あるデータは、エンティティがよりリスク回避型である、またはよりリスク回避型ではなく、適宜、加重が調節されるべきであることを示し得る。
【００６５】
デフォルト加重はまた、進行中ベースで調節され得る。本システムは、複数のエンティティから調節された加重プロファイルを受信し、調節された加重プロファイルの平均をとり得る。例証的実施例として、多数のエンティティが、検索エンジンマイニングパーセンテージを１０％に調節する一方、評価／フィードバックデータを１５％まで低減させ得る。本システムは、これらの変更されたパーセンテージを反映するようにデフォルト加重を調節し、加重プロファイルをエンティティに再分配し得る。
【００６６】
以下は、システム信頼スコア３０２、友人信頼スコア３０４、および文脈信頼スコア３０６の１つの適用を例証する実施例である。以下は、例証のみを目的として提供され、本明細書に説明されるシステム、デバイス、および方法は、さらに適合または修正され得ることを理解されたい。
【００６７】
Ｊｏｈｎは、ＡＢＣレストランにおける簡易料理人に関する広告を見ており、彼が応募すべきかどうかを決定しようとしている。Ｊｏｈｎは、自身のモバイルデバイス上でアプリを開き、ＡＢＣレストランに関して検索する。アプリは、本検索に対する複数の合致が存在することを示すが、最も近接するものが、上位にソートされる。正しいレストランをタップした後、アプリは、ＡＢＣレストランのプロフィールページを示す。ＡＢＣレストランのプロフィールページは、ＡＢＣレストランに関するシステム信頼スコアを含み、これは、部分的に、３つのブログからの評価に基づいて計算される。Ｊｏｈｎは、さらなる詳細を見るためにタップし、ブロガーからの直近のブログのリストを見る。個々のブログをタップすることによって、彼は、実際の記事を読むことができる。彼はまた、ブロガーをタップし、アプリにおいてそのプロフィールページを見ることができる。
【００６８】
ＡＢＣレストランに関するシステム信頼スコアはまた、ＡＢＣレストランが雇用者であった以前のトランザクションに基づいて計算される。Ｊｏｈｎは、以前のトランザクションのリスト、それらのトランザクションの評価、およびコメントを見るためにタップする。
【００６９】
Ｊｏｈｎは、彼が１つまたはそれを上回るネットワーク（例えば、Ｆａｃｅｂｏｏｋ、ＭｙＳｐａｃｅ、Ｔｗｉｔｔｅｒ、Ｌｉｎｋｅｄｌｎ等）を通してレストランに接続されている程度を見るために、ソーシャルグラフをタップする。ソーシャルグラフから、彼は、経営者であるＢｏｂが友人の友人であることを見る。ソーシャルグラフデータに基づいて、アプリは、ＪｏｈｎとＡＢＣレストランとの間の友人信頼スコアを計算するために、システム信頼スコアを更新する。友人信頼スコアは、システム信頼スコアよりも良好であり、Ｊｏｈｎと経営者であるＢｏｂとの間の関係に基づいて、信頼性における増分増加を示す。アプリはまた、公的に利用可能な情報およびデフォルト加重に基づいて計算される、Ｂｏｂのシステム信頼スコアと、また、ソーシャルグラフデータを考慮する、Ｊｏｈｎに関するＢｏｂの友人信頼スコアとを表示する。
【００７０】
Ｊｏｈｎは、その仕事に応募することを決定する。面接の後、経営者であるＢｏｂは、Ｊｏｈｎを簡易料理人として雇用するかどうかを決定しようとしている。Ｂｏｂは、アプリを使用し、Ｊｏｈｎに関して検索する。Ｊｏｈｎに関する複数の結果が存在するが、Ｂｏｂは、最終的に、彼を見つけ、彼のエントリをタップする。Ｊｏｈｎのプロフィールページは、公的に利用可能な情報（例えば、クレジットスコア、照合データ、検索エンジンマイニング、職歴等）およびデフォルト加重に基づいて計算された、彼のシステム信頼スコアを表示する。Ｂｏｂは、ソーシャルグラフをタップし、彼がＪｏｈｎに接続されている程度を見る。彼は、彼らが友人の友人を通して接続されていることを発見する。アプリは、ソーシャルネットワークデータに基づいて、Ｊｏｈｎのシステム信頼スコアを更新し、ＪｏｈｎとＢｏｂとの間の友人信頼スコアを計算し、これは、Ｊｏｈｎのシステム信頼スコアよりも良好であり、ＪｏｈｎとＢｏｂとの間の接続に起因する信頼性における増分増加を示す。アプリはまた、Ｊｏｈｎが従業員であった以前のトランザクションからの平均評価を示す。Ｂｏｂは、トランザクションのリストを示すためにタップし、これは、時間順に順序付けられ、仕事のタイプによってフィルタ処理されることができる。Ｂｏｂはまた、彼がＪｏｈｎを従業員として雇用することを所望することをアプリに示す。アプリは、信頼スコアの加重を調節し、他のコンポーネント（クレジットスコア等）よりも職歴に高い加重を与える。アプリは、調節された加重を使用し、友人信頼スコアを更新し、文脈信頼スコアを計算し、これは、潜在的従業員としてのＪｏｈｎの信頼性を表す。
【００７１】
アプリにおいて情報を精査した後、Ｂｏｂは、Ｊｏｈｎを雇用することを決定した。Ｊｏｈｎのプロフィールページから、彼は、アクションアイコンをタップし、「雇用する」を選定する。アプリは、身分、開始日付、年間給与、および１年あたりの休暇日等の関連情報を記入するようにＢｏｂを促す。データを確認した後、トランザクションは、「Ｊｏｈｎを待っています」のステータスとともにＢｏｂの通知リストに現れる。Ｊｏｈｎは、彼の電話で通知を受信する。彼は、アプリを開き、彼の通知リストにおいて新しいトランザクションを見る。アプリは、彼の新しい仕事の詳細を確認するようにＪｏｈｎを促す。Ｊｏｈｎは、確認するように選定し、Ｂｏｂは、Ｊｏｈｎがトランザクションを確認したという通知を受信する。
【００７２】
上記の実施例に例証されるように、ユーザは、別のエンティティに関するシステム信頼スコアを要求し得、これは、次いで、続けて、関与する当事者に特有の情報に基づいて、友人信頼スコアに精緻化され、当事者によって実施されるべきアクティビティ／トランザクションの詳細に基づいて、文脈信頼スコアに精緻化され得る。
【００７３】
図４は、本開示のある実施形態による、システム信頼スコア４０２を構成するコンポーネント４０４−４１８のブロック図４００である。システム信頼スコア４０２は、データ照合コンポーネント４０４、ネットワークコネクティビティコンポーネント４０６、クレジットスコアコンポーネント４０８、裁判所データコンポーネント４１０、評価／フィードバックデータコンポーネント４１２、グループ／人口統計コンポーネント４１４、検索エンジンマイニングコンポーネント４１６、および／またはトランザクション履歴コンポーネント４１８を備え得る。コンポーネント４０４−４１８は、１つまたはそれを上回るデータソース（例えば、図１のデータソース１０８）から、ローカルに、または好適なネットワーク接続を通してのいずれかで受信され得る。コンポーネント４０４−４１８は、例証のみを目的として提供され、本明細書に説明される信頼スコアは、図４に提供されるコンポーネント４０４−４１８よりも多い、または少ないコンポーネントを備え得ることを理解されたい。
【００７４】
データ照合コンポーネント４０４は、標的エンティティと関連付けられる情報を照合するデータを含み得る。いくつかの実施形態では、データ照合コンポーネント４０４は、限定ではないが、電子メールアドレス、電話番号、および／または郵送先住所を含む、連絡先情報の照合を含み得る。データ照合コンポーネントはまた、電子メール、ＩＭ、またはメッセージの頻度、メッセージの時刻、スレッドの深さ、もしくは重要なトランザクション／アクティビティタイプ（例えば、融資、賃貸、購入等）に関するスレッドのレビュー等の他のメッセージング要因を備え得る。データ照合コンポーネント４０４は、パスポートおよび／または他の政府ＩＤ、納税申告書要因（例えば、所得を証明するための納税申告の概要）、教育データ（例えば、学位／卒業の証明書）、グループ所属要因（例えば、グループへのメンバーシップを証明するインボイス）、功績（例えば、賞、勲章、名誉表彰等の証明）、雇用データ（例えば、給与明細書データ）からのデータを考慮し得る。データ照合コンポーネント４０４はまた、ＩＤ等のある文書を照合するために、顔認識ソフトウェアを組み込み得る。いくつかの実施形態では、本顔認識ソフトウェアは、ユーザの識別の後続照合のために使用され得る。例証的実施例として、データ照合コンポーネント４０４は、ユーザの識別を照合するための空港走査システムの一部として使用され得る。データ照合コンポーネント４０４は、上記の例証的実施例に対応するデータ等のサブコンポーネントを備え得、より多くのサブコンポーネントが照合されるほど、データ照合コンポーネント４０４は、精度が高くなる。サブコンポーネントは、加重和または図８および９に関連して下記にさらに議論される方法等の任意の好適な様式で、データ照合コンポーネント４０４を判定するために組み合わせられ得る。いくつかの実施形態では、データの照合は、サブコンポーネントの主題を証明する文書（例えば、所得を証明するための納税申告書）によって、または友人照合によって達成され得る。例えば、雇用情報が、標的ユーザに接続される友人によって検証され得、より多くの友人が雇用情報を肯定的に検証するほど、サブコンポーネントスコアは、より良好になる。いくつかの実施形態では、情報は、いったん照合されると、削除され得る。例えば、パスポート／ＩＤの画像は、いったんその中に含有される情報が有効にされると、削除され得る。
【００７５】
ネットワークコネクティビティコンポーネント４０６は、図１１−１３に関連して下記にさらに議論される。いくつかの実施形態では、ネットワークコネクティビティコンポーネント４０６は、ソーシャルネットワーク（例えば、Ｆａｃｅｂｏｏｋ、Ｔｗｉｔｔｅｒ、Ｉｎｓｔａｇｒａｍ、Ｐｉｎｔｅｒｅｓｔ、Ｌｉｎｋｅｄｌｎ等）からのデータを備え得る。例えば、ネットワークコネクティビティコンポーネント４０６は、標的ユーザが有するＦａｃｅｂｏｏｋの「友人」等の接続の数、標的ユーザの投稿にコメントする、または「いいね」するそれらの友人、標的ユーザが友人として追加／削除する人に関する情報、標的ユーザの友人の持続時間（例えば、ユーザが彼らを友人として追加した後、標的ユーザが友人としての彼らを削除するまでの期間）、標的ユーザがメッセージを送る人、標的ユーザがどの投稿を共有するか、およびソーシャルネットワーク上の在籍期間の長さを考慮し得る。友人信頼スコア３０４等の友人信頼スコアに関して、ネットワークコネクティビティコンポーネントは、相互の友人の数、分離度、および第１のエンティティから標的エンティティまでの経路の数を考慮し得る。
【００７６】
クレジットスコアコンポーネント４０８は、所得、当座預金／普通預金口座情報（口座の数、値）、および１つまたはそれを上回る機構からのクレジットスコア情報を含む、標的エンティティと関連付けられる任意の好適な金融情報を備え得る。クレジットスコア情報は、限定ではないが、Ｔｒａｎｓｕｎｉｏｎ、Ｅｑｕｉｆａｘ、およびＥｘｐｅｒｉａｎを含む、任意の典型的なクレジットスコア機関から受信され得る。クレジット口座の数、クレジット利用、クレジット履歴の長さ、遅延支払いの数等のクレジットスコア要因もまた、考慮され得る。考慮される他の金融情報は、事前の融資および支払いデータ、正味財産または資産／負債に関するデータ、ならびに任意の事前の違反に関する情報を含み得る。種々の金融データは、限定ではないが、図８および９に関連して下記に議論される方法を含む、任意の好適なアプローチを使用して組み合わせられ得る。
【００７７】
裁判所データコンポーネント４１０は、刑事または民事裁判所における標的エンティティと関連付けられるアクティビティに関する任意のデータを含み得る。例えば、裁判所データコンポーネント４１０は、他の誰かを訴えているエンティティが関与する訴訟の数および訴訟のタイプ、標的エンティティが被告として関与する訴訟の数、信頼性に悪影響を及ぼし得る任意の刑事事件、ならびに任意の結審した訴訟の最終的判決／処分（例えば、無罪、有罪、調停等）に関するデータを備え得る。裁判所データは、任意の公的に利用可能なソースおよび任意の利用可能な地方、州立、連邦、または国際裁判所から得られ得る。
【００７８】
評価／フィードバックデータコンポーネント４１２は、標的エンティティと関連付けられる評価またはフィードバックを反映する任意のデータを含み得る。例えば、Ｙｅｌｐ等のオンライン評価サイトは、種々の企業に関する評価情報を提供し得る。標的エンティティの任意の評価、売買高に関する情報、評価の数、平均評価、標的エンティティを評価する人、および標的エンティティがコメントに応答するかどうかが、考慮され得る。いくつかの実施形態では、評価データは、Ｂｅｔｔｅｒ  Ｂｕｓｉｎｅｓｓ  Ｂｕｒｅａｕ等の評価機構から受信され得る。フィードバックデータは、標的エンティティと関連付けられる任意の肯定的または否定的コメントを含み得る。いくつかの実施形態では、フィードバックデータは、ソーシャルネットワークにおける友人によって成されるコメントを含み得る。いくつかの実施形態では、他のユーザまたはエンティティによる評価の数およびタイミングは、評価／フィードバックデータコンポーネント４１２に影響を及ぼすために使用され得る。例えば、規定された時間周期にわたる否定的フィードバックの欠如は、評価／フィードバックデータコンポーネント４１２における増加（または減少）をもたらし得る。同様に、規定された時間周期にわたる肯定的フィードバックの欠如は、評価／フィードバックデータコンポーネント４１２における減少（または増加）をもたらし得る。
【００７９】
グループ／人口統計コンポーネント４１４は、標的エンティティのグループメンバーシップに関する情報または年齢、性別、人種、場所等の人口統計情報を含み得る。グループデータは、標的エンティティによって実施されるアクティビティを示唆し得る。例えば、ナショナルセーリングクラブへのメンバーシップは、セーリングおよびボートへの興味を示し得る。いくつかの実施形態では、友人信頼スコアは、グループ／人口統計コンポーネントを考慮するように調節され得る。例えば、標的エンティティに関する友人信頼スコアは、第１のエンティティおよび標的エンティティの両方が同一のナショナルセーリングクラブのメンバーである場合、増加され得る。別の実施例として、人口統計情報（年齢、性別、人種、場所等）における類似性は、第１および標的エンティティ間の信頼性における増分増加を示し得、標的エンティティに関する友人信頼スコアは、適宜、調節され得る。
【００８０】
検索エンジンマイニングコンポーネント４１６は、ＧｏｏｇｌｅまたはＹａｈｏｏ等の好適な検索エンジン上で実施される分析を含み得る。ウェブサイト／ブログ／記事が、標的エンティティについてエンティティのために検索および走査され得、肯定的または否定的所感が、そのようなエンティティのために検出および記憶され得る。記事の数、所感、記事のタイミングは、検索エンジンマイニングコンポーネント４１６への肯定的または否定的調節を示し得る。いくつかの実施形態では、ｅＢａｙ等のオンラインショッピングまたはオークションウェブサイトは、トランザクションの評価および売買高、フィードバックコメント、購入／販売されたアイテムの数、アイテムの平均価格、ならびにアイテムのカテゴリ（例えば、ハードウェア、ソフトウェア、家具等）等、標的エンティティと関連付けられる情報に関して走査され得る。
【００８１】
トランザクション履歴コンポーネント４１８は、標的エンティティと関連付けられる過去のトランザクションに関する任意の情報を備え得る。正常なトランザクションまたはアクティビティが、識別され、トランザクション履歴コンポーネントスコアに好影響を及ぼし得る。例えば、私がＪｏｈｎに１００ドルを貸し、彼が私に速やかに返済する場合、私は、将来彼に金を貸す傾向がより高くなり得る。トランザクション履歴データは、（例えば、図２のアプリケーション１０２によって）ローカルに追跡および記憶され得る、または遠隔ソース（例えば、銀行またはウェブサイト）から受信され得る。トランザクション履歴データは、金額、誰に、誰から、回数、および／または成功率等のトランザクションの詳細を考慮し得る。トランザクション／アクティビティタイプは、限定ではないが、資金もしくは物の融資／借入、商品およびサービスの購入／販売、金融トランザクション、デート、相手とのパートナー（例えば、提携の発展、相手との新事業の開始、相手との投資等）、友人／知人になること、相手に／相手から賃貸すること（例えば、自動車、家屋、ホテルの部屋等を賃貸することを含む）、雇用／勤務すること（例えば、配管業者、ベビーシッター等を含む）を含み得る。アクティビティまたはトランザクションは、任意の数の当事者を含み得、各当事者は、それらが実際にアクティビ／トランザクションの一員であったことを照合する必要があり得る。各当事者はまた、トランザクション／アクティビティにおけるその経験を評価し得る。完了していないアクティビティ／トランザクションに関するリマインダが、ユーザまたはエンティティに自動的に送信され得る。例えば、電子メールが、送信され、ユーザがフィードバックを提供することを所望するかどうかを質問し得る。
【００８２】
いくつかの実施形態では、トランザクション履歴コンポーネント４１８は、第１のエンティティと第２のエンティティとの間のトランザクション履歴における以前のトランザクション間の相互作用を備え得る。このように、処理回路は、信頼スコアを判定する際に、後悔および許しの要素を考慮し得る。例えば、第１のトランザクションが、信頼スコアの増加または減少に対応し得る一方、第１のトランザクションに関連する第２の後続トランザクションは、反対方向における友人信頼スコアの調節をもたらし得る。調節は、信頼スコアの減少（例えば、後悔または疑念）または信頼スコアの増加（例えば、許しまたは贖罪）のいずれかであり得る。例証的実施例として、容疑者が、過去に自動車を盗み、続けて、窃盗で有罪判決を受け、犯罪に関して刑務所で３年間服役するように宣告された場合がある。最初の窃盗は、容疑者の信頼スコアを減少させる役割を果たし、既知の法律侵犯者と関連付けられる増加された疑念を反映し得る一方、後続有罪判決および宣告は、容疑者の信頼スコアを増加させる役割を果たし、容疑者の信頼性における贖罪のレベルを反映し得る。
【００８３】
いくつかの実施形態では、トランザクション履歴コンポーネント４１８を備えるトランザクションは、経時的な信頼スコアの増加または減少と関連付けられ得る。例えば、トランザクションが、信頼スコアの初期増加に寄与し得、経時的に、初期増加は、信頼スコアが初期値に戻るまで減衰し得る。同様に、トランザクションが、信頼スコアの初期減少を引き起こし得、経時的に、初期減少は、信頼スコアが初期値に戻るまで減衰し得る。
【００８４】
いくつかの実施形態では、システム、友人、または文脈信頼スコアのうちのいずれか１つはまた、エンティティの地理的場所を考慮する場所コンポーネントを含み得る。例えば、ＧＰＳ座標または企業の住所によって判定されるようなエンドユーザの場所が、信頼スコアの計算に組み込まれ得る。いくつかの実施形態では、友人信頼スコアは、第１のエンティティおよび第２のエンティティの場所を考慮し、適宜、信頼スコアを調節し得る。例えば、第１のユーザおよび第２のユーザが偶然同一の故郷出身である場合、友人信頼スコアは、本共通情報を反映するために増加され得る。いくつかの実施形態では、エンティティの場所は、信頼スコアの自動的増加／減少を提供し得る。例えば、特定の場所が、危険な地区、都市、または地域として把握され得、危険な場所に位置する、またはそれと関連付けられる全てのエンティティの信頼スコアは、本危険を反映するために、自動的に減少され得る。例証的実施例として、公知の交戦地帯に近接する国に旅行するユーザは、その国の見知らぬ人を安心して信頼できない場合がある。ユーザと同一の場所に位置する他人の信頼レベルは、増加された疑念を反映するために、自動的に減少され得る。いくつかの実施形態では、ユーザは、ユーザの周囲に位置する複数の人々にユーザが有する高レベルの友人信頼スコアによって示されるように、その友人と旅行し得る。処理回路は、ユーザが、友情、共通の故郷、仕事の場所、または任意の他の共通情報の明示的なインジケーションを含む、任意の好適な様式で友人によって囲まれていることを判定し得る。ユーザが危険な場所に旅行しているが、友人と旅行している場合、危険な場所と関連付けられる他のエンティティに関する信頼スコアは、依然として減少され得るが、それらは、ユーザが友人と旅行していなかった場合よりも少ない量だけ減少され得る。
【００８５】
いくつかの実施形態では、システム、友人、および／または文脈信頼スコアのいずれかは、エンドユーザの生物学的応答を考慮し得る。例えば、モバイルデバイスは、エンドユーザの１つまたはそれを上回る生物学的応答（例えば、心拍数、呼吸数、脳波、発汗応答等）を監視し得る、携帯電話、スマートウォッチ、心拍数モニタ、および他のウェアラブルモバイルデバイスを含み得る。エンドユーザのこれらの検出された生物学的応答は、場所情報とともに、部分的に、信頼スコアを判定するために使用され得る。例えば、心拍数の増加は、不安のインジケーションであり得、信頼スコアの減少をもたらし得る。心拍数の増加は、ユーザが新しい場所に移動することによって引き起こされ得、その場合では、その場所と関連付けられる信頼スコアは、減少され得る。心拍数の増加は、第１のユーザが第２のユーザと近接近するように移動することによって引き起こされている場合があり、その場合では、第２のユーザに関する友人信頼スコアは、第１のユーザが第２のユーザの周囲で感じている増加された不安を反映するために、減少され得る。
【００８６】
いくつかの実施形態では、システム、友人、および／または文脈信頼スコアのいずれかは、クラウドソーシング情報を考慮し得る。上記に議論されるように、クラウドソーシング情報は、他のエンティティ（すなわち、「群衆」）からエンティティについて提供される情報を指し得る。群衆は、特性（例えば、Ｂｏｂは金融的に責任能力がある）、特徴（例えば、Ｂｏｂの食堂は清潔なレストランである）、他人との関係（例えば、Ｂｏｂは私の友人である）、ユーザ有効化情報（例えば、「それは私です」または「それは私ではありません」）、トランザクション履歴、エンティティに関する重複エントリのインジケーション、または任意の他のタイプの記述的情報を含む、エンティティについての任意のタイプの記述的情報を提供し得る。上記の例証的実施例のいずれかを含む、本クラウドソーシング情報は、本明細書では「属性」として説明され、エンティティと関連付けられ、エンティティのプロフィール上に示され得る。
【００８７】
エンティティは、任意の好適な様式で属性を割り当てられ得る。上記に説明されるように、エンティティは、群衆によって、または別のエンティティによって属性を割り当てられ得る。いくつかの実施形態では、属性は、システム管理者によってエンティティに割り当てられ得る。いくつかの実施形態では、属性は、コンポーネントスコアのいずれか、コンポーネントスコアを計算するために使用されるデータのいずれか、またはシステム、友人、もしくは文脈スコアを含む、任意の数の要因に基づいて、エンティティに自動的に割り当てられ得る。例証的実施例として、ある閾値を上回るシステム信頼スコアを伴うエンティティが、「信頼される」属性を自動的に割り当てられ得、これは、あるコンポーネントスコアおよび／または全体的信頼スコアに乗数を提供し得る。
【００８８】
ユーザインターフェースが、群衆（すなわち、他のエンティティ）が１つまたはそれを上回る属性に対するフィードバックを提供する機会を提供し得る。いくつかの実施形態では、属性は、群衆からフィードバックを受信しない場合がある。例えば、エンティティは、「信頼される」属性に対するフィードバックを残すことが可能ではない場合があり、これは、エンティティの信頼スコアに基づいて、自動的に割り当てられ得る。ユーザインターフェースは、群衆がそのフィードバックを提供することを可能にする、ユーザ選択可能入力を提供し得る。例えば、上記に議論されるように、ユーザインターフェースは、群衆が、彼らが属性に合意するか、または反対するか（およびその合意／反対の大きさ）を示すことを可能にする、賛成／反対アイコン、いいね／やだねアイコン、プラス／マイナスアイコン、肯定／否定アイコン、星ベースのシステム、または数値ベースのシステムを含み得る。いいね／やだねシステム等のバイナリフィードバックシステムでは、本明細書で使用されるような正味属性スコアが、肯定的フィードバックと否定的フィードバックとの間の差異を指し得る。星ベースまたは数値ベースのシステム等の評価ベースのシステムでは、本明細書で使用されるような正味属性スコアは、群衆によって提供される平均評価を指し得る。上記に議論されるように、正味属性スコアは、群衆がエンティティに関する属性に合意する程度に関するインジケーションを提供し得る。
【００８９】
いくつかの実施形態では、エンティティと関連付けられる属性は、１つまたはそれを上回るコンポーネントスコアとして信頼スコアに統合され得る。例えば、正味属性スコアまたは複数のスコアは、システム、友人、または文脈信頼スコアを計算するために、上記に説明されるような他のコンポーネントスコアと組み合わせられる個々のコンポーネントスコアを備え得る。
【００９０】
いくつかの実施形態では、属性は、コンポーネントスコアのうちの１つに関連または対応し得る。そのような実施形態では、コンポーネントスコアは、エンティティが関連属性と関連付けられるという事実に基づいて調節され得る。例えば、エンティティが「信頼される」エンティティであるという事実は、コンポーネントスコアのうちの１つおよび／またはシステム、友人、もしくは文脈信頼スコアのうちの１つを増加させ得る。
【００９１】
コンポーネントスコアは、任意の好適な様式で、属性に基づいて調節され得る。いくつかの実施形態では、属性は、コンポーネントスコアおよび／またはシステム、友人、もしくは文脈信頼スコアのうちの１つを、事前判定された量だけ増加させ得る。いくつかの実施形態では、属性は、乗数がコンポーネントスコアおよび／またはシステム、友人、もしくは文脈信頼スコアのうちの１つに適用されるようにし得る。いくつかの実施形態では、調節は、最大許容可能調節によって、または閾値コンポーネントスコアによって限定され得る。例えば、任意の１つのコンポーネントスコアの調節は、最大コンポーネントスコアのあるパーセンテージ（１０％等）に限定され得る。コンポーネントスコア自体もまた、これが超えることができない閾値スコアを有し得る。例えば、裁判所履歴コンポーネントスコアは、属性に基づいて成され得る任意の調節にかかわらず、１００ポイントに限定され得る。
【００９２】
いくつかの実施形態では、調節は、正味属性スコアに基づき得る。例えば、肯定的属性は、これが群衆からより多くの「いいね」を受信するにつれて、関連コンポーネントを増加させ得る。いくつかの実施形態では、調節は、同一の属性を伴う他のエンティティによって受信されるいいねの数に基づいて、正規化され得る。例えば、処理回路は、同一の属性を伴う群衆のエンティティのサブセットを識別し、エンティティのサブセットに関する正味属性スコアの平均および／または分布を計算し得る。いくつかの実施形態では、処理回路は、エンティティのサブセットの正味属性スコアに関するガウス分布を推定し得る。ガウス分布を仮定することによって、処理回路は、エンティティの正味属性スコアのパーセンタイルを判定し得る。パーセンタイルは、属性によって引き起こされる調節の大きさを判定し得る。例えば、属性「学生」を伴うエンティティの全てに関して、平均正味属性スコアは、１００の標準偏差を伴う２００であり得る。エンティティが５００の正味属性スコアを有する場合、それは、それらが平均よりも３標準偏差高い、または０．１パーセンタイル内にあることを示し得る。属性「学生」を伴う他のエンティティと比較して、そのような高正味属性スコアによって引き起こされる調節は、比較的に高くあり得る。
【００９３】
いくつかの実施形態では、属性および／または最大もしくは閾値調節レベルに基づく調節は、システム管理者によって判定され得る。そのような限度は、属性が事前判定された量を上回るコンポーネントスコアおよび／または信頼スコアに影響を及ぼさないように防止し得る。そのような実施形態では、コンポーネントスコアは、上記に説明されるように、データソースから受信された関連データに基づいて計算され得、属性は、コンポーネントスコアへの比較的に小さい調節を提供し得る。いくつかの実施形態では、表または分布等のそのような調節を示すデータは、ローカルまたは遠隔データベース内に記憶され得る。
【００９４】
いくつかの実施形態では、システム、友人、および／または文脈信頼スコアのいずれかは、信頼調節スコアに基づいて調節され得る。上記に議論されるように、信頼調節スコアは、他人を信頼するエンティティの性向の表現としての役割を果たし得る。信頼調節スコアは、別のエンティティに関する信頼スコアと組み合わせられ得、したがって、エンティティは、部分的に、要求エンティティの独自の信頼モデルに基づいて、別のエンティティに関する個人化された信頼スコアを受信する。このように、より信頼できるエンティティは、そのアカウントまたはデバイスに、別のエンティティに関する改良された信頼スコアのインジケーションを受信し得、これは、その信頼モデルと整合するであろう。より信頼できないエンティティは、平均して、非常に信頼できる誰かよりも悪い、他のエンティティに関する信頼スコアを受信し得る。非常に信頼できる誰かは、より悪い信頼スコアを見る可能性がより低いであろうため、これは、受信された信頼スコアのユーザ毎にさらなる個人化を可能にし得る。「より大きい」信頼スコアが、典型的には、より信頼できるエンティティを表すように示され、より高い信頼調節スコアが、典型的には、より信頼できるエンティティを表すように示されるが、当業者は、より低いスコアがより信頼できるエンティティを表し、より低い信頼調節スコアがより信頼できるエンティティを表す信頼スコアシステムを想像し得る。
【００９５】
本システムは、本明細書では「要求エンティティ」と称される、別のエンティティに関する信頼スコアを要求するエンティティに関する信頼調節スコアを計算し得る。本計算は、遠隔ソース、ローカルソース、または複数の遠隔もしくはローカルソースもしくはそれらの組み合わせからのデータを考慮することができる。本データは、上記に説明されるように、ネットワークコネクティビティ情報、ソーシャルネットワーク情報、クレジットスコア、利用可能な裁判所データ、オプトイン提供データ、トランザクション履歴、評価／フィードバックデータ、グループ／人口統計データ、検索エンジンデータ、または任意の公的に利用可能な情報およびある非公的に利用可能な情報のいずれかであり得る。本データは、要求エンティティについての情報、要求エンティティと同一のネットワーク内の他のエンティティについての情報、もしくはエンティティの任意のサブセットについての情報、または全てのエンティティについての情報を含み得る。信頼調節スコアは、他の類似するエンティティのアクティビティ、要求エンティティが低分離度を有するエンティティのアクティビティ、もしくはエンティティの任意の他のサブセットのアクティビティ、または全てのエンティティのアクティビティに基づいて、正規化され得る。例えば、処理回路は、要求エンティティから１エッジ離れているエンティティのサブセットを識別し、例えば、そのエンティティのサブセットによって実施されるあるアクティビティの平均および／または分布を計算し得る。処理回路は、ガウス分布を推定し得る、または任意の他の適切な分布モデルを推定し得る。例えば、処理回路は、エンティティのサブセットが、１日２回の標準偏差を伴って、平均して１日５回ソーシャルメディア上で個人情報を共有することを判定し得る。処理回路は、要求エンティティが、１日８回ソーシャルメディア上で個人情報を共有するインジケーションを受信し得、要求エンティティに関する信頼調節スコアは、上昇し得る。異なるデータが、信頼調節スコアを判定する際に異なる加重を与えられ得、いくつかの実施形態では、その加重は、要求ユーザと第２のユーザとの間で実施されるべきアクティビティのインジケーションに基づいて、変更され得る。
【００９６】
さらに、ソーシャルネットワーク情報が読み出されたデータの一部である実施形態では、キーワード検索が、要求エンティティによって共有される情報を分析するために使用され得る。本キーワード検索は、自然言語処理によってソーシャルメディア上の投稿を分析し得る。いくつかの実施形態では、キーワード検索は、「信頼できるキーワード」を含むデータベースを検索し得る。投稿がそれらの信頼できるキーワードのうちの１つを含む場合、投稿は、「信頼できる」投稿として示され得る。これらの「信頼できる」投稿の数は、信頼調節スコアを計算する際に使用され得る。例証的実施例として、キーワード検索がソーシャルメディア投稿に対して実施されるが、本タイプのテキスト分析は、要求エンティティによって共有される任意の情報に対して使用され得る。さらに、他の形態の自然言語処理が、ソーシャルメディア投稿がユーザが「信頼できる」ことを示すかどうかを判定し、そのような方法で、要求エンティティに関する信頼調節スコアに影響を及ぼすために使用され得る。
【００９７】
いくつかの実施形態では、受信されたデータは、要求エンティティが信頼できると彼らが考える程度に関するエンティティまたは複数のエンティティの評価（または群衆からのフィードバック）を含み得る。例えば、ユーザインターフェースは、群衆（すなわち、他のエンティティ）が、要求エンティティが信頼できると彼らが考える程度に対するフィードバックを提供する機会を提供し得る。ユーザインターフェースは、群衆がそのフィードバックを提供することを可能にする、ユーザ選択可能入力を提供し得る。例えば、上記に議論されるように、ユーザインターフェースは、賛成／反対アイコン、いいね／やだねアイコン、プラス／マイナスアイコン、肯定／否定アイコン、星ベースのシステムを含み得、これらのバイナリシステムは、エンティティが信頼できるか、または信頼できないかを示すために使用され得、肯定的および否定的フィードバック間の差異が、使用され得る。ユーザインターフェースはまた、群衆が、彼らが属性に合意するか、または反対するか（およびその合意／反対の大きさ）を示すことを可能にする、数値ベースのシステムを含み得る。要求エンティティが信頼できる程度の群衆インジケーションは、信頼調節スコアへのその寄与を判定するときに加重を与えられ得ることに留意されたい。これは、上記に議論され、下記により詳細に議論されるように、ユーザに割り当てられる属性の実施例であり得る。
【００９８】
上記に議論されるように、種々の属性が、ユーザに割り当てられ得、これは、その信頼調節スコアに影響を及ぼし得る。エンティティは、任意の好適な様式で属性を割り当てられ得る。上記に説明されるように、エンティティは、群衆によって、または別のエンティティによって属性を割り当てられ得る。いくつかの実施形態では、属性は、システム管理者によってエンティティに割り当てられ得る。いくつかの実施形態では、属性は、信頼コンポーネントスコアのいずれか、コンポーネントスコアを計算するために使用されるデータのいずれか、または信頼調節スコアを含む、任意の数の要因に基づいて、エンティティに自動的に割り当てられ得る。
【００９９】
いくつかの実施形態では、エンティティと関連付けられる属性は、１つまたはそれを上回る信頼コンポーネントスコアとして信頼調節スコアに統合され得る。例えば、正味属性スコアまたは複数のスコアは、信頼調節スコアを計算するために、上記に説明されるような他の信頼コンポーネントスコアと組み合わせられる個々の信頼コンポーネントスコアを備え得る。
【０１００】
いくつかの実施形態では、属性は、信頼コンポーネントスコアのうちの１つに関連または対応し得る。そのような実施形態では、信頼コンポーネントスコアは、エンティティが関連属性と関連付けられるという事実に基づいて調節され得る。例えば、エンティティが「信頼できる」エンティティであるという事実は、信頼コンポーネントスコアおよび／または信頼調節スコアのうちの１つを増加させ得る。
【０１０１】
いくつかの実施形態では、群衆は、上記に説明されるような様式で、種々の属性に対するフィードバックを提供する機会を与えられ得る。このように、群衆は、要求エンティティに関する信頼コンポーネントスコアおよび／または信頼調節スコアに対して影響を及ぼし得る。
【０１０２】
上記に議論されるように、いくつかの実施形態では、信頼調節スコアは、第２のエンティティに関する更新された信頼スコアをもたらすために、第２のエンティティに関するベースライン信頼スコアと組み合わせられ得る。いくつかの実施形態では、本組み合わせは、加重和であり得、加重は、処理回路によって事前判定され得る、トランザクションタイプに基づいて変動し得る、または要求エンティティと関連付けられるユーザによって入力され得る。本方法は、設定された量だけ全てのスコアを上に偏移させるために使用されることができる。いくつかの実施形態では、信頼調節スコアは、第２のエンティティに関するベースライン信頼スコアで乗算され得る。当業者は、信頼調節スコアおよびベースライン信頼スコアが、除算、減算、二項関数、または信頼調節スコアおよびベースライン信頼スコアの任意の他の関数等の他の方法によって組み合わせられ得ることを理解するであろう。
【０１０３】
ある実施形態では、処理回路は、後の計算で使用するために信頼調節スコアを記憶し得る。これは、処理回路上、別のローカル記憶デバイス内、要求エンティティと関連付けられるユーザアカウント上、または遠隔サーバ上に記憶され得る。いくつかの実施形態では、これは、ユーザと関連付けられるプロフィール上に記憶され得る。信頼調節スコアは、具体的エンティティに一意であり、該スコアの計算は、コンピュータ集約的であり得るため、信頼調節スコアを記憶することは、有利であり得る。これは、次いで、後で受信されたデータによって更新され得、これは、上記に説明されるものと同一または類似するソースからのものであり得る。これは、要求エンティティが別のエンティティの信頼スコアを求めるいくつかまたは全ての時点で、事前判定された時間間隔において、ユーザの要求において、新しいデータが受信される任意の時間に、ユーザがユーザインターフェース／アプリケーションを使用していないとき、ユーザがそのアカウントを使用していないとき、または可変時間間隔において更新され得る。
【０１０４】
いくつかの実施形態では、信頼調節スコアは、第２のエンティティによって実施されるべきアクティビティに応じて更新され得る。例えば、要求エンティティは、例えば、ユーザインターフェースを使用して、第２のエンティティが従事しているトランザクションのタイプを示し得る。これは、次いで、トランザクションへのその関連度に応じて、遠隔ソースから受信されたデータのいくつかをより高く、またはより低く加重し得る。例証的実施例として、要求エンティティが、これが第２のエンティティに融資を与えることを所望することを示す場合、要求エンティティの以前の融資についてのデータが、例えば、要求エンティティのソーシャルメディア使用についてのデータよりも多く加重を与えられるであろう。要求エンティティのクレジットカード使用等の他の金融トランザクションについてのデータは、要求エンティティのソーシャルメディア使用についてのデータよりも多く加重され得るが、要求エンティティの以前の融資についてのデータよりも少なく加重され得る。
【０１０５】
例証的実施例に関して、信頼調節スコアが、第２のエンティティに関するベースライン信頼スコアから独立して計算され、次いで、ベースライン信頼スコアを調節するように作用することが提示されているが、当業者は、信頼調節スコアが第２のエンティティに関する信頼スコアの初期計算に含まれ得ることを理解するであろう。さらに、当業者は、信頼調節スコアを計算する際に使用される概念が、要求エンティティが信頼できる程度に関する独立した「スコア」を判定することなく、第２のエンティティに関する信頼スコアの初期計算において使用され得ることを理解するであろう。
【０１０６】
いくつかの実施形態では、調節された信頼スコアのインジケーションの伝送は、信頼調節スコアについての情報と、これがベースラインまたは調節されていない信頼スコアとは対照的に調節された信頼スコアであるインジケーションとを含み得る。ユーザインターフェースは、調節された信頼スコアが、ポップアップ、特殊なシンボル、または他の視覚インジケーションの生成によって調節されていることを示し得る、またはこれは、単純に、これがベースライン信頼スコアを報告するであろう方法と類似する様式で調節された信頼スコアを報告し得る。
【０１０７】
一側面によると、リスクスコアが、第１のエンティティに関して計算され得る。上記に議論されるように、リスクスコアは、リスクのある挙動に従事する第１のエンティティの性向の表現であり得る、または第１のエンティティのリスク回避度を表し得る。上記にさらに議論されるように、処理回路は、遠隔ソースからデータを受信し、受信されたデータを使用し、第１のエンティティに関するリスクスコアを判定し得、データは、分析され、分析されたデータは、第１のエンティティに関するリスクスコアを判定するように数学的に組み合わせられる。
【０１０８】
ある実施形態では、リスクスコアは、第１のエンティティが特定の役割に関して適切な程度を判定するために使用され得、雇用決定を行うために使用され得る。例えば、第１のエンティティが、小学校教員としての仕事に応募している人物である場合、雇用委員会は、彼らがリスクのある挙動に従事する可能性がより低い人を雇用することを所望し得るため、第１のエンティティに関するリスクスコアを把握することを所望し得る。別の例証的実施例として、民兵または軍隊は、例えば、スカイダイビング、オートバイ運転免許を保持すること、ロッククライミング等を通して、その身体をリスクに晒す、あるエリアにおけるリスクのある挙動に従事するが、アルコールの大量飲酒等のリスクのある挙動に従事しない性向を有する人のみを採用することを所望し得、これは、その人物が、その仲間の新兵または軍人を保護するために自身を危険地帯に晒す一方、また、勤務している間に酔うことを回避する可能性がより高いインジケーションであり得るためである。したがって、民兵または軍隊は、ある閾値リスクスコアを上回るリスクスコアを有する、または関連コンポーネント閾値を上回るリスクスコアのあるコンポーネントを有する一方、他のコンポーネントが関連コンポーネント閾値を下回る人のみを所望し得る。他の実施形態では、ユーザは、第１のエンティティが、おそらく、あるエリアではあるリスクのない挙動に従事し、他のエリアではよりリスクのある挙動に従事することによって、良好な仲間を作るであろうかどうかを判定するために、第１のエンティティのリスクスコアを把握することを所望し得る。当業者が認識し得るように、仲間内の異なる選好に基づいて、ある人は、例えば、（あるソーシャルネットワーキングサイトにおけるメンバーシップ、ある健康関連情報、通信等を含む、種々のデータソースによって潜在的に示されるような）リスクのある性的挙動およびリスクのない金融挙動を伴う仲間を好み得る一方、他の人は、例えば、リスクのある金融挙動およびリスクのない性的挙動を伴う仲間を好み得る。
【０１０９】
いくつかの実施形態では、処理回路は、リスクスコアに基づいて決定を行うために使用され得、上記の実施例では、雇用決定を行うために使用され得る。いくつかの実施形態では、処理回路は、該決定を行うために、第１のエンティティに関するリスクスコアならびにシステム、友人、および／または文脈信頼スコアのいずれかの両方を同時に使用し得る。ユーザは、該決定を行う際、リスクスコアのみ、信頼スコアのみ、またはリスクスコアおよび信頼スコアの両方を使用する意見を与えられ得る。例えば、上記に与えられる民兵または軍隊の実施例に関してさらに、民兵または軍隊は、ある閾値信頼スコアを上回るものを有し、ある閾値リスクスコアを上回るものを有するそれらの人物のみを採用することを所望し得る。処理回路は、候補者のうちの誰がその閾値スコアを上回るものを有するかを判定し得、本データを使用して、候補者のうちの誰が軍隊または民兵における職に対して適格であろうかを判定し得る。決定を行う際に信頼スコアおよびリスクスコアの両方を使用する際、ユーザは、行われる決定をより狭く調整することができる。例えば、ユーザは、ある閾値を上回るリスクスコアを伴うエンティティを要求し得、ユーザは、リスクのある挙動に従事する犯罪者およびリスク挙動に従事する兵士の両方を含む結果を受信し得る。別の例証的実施例として、ユーザは、高信頼スコアのみを伴うユーザを要求し得、小学校教員および兵士の両方を含む結果を受信し得る。上記に議論されるように、リスクスコアおよび信頼スコアの両方に関する閾値スコアを示す際、ユーザは、例えば、兵士のみを含む結果を受信し得る。信頼スコアに関する閾値スコアおよびリスクスコアに関する閾値スコアが上記に使用されるが、これは、単に、例証的実施例である。別の例証的実施例として、２つのスコアは、単一の合成スコアを作成するために組み合わせられ得る。スコアは、加重和において組み合わせられ得る、スコアは、ともに乗算され得る、またはそれらは、任意の他の好適な関数において組み合わせられ得る。例証的実施例として、ユーザは、第１のエンティティに関する信頼およびリスクスコアに基づいて決定を行うために処理回路を使用するとき、第１のエンティティに関する２つのスコアの和がある閾値を上回ることを要求し得る。
【０１１０】
いくつかの実施形態では、第１のエンティティのリスクスコアを判定する際に使用される受信されたデータは、ネットワークコネクティビティ情報、ソーシャルネットワークデータ、金融トランザクションデータ、以前の信頼スコア検索データ、クレジットスコア、利用可能な裁判所データ、オプトイン提供データ、トランザクション履歴、評価／フィードバックデータ、グループ／人口統計データ、検索エンジンデータ、もしくは任意の公的に利用可能な情報およびある非公的に利用可能な情報、または第１のエンティティがリスク回避型である程度のインジケーションとして使用され得る任意の好適なデータもしくはそれらの任意の組み合わせを備え得る。本データは、ソーシャルメディアネットワーク、政党メンバーシップ、宗教団体メンバーシップ、評価機関、信用情報機関、消費者苦情、犯罪履歴、法的記録、メディア検索エンジン結果、公文書発行者、電子メールサービス、データシンジケータ、住所データベース、輸送乗客リスト、ギャンブルデータベース、企業名簿、病院所属、大学所属、融資および／もしくは借り手データベース、データ交換、ブログ、死亡記事、消費者データベース、ビデオメタデータ、オーディオメタデータ、画像メタデータ、有権者登録リスト、オンラインもしくはオフライン出会い系サイト情報、オンラインもしくはオフライン株主登録簿、企業の規制申請書類、登録された性犯罪者リスト、Ｄｏ  Ｎｏｔ  Ｆｌｙもしくは類似する国土安全保障ウォッチリスト、調書、電子メールデータベース、オンラインもしくはオフラインｃ．ｖ．リスト／データベース、もしくは従業員リスト、または任意の他の好適なソースもしくはそれらの組み合わせを含む、種々のソースから受信され得る。遠隔ソースが議論されているが、処理回路は、遠隔ソース、ローカルソース、複数の遠隔ソース、もしくは複数のローカルソース、またはそれらの任意の組み合わせからデータを受信し得ることが、当業者によって理解されるであろう。リスクスコアは、第１のエンティティと類似する他のエンティティのアクティビティ、第１のエンティティが低分離度を有するエンティティのアクティビティ、もしくはエンティティの任意の他のサブセットのアクティビティ、または全てのエンティティのアクティビティに基づいて、正規化され得る。例えば、処理回路は、第１のエンティティから１エッジ離れているエンティティのサブセットを識別し、例えば、そのエンティティのサブセットによって実施されるあるアクティビティの平均および／または分布を計算し得る。処理回路は、ガウス分布を推定し得る、または任意の他の適切な分布モデルを推定し得る。例えば、処理回路は、エンティティのサブセットが、その人生で３回の標準偏差を伴って、平均してその人生で５回スカイダイビングに行ったことを判定し得る。処理回路は、第１のエンティティがその人生で１回スカイダイビングに行ったことを判定し得、第１のエンティティに関するリスクスコアは、低下され得る。
【０１１１】
いくつかの実施形態では、受信されたデータは、第１のエンティティがリスクのある挙動に従事する可能性があると彼らが考える程度に関するエンティティまたは複数のエンティティの評価（または群衆からのフィードバック）を含み得る。例えば、ユーザインターフェースは、群衆（すなわち、他のエンティティ）が、要求エンティティがリスク回避型であると彼らが考える程度に対するフィードバックを提供する機会を提供し得る。ユーザインターフェースは、上記に議論されるように、群衆がそのフィードバックを提供することを可能にする、ユーザ選択可能入力を提供し得る。
【０１１２】
上記に議論されるように、種々の属性が、ユーザに割り当てられ得、これは、そのリスクに影響を及ぼし得る。エンティティは、任意の好適な様式で属性を割り当てられ得る。上記に説明されるように、エンティティは、群衆によって、または別のエンティティによって属性を割り当てられ得る。いくつかの実施形態では、属性は、システム管理者によってエンティティに割り当てられ得る。いくつかの実施形態では、属性は、リスクスコアを計算する際に使用されるデータのいずれかを含む、任意の数の要因に基づいて、エンティティに自動的に割り当てられ得る。いくつかの実施形態では、エンティティと関連付けられる属性は、１つまたはそれを上回るリスクコンポーネントスコアとしてリスクスコアに統合され得る。例えば、正味属性スコアまたは複数のスコアは、信頼調節スコアを計算するために、上記に説明されるような他のリスクコンポーネントスコアと組み合わせられる個々のリスクコンポーネントスコアを備え得る。属性は、リスクコンポーネントスコアのうちの１つに関連または対応し得る。いくつかの実施形態では、群衆は、上記に説明されるような様式で、種々の属性に対するフィードバックを提供する機会を与えられ得る。このように、群衆は、要求エンティティに関するリスクコンポーネントスコアおよび／またはリスクスコアに対して影響を及ぼし得る。
【０１１３】
いくつかの実施形態では、処理回路は、第１のエンティティによって実施されるべきアクティビティのインジケーションを受信し、次いで、アクティビティのインジケーションに基づいて、リスクスコアを更新し得る。本更新されたリスクスコアは、上記に説明される状況において使用され得る。例えば、小学校における雇用委員会が第１のエンティティを雇用しようとする上記に説明される状況では、それらは、第１のエンティティによって実施されるべきアクティビティが子供を教えることであることを示し得る。これは、第１のエンティティのリスクスコアに影響を及ぼし得る。例えば、第１のエンティティが、数回バンジージャンプに参加したことがある場合、これは、高リスクスコアを有し得る。しかしながら、受信されたデータは、第１のエンティティが一度も子供を無監督状態にしたことがないことを示し得る。雇用委員会が、第１のエンティティによって実施されるべきアクティビティが子供を教えることであることを示す場合、子供を教えることに関する第１のエンティティに関する報告されたリスクスコアは、示されたアクティビティを考慮しないそのリスクスコアと比較したとき、より低くあり得る。これは、第１のエンティティおよびリスクスコアが求められる文脈に関して、より調整されたリスクスコア評価を可能にする。
【０１１４】
図５は、本開示のある実施形態による、信頼スコアを構成するコンポーネント５０４−５１８の加重組み合わせ５０２の図５００である。信頼スコアは、コンポーネント５０４−５１８よりも多い、または少ないコンポーネントを備え得、コンポーネント５０４−５１８は、例証のみを目的として提供されることを理解されたい。加重組み合わせ５０２は、データ照合コンポーネント５０４と、ネットワークコネクティビティコンポーネント５０６と、クレジットスコアコンポーネント５０８と、裁判所データコンポーネント５１０と、評価／フィードバックデータコンポーネント５１２と、グループ／人口統計コンポーネント５１４と、検索エンジンマイニングコンポーネント５１６と、トランザクション履歴コンポーネント５１８とを備える。コンポーネント５０４−５１８は、それぞれ、図４に描写されるデータ照合コンポーネント４０４、ネットワークコネクティビティコンポーネント４０６、クレジットスコアコンポーネント４０８、裁判所データコンポーネント４１０、評価／フィードバックデータコンポーネント４１２、グループ／人口統計コンポーネント４１４、検索エンジンマイニングコンポーネント４１６、およびトランザクション履歴コンポーネント４１８に対応し得る。図５に描写される例証的実施例に示されるように、コンポーネント５０４−５１８は、以下の加重によるデフォルト加重を使用して組み合わせられ得る。
データ照合−５％
ネットワークコネクティビティ−２０％
クレジットスコア−１５％
裁判所データ−１０％
評価／フィードバックデータ−２０％
グループ／人口統計−５％
検索エンジンマイニング−５％
トランザクション履歴−２０％
【０１１５】
コンポーネント５０４−５１８は、加重和を使用する上記の加重を使用して組み合わせられ得る。例えば、コンポーネント５０４−５１８はそれぞれ、数値コンポーネントスコアと関連付けられ得る。加重和５０２は、以下のように計算され得る。
【化１】
2019517084.tif 000003
【０１１６】
式中、ｗｉは、上記のデフォルト加重によって当てられるような加重であり、Ｃｉは、コンポーネントスコアである。
【０１１７】
いくつかの実施形態では、デフォルト加重は、ユーザ規定値に従って調節され得る。例えば、上記に議論されるように、ネットワークコネクティビティをより気にかけるユーザは、ネットワークコネクティビティコンポーネント５０６に関する加重を増加させ得、金融責任能力をあまり気にかけないユーザは、クレジットスコアコンポーネント５０８を減少させるように選定し得る。これらのデフォルト加重は、具体的エンティティ毎に保存され、ユーザが信頼スコアを要求する度に読み出され得る。いくつかの実施形態では、上記のデフォルト加重は、友人信頼スコアまたは文脈信頼スコアを反映するために、例えば、アプリケーション１０２によって自動的に調節され得る。例えば、アプリケーション１０２は、第１および第２のエンティティが金融トランザクションに従事していることを検出し得、クレジットスコアコンポーネント５０８に関する加重を自動的に調節し、本コンポーネントの重要性をアクティビティのタイプに反映し得る。これらの加重は、個々のエンティティおよび／または具体的トランザクションタイプに関して保存され得る。したがって、ユーザは、デフォルト加重よりも関連する様式で要因を加重する文脈信頼スコアを提供され得る。
【０１１８】
いくつかの実施形態では、システム信頼スコア、友人信頼スコア、および文脈信頼スコアのうちの少なくとも１つは、平均値および信頼帯によって表され得る。信頼帯は、計算された信頼スコアにおける統計的分散を表し得る。例えば、コンポーネントスコアはそれぞれ、データソースが信頼できる程度に基づいて、平均スコアμおよび標準偏差σと関連付けられ得る。コンポーネントスコア毎の平均および標準偏差は、適宜、組み合わせられ得る。当業者によって理解されるであろうように、合計コンポーネントスコアの平均値は、各コンポーネントスコアの平均値の和によって表され得る。２つのコンポーネントスコアの分散は、ともに、以下の方程式を使用して組み合わせられ得る。
Ｖ（Ａ＋Ｂ）＝Ｖ（Ａ）＋Ｖ（Ｂ）＋２×Ｃｏｖａｒ（Ａ，Ｂ）
【０１１９】
式中、Ｖ（Ａ）は、コンポーネントＡの分散（すなわち、標準偏差の二乗）であり、Ｖ（Ｂ）は、コンポーネントＢの分散であり、Ｃｏｖａｒ（Ａ，Ｂ）は、コンポーネントＡおよびＢの共分散である。
【０１２０】
図６は、本開示のある実施形態による、要求ユーザに信頼スコアインターフェース６００を表示するグラフィカルユーザインターフェースである。信頼スコアインターフェース６００は、アイコン６０２と、初期スコア６０４と、トランザクションセレクタ６０６と、トランザクション詳細フィールド６０８と、付加的トランザクションボタン６１０と、改訂スコアアイコン６１２と、第１のプロファイルスコア６１４と、第２のプロファイルスコア６１６と、計算ボタン６１８とを含む。信頼スコアインターフェース６００が、モバイルデバイスディスプレイスクリーンの文脈において図６に描写されるが、信頼スコアインターフェース６００は、任意の好適なディスプレイデバイス上での表示のために生成され得ることを理解されたい。
【０１２１】
アイコン６０２および初期スコア６０４は、標的エンティティの第１の信頼スコアをグラフで表し得る。アイコン６０２が、笑顔マークとして描写されるが、任意の好適なグラフ表現が、標的エンティティの相対的信頼レベルを表すために利用され得ることを理解されたい。いくつかの実施形態では、初期スコア６０４は、加重のデフォルトセットを使用して計算された、標的エンティティに関するシステム信頼スコアであり得る。他の実施形態では、初期スコア６０４は、モバイルアプリのユーザに関連して計算された友人信頼スコアであり得る。例えば、初期スコア６０４は、要求ユーザおよび標的ユーザの相互の友人を考慮する信頼レベルを表し得る。
【０１２２】
要求ユーザは、標的ユーザとともに実施されるべきアクティビティ／トランザクションを示すために、トランザクションセレクタ６０６を使用し得る。いくつかの実施形態では、トランザクションセレクタ６０６は、随意であり得、いかなるトランザクションも、改訂スコアを計算するために必要とされない。トランザクションセレクタ６０６が、ドロップダウンボックスとして描写されるが、任意の好適な入力方法（例えば、テキスト入力ボックス、ラジオボタン等）が、要求ユーザからアクティビティ／トランザクションのインジケーションを受信するために利用され得る。アクティビティ／トランザクションが選択された後、トランザクション詳細フィールド６０８は、さらなる詳細または意見を提供し得る。例えば、要求ユーザが、標的エンティティが融資を要求することを所望することを示す場合、トランザクション詳細フィールド６０８は、融資の額を示すためのフィールドを含み得る。このように、コンポーネントの異なる加重が、１００，０００ドルの融資とは対照的に、１０ドルの融資に対して使用され得る。要求ユーザは、付加的トランザクションボタン６１０を使用して、付加的トランザクションを追加し得る。複数のトランザクションが示される場合では、複数のトランザクションに関する加重が、平均化され得る。
【０１２３】
改訂スコアアイコン６１２は、トランザクションセレクタ６０６およびトランザクション詳細フィールド６０８に入力された情報に基づいて計算される、改訂された信頼スコアを示し得る。いくつかの実施形態では、改訂スコアアイコン６１２は、例えば、トランザクションがトランザクションセレクタ６０６において選択されないとき、友人信頼スコアを反映し得る。他の実施形態では、改訂スコアアイコン６１２は、トランザクションセレクタ６０６およびトランザクション詳細フィールド６０８において示されるアクティビティ／トランザクションおよびトランザクション詳細に基づいて計算される、文脈信頼スコアを反映し得る。改訂スコアアイコン６１２は、アイコン６０２と同様に、改訂された信頼スコアのグラフ表現を含み得る。図６に描写される例証的実施例では、改訂アイコン６１２は、６７３の比較的に高い改訂スコアを表すために、笑顔マークを含む。要求ユーザは、計算ボタン６１８を使用して、計算を要求し得る．
【０１２４】
第１のプロファイルスコア６１４および第２のプロファイルスコア６１６は、要求ユーザに関するシステム信頼スコア、友人信頼スコア、および／または文脈信頼スコアのうちの１つもしくはそれを上回るものを示し得る。アイコン６０２およびアイコン６１２のように、第１のプロファイルスコア６１４および第２のプロファイルスコア６１６は、個別の信頼スコアの、笑顔マーク等のグラフ表現を含み得る。
【０１２５】
図７は、本開示のある実施形態による、別の信頼スコアインターフェース７００を表示するグラフィカルユーザインターフェースである。信頼スコアインターフェース７００は、加重プロファイルセレクタ７０２と、加重詳細フィールド７０４と、加重セレクタ７０６と、第１のプロファイルスコア７０８と、第２のプロファイルセレクタ７１０と、加重更新ボタン７１２とを含む。
【０１２６】
図５に関連して上記に議論されるように、ユーザは、加重をユーザ規定値に調節し得る。これらのユーザ規定加重は、加重プロファイルセレクタ７０２において選択され得るプロファイルとして保存され得る。加重詳細フィールド７０４は、選択された加重プロファイルに対応する、種々のコンポーネントの加重値等の詳細を反映し得る。ユーザはさらに、加重セレクタ７０６を使用して、加重を調節し得る。加重プロファイルセレクタ７０４および加重セレクタ７０６が、ドロップダウンメニューとして図７に描写されるが、限定ではないが、テキスト入力ボックスおよび／またはラジオボタンを含む、任意の好適なセレクタが、利用され得る。要求ユーザは、加重更新ボタン７１２を選択することによって、規定された加重を用いて加重プロファイルを更新し得る。
【０１２７】
いくつかの実施形態では、加重プロファイルは、例えば、図１に描写されるデータストア１１０内に記憶され得る。これらの加重プロファイルは、特定のトランザクションタイプに特有のデフォルト加重プロファイルを開発するための基準を形成し得る。具体的トランザクションタイプに関するこれらのデフォルト加重プロファイルは、他のユーザに示唆され得、本システムは、処理回路を使用して、ユーザが加重プロファイルを調節している程度を監視し、他のユーザに関するデフォルト加重プロファイルを自動的に再調節するために、ＡＩ／機械学習技法を使用し得る。そうすることによって、本システムは、それらがその加重プロファイルを手動で調節する必要がないであろうため、エンドユーザのために応答時間および利便性を改良し得る。
【０１２８】
いくつかの実施形態では、ユーザは、全ての他のユーザに適用され得る初期またはベース信頼スコア要因を示し得る。システム信頼スコア、友人信頼スコア、および文脈信頼スコアのうちの少なくとも１つが、次いで、ユーザが示した初期またはベース信頼スコアへの更新として計算され得る。例えば、図４と関連して議論されるコンポーネントはそれぞれ、示される初期またはベース信頼スコアの増加または減少をもたらし得る。いくつかの実施形態では、初期またはベース信頼スコアは、他のエンティティに対するその一般的信頼レベルを判定するために、アンケートまたは一連のアンケートをユーザに提示することによって判定され得る。いくつかの実施形態では、ユーザは、異なるエンティティに関する異なる初期またはベース信頼スコアを規定し得る。
【０１２９】
第１のプロファイルスコア７０８および第２のプロファイルスコア７１０は、図６に描写される第１のプロファイルスコア６１４および第２のプロファイルスコア６１６と実質的に類似し得、要求ユーザに関するシステム信頼スコア、友人信頼スコア、および／または文脈信頼スコアのうちの１つもしくはそれを上回るものを示し得る。
【０１３０】
図８は、本開示のある実施形態による、あるメトリックに基づいてコンポーネントスコアを割り当てるための段階的スケールを示す表８００である。表８００は、一例証的実施例であるが、測定されたメトリック８０２に基づいて、コンポーネントスコアまたはサブコンポーネントスコアを判定するための実施例を描写する。図８に描写される例証的実施例は、測定可能なメトリックとして、ソーシャルネットワークにおける友人の数を使用する。メトリック８０２に基づいて、コンポーネントスコア８０４および８０６が、段階的スケールに従って割り当てられ得る。図８に描写される実施例では、コンポーネントスコア８０４は、１，０００のうちのある数値スコアとして描写され、コンポーネントスコア８０６は、１００％のうちのあるパーセンテージとして描写される。コンポーネントスコアを描写するための任意の好適な方法が、使用され得ることを理解されたい。例えば、コンポーネントスコアは、離散カテゴリ（例えば、「非常に悪い」、「悪い」、「並」、「良い」、および「非常に良い」）によって表され得る。さらに、図８に描写される段階的スケールが、５つのステップのみを示すが、段階的スケールは、任意の好適な数のステップまたはカテゴリに分割され得る。
【０１３１】
図８に描写される段階的スケールによると、ネットワークコンポーネントスコア（例えば、図４のネットワークコネクティビティスコア４０６）は、標的エンティティが有する友人の数に基づいて割り当てられ得る。例えば、標的エンティティが３０６人の友人を有する場合、ネットワークコンポーネントスコアは、６００であり得る。いくつかの実施形態では、ネットワークコンポーネントスコアは、２つまたはそれを上回るサブコンポーネントスコアの組み合わせを備え得、各サブコンポーネントスコアは、表８００と類似する段階スケールに基づいて判定される。いくつかの実施形態では、サブコンポーネントスコアはまた、図９に関連して下記に議論される方法に基づいて判定され得る。いくつかの実施形態では、サブコンポーネントスコアは、平均または加重平均を使用して組み合わせられ得る。例えば、ネットワークコンポーネントスコアは、友人の数および標的ユーザがその投稿上で受信した「いいね」の数を組み合わせ得る。ネットワークコンポーネントスコアは、友人の数が潜在的ネットワークコンポーネントスコアの７００／１，０００を構成し、「いいね」の数が潜在的ネットワークコンポーネントスコアの３００／１，０００を構成するように加重され得る。
【０１３２】
メトリック８０２および段階的スケールのステップは、図１に描写されるアプリケーションサーバ１０６等のサーバによって判定され得る。例えば、信頼アプリのプロバイダは、その専用アルゴリズムに従ってメトリックを設定し得る。いくつかの実施形態では、メトリック８０２は、コンポーネントスコアがユーザの選好に従って計算され得るように、エンティティによって調節され得る。メトリック８０２が、ネットワークコネクティビティスコアに関して議論されるが、コンポーネント４０４−４１８のいずれかまたは任意の他のコンポーネントが、類似する段階的スケールスキームを使用して判定され得ることを理解されたい。
【０１３３】
図９は、本開示のある実施形態による、あるメトリックに基づいてコンポーネントスコアを割り当てるための分布９００である。分布９００は、測定されたメトリック９０２に基づいて、コンポーネントスコアまたはサブコンポーネントスコアを判定するための一例証的実施例を描写する。図９に描写される例証的実施例は、測定可能なメトリック９０４として、ソーシャルネットワークにおける友人の数を使用する。アプリケーション（図１のアクセスアプリケーション１０２等）またはアプリケーションサーバ（図１のアプリケーションサーバ１０６等）が、ネットワークを通して要求ユーザに接続されるエンティティを識別し得る。いくつかの実施形態では、ネットワークは、ソーシャルネットワーク（Ｆａｃｅｂｏｏｋ等）またはコンピュータネットワーク（インターネットまたはインターネットのサブセット等）であり得る。アプリケーションまたはアプリケーションサーバは、次いで、識別されたユーザ毎に、所望のメトリック９０４に関する情報を判定する、または読み出し得る。図９に描写される例証的実施例では、アプリケーションまたはアプリケーションサーバは、要求ユーザの友人の全てを識別し、ユーザの友人のそれぞれが有する友人の数を判定し得る。分布９００は、判定された、または読み出された情報に基づいてグラフ化され得る。図９では、分布９００は、ガウス分布として描写されるが、任意の分布が、判定された、または読み出されたデータからもたらされ得ることを理解されたい。分布９００は、平均値μにおいてピーク９１２を有し得る。例えば、要求ユーザの友人の大部分は、μ＝５００人の友人の平均値を有し得る。分布９００は、標準偏差σに基づいて、領域９０６、９０８、９１０、９１４、９１６、および９１８に分割され得る。例えば、領域９０６は、平均値μを下回って２標準偏差σである友人の数を表し得る。領域９０８は、平均値μを下回って２標準偏差σ〜１標準偏差σである友人の数を表し得る。領域９１０は、平均値μを下回って１標準偏差σ未満である友人の数を表し得る。領域９１４は、平均値μを上回って平均値μ〜１標準偏差σである友人の数を表し得る。領域９１６は、平均値μを上回って１標準偏差σ〜２標準偏差σである友人の数を表し得る。最後に、領域９１８は、平均値μを上回って２標準偏差σを上回る友人の数を表し得る。
【０１３４】
標的ユーザに関するメトリックは、領域９０６、９０８、９１０、９１４、９１６、および９１８のうちの１つに該当し得る。当業者によって理解されるであろうように、領域９０６および９１８は、それぞれ、分布９００の約２．５％を表し、領域９０８および９１６は、それぞれ、分布９００の約１３．５％を表し、領域９１０および９１４は、それぞれ、分布９００の約３４％を表す。アプリケーションまたはアプリケーションサーバは、領域９０６、９０８、９１０、９１４、９１６、および９１８のどれに標的ユーザのメトリックが該当するかに応じて、コンポーネントスコアを割り当て得る。例えば、標的ユーザに関するコンポーネントスコアは、メトリックが領域９０６または９１８内に該当する場合、比較的に低くあり得、メトリックが領域９１０または９１４内に該当する場合、比較的に高くあり得る。図８に描写される表８００と類似する段階的スケールが、領域９０６、９０８、９１０、９１４、９１６、および９１８に割り当てられ得る。
【０１３５】
図１０は、本開示のある実施形態による、ネットワークグラフ１０００の表示である。ネットワークグラフ１０００は、ソースノード１００２と、標的ノード１００４と、中間ノード１００６と、経路１００８および１０１０とを含む。ネットワークグラフ１０００は、任意の好適なディスプレイデバイス上で、かつ図６および７に描写されるインターフェース６００および７００等の任意の好適なインターフェースにおいて表示のために生成され得る。本明細書で定義されるように、「ノード」は、任意のユーザ端末、ネットワークデバイス、コンピュータ、モバイルデバイス、アクセスポイント、または任意の他の電子デバイスを含み得る。いくつかの実施形態では、ノードはまた、個々の人間、エンティティ（例えば、公的もしくは民間企業、法人、有限責任会社（ＬＬＣ）、提携、個人事業、または慈善団体等の法的エンティティ）、概念（例えば、ソーシャルネットワーキンググループ）、動物、または無生物物体（例えば、自動車、航空機、またはツール）を表し得る。
【０１３６】
ネットワークグラフ１０００は、ソースノード１００２によって描写される要求エンティティおよび標的ノード１００４によって描写される標的エンティティを接続するネットワークの可視化を表し得る。中間ノード１００６等の１つまたはそれを上回る中間ノード、ならびにノード１００２、１００４、および１００６を接続する経路１００８もまた、表示され得る。いくつかの実施形態では、支配的経路１０１０が、表示され、他の経路１００８から視覚的に区別され得る。支配的経路１０１０は、任意の好適なアルゴリズムを使用して判定され得る。例えば、支配的経路１０１０は、ソースノード１００２からソースノード１００４への最短長さ経路を表し得る。他の実施形態では、支配的経路１０１０は、比較的に高い信頼値を伴うノード等の具体的中間ノードを通した経路を表し得る。例えば、ノード１００２からノード１００６を通したノード１００４へのより長い経路は、より短い経路１０１０よりも、経路の各リンクにおいて高い信頼を有し得る。
【０１３７】
いくつかの実施形態では、ノード１００２、１００４、および１００６はそれぞれ、ノードによって描写されるエンティティと関連付けられるプロフィール写真等、画像、テキスト、またはその両方を含み得る。いくつかの実施形態では、ネットワークグラフ１０００は、スクロール可能ディスプレイにおける表示のために生成され得、ユーザは、所望に応じてより多い、およびより少ないノードを見るために、ネットワークグラフ１０００をスクロールおよびズームし得る。
【０１３８】
図１１−１３は、図４に描写されるネットワークコネクティビティコンポーネント４０６等のネットワークコンポーネントスコアを計算するための例証的方法を説明する。コネクティビティは、少なくとも部分的に、下記により詳細に説明される種々のグラフ走査および正規化技法を使用して判定され得る。
【０１３９】
ある実施形態では、経路カウントアプローチが、使用され得、処理回路は、ネットワークコミュニティ内の第１のノードｎ１と第２のノードｎ２との間の経路の数をカウントするように構成される。コネクティビティ評価Ｒｎ１ｎ２が、次いで、ノードに割り当てられ得る。割り当てられたコネクティビティ評価は、他の可能な測度の中でもとりわけ、２つのノードを接続する従経路の数または関係に比例し得る。測度として従経路の数を使用して、第１のノードｎ１と第２のノードｎ２との間に１つまたはそれを上回る中間ノードを伴う経路が、適切な数（例えば、中間ノードの数）によってスケーリングされ得、本スケーリングされた数は、コネクティビティ評価を計算するために使用され得る。
【０１４０】
いくつかの実施形態では、加重されたリンクが、従経路カウントアプローチに加えて、またはその代替として使用される。処理回路は、相対的ユーザ加重を、ネットワークコミュニティ内の第１のノードｎ１および第２のノードｎ２を接続する各経路に割り当てるように構成され得る。ユーザコネクティビティ値が、各リンクに割り当てられ得る。例えば、ノードｎ１と関連付けられるユーザまたはエンティティは、ノードｎ１からの全ての発信経路に関するユーザコネクティビティ値を割り当て得る。いくつかの実施形態では、ユーザまたはエンティティによって割り当てられるコネクティビティ値は、そのユーザまたはエンティティのノードｎ２と関連付けられるユーザまたはエンティティにおける信頼を示し得る。特定のユーザまたはエンティティによって割り当てられるリンク値は、次いで、リンク毎の相対的ユーザ加重を判定するために、相互に比較され得る。
【０１４１】
リンク毎の相対的ユーザ加重は、最初に、そのユーザによって割り当てられる全てのユーザコネクティビティ値（すなわち、アウトリンク値）の平均を算出することによって判定され得る。ｔｉが、リンクｉに割り当てられたユーザコネクティビティ値である場合、そのリンクに割り当てられる相対的ユーザ加重ｗｉは、以下に従って与えられ得る。
【数１】
2019517084.tif 000004
【０１４２】
経路の全体的加重を判定するために、いくつかの実施形態では、経路に沿った全てのリンクの加重は、ともに乗算され得る。全体的経路加重は、次いで、以下に従って与えられ得る。
【数２】
2019517084.tif 000005
【０１４３】
経路に関するコネクティビティ値は、次いで、以下に従って全体的経路加重で乗算された経路内の全てのリンクの最小ユーザコネクティビティ値として定義され得る。
【数３】
2019517084.tif 000006
【０１４４】
経路コネクティビティ値を判定するために、いくつかの実施形態では、並列算出フレームワークまたは分散算出フレームワーク（またはその両方）が、使用され得る。例えば、一実施形態では、いくつかのコアプロセッサは、Ａｐａｃｈｅ  ＨａｄｏｏｐまたはＧｏｏｇｌｅ  ＭａｐＲｅｄｕｃｅクラスタを実装する。本クラスタは、新しい経路リンク値および経路加重を判定することに関連して、分散算出のいくつかまたは全てを実施し得る。
【０１４５】
処理回路は、ネットワークコミュニティ内の変更されたノードを識別し得る。例えば、新しい発信リンクが、追加され得る、リンクが、除去され得る、またはユーザコネクティビティ値が、変更されている場合がある。変更されたノードを識別することに応答して、いくつかの実施形態では、処理回路は、関与するネットワークコミュニティまたは複数のコミュニティ内のいくつかまたは全てのノードと関連付けられるリンク、経路、および加重値を再算出し得る。
【０１４６】
いくつかの実施形態では、ネットワークコミュニティ内の影響を受けたノードと関連付けられる値のみが、変更されたノードが識別された後に再算出される。ネットワークコミュニティ内に少なくとも１つの変更されたノードが存在する場合、変更されたノードまたは複数のノードは、最初に、準備プロセスを受け得る。準備プロセスは、「マップ」フェーズと、「リデュース」フェーズとを含み得る。準備プロセスのマップフェーズでは、準備プロセスは、より小さいサブプロセスに分割され得、これは、次いで、並列算出フレームワーククラスタ内のコアに分配される。例えば、各ノードまたはリンク変更（例えば、テールからアウトリンクまでの変更およびヘッドからインリンクまでの変更）は、並列算出のために異なるコアにマッピングされ得る。準備プロセスのリデュースフェーズでは、各アウトリンクの加重は、方程式（１）に従って判定され得る。アウトリンク加重はそれぞれ、次いで、アウトリンク加重（または任意の他の好適な値）の和によって正規化され得る。ノード表は、次いで、変更されたノード、そのインリンク、およびそのアウトリンク毎に更新され得る。
【０１４７】
変更されたノードが準備された後、各変更されたノードから発信する経路が、計算され得る。再度、本プロセスの「マップ」および「リデュース」フェーズが、定義され得る。本プロセス中、いくつかの実施形態では、ノード有向グラフまたはノードツリーの深さ優先検索が、実施され得る。全ての影響を受けた祖先ノードが、次いで、識別され、その経路が、再計算され得る。
【０１４８】
いくつかの実施形態では、性能を改良するために、経路は、経路内の最後のノードによってグループ化され得る。例えば、ノードｎ１で終了する全ての経路が、ともにグループ化され得、ノードｎ２で終了する全ての経路が、ともにグループ化され得、以下同様である。これらの経路グループは、次いで、別個に（例えば、単一のデータベース表の異なる列内に）記憶され得る。いくつかの実施形態では、経路グループは、ＨＢａｓｅクラスタ（またはＢｉｇＴａｂｌｅ等の任意の他の圧縮された高性能データベースシステム）を実装するキー値ストアの列内に記憶され得る。
【０１４９】
いくつかの実施形態では、１つまたはそれを上回る閾値関数が、定義され得る。閾値関数または複数の関数は、コネクティビティ判定またはコネクティビティ算出において分析されるであろう経路内のリンクの最大数を判定するために使用され得る。閾値要因はまた、最小リンク加重、経路加重、またはその両方に関して定義され得る。ユーザ定義またはシステム定義閾値を下回る加重は、コネクティビティ判定またはコネクティビティ算出において無視され得る一方、十分な大きさの加重のみが、考慮され得る。
【０１５０】
いくつかの実施形態では、ユーザコネクティビティ値が、第１のノードと第２のノードとの間の信頼度を表し得る。一実施形態では、ノードｎ１は、ｌ１のユーザコネクティビティ値を、これとノードｎ２との間のリンクに割り当て得る。ノードｎ２もまた、ｌ２のユーザコネクティビティ値を、これとノードｎ１との間の逆のリンクに割り当て得る。ｌ１およびｌ２の値は、少なくとも部分的に、リンクによって接続されるノードと関連付けられる個人またはエンティティの信頼性の主観的インジケーションであり得る。ユーザ（またはノードによって認可された他の個人）は、次いで、本値を、ノードを個人またはエンティティに接続する発信リンクに割り当て得る。客観的測度（例えば、サードパーティ評価機関または信用情報機関からのデータ）もまた、いくつかの実施形態では、信頼を表す合成ユーザコネクティビティ値を形成するために、使用され得る。主観的、客観的、またはその両方のタイプの測度が、分析のために、自動的に収穫される、または手動で入力され得る。
【０１５１】
図１１は、本開示のある実施形態による、ネットワークコンポーネントスコアを計算するためのコネクティビティ判定をサポートするために使用される、データ表１１００を示す。表１１００のうちの１つまたはそれを上回るものが、例えば、データストア１１０（図１）内のリレーショナルデータベース内に記憶され得る。表１  １０２は、ネットワークコミュニティ内に登録される全てのノードの識別を記憶し得る。一意の識別子が、各ノードに割り当てられ、表１  １０２内に記憶され得る。加えて、ストリング名が、各ノードと関連付けられ、表１  １０２内に記憶され得る。上記に説明されるように、いくつかの実施形態では、ノードは、個人またはエンティティを表し得、その場合では、ストリング名は、個人または人物の名および／もしくは姓、ニックネーム、ハンドル名、またはエンティティ名を含み得る。
【０１５２】
表１  １０４は、ユーザコネクティビティ値を記憶し得る。いくつかの実施形態では、ユーザコネクティビティ値は、本システムによって（例えば、アプリケーションサーバ１０６（図１）によって）自動的に割り当てられ得る。例えば、アプリケーションサーバ１０６（図１）は、ネットワークコミュニティのメンバー間の全ての電子相互作用（例えば、電子通信、電子トランザクション、またはその両方）を監視し得る。いくつかの実施形態では、デフォルトユーザコネクティビティ値（例えば、リンク値１）が、最初に、ネットワークコミュニティ内の全てのリンクに割り当てられ得る。電子相互作用がネットワークコミュニティ内の２つまたはそれを上回るノード間に識別された後、ユーザコネクティビティ値は、ノード間の相互作用のタイプおよび相互作用の結果に応じて、上向きまたは下向きに調節され得る。例えば、２つのノード間の各単純な電子メール交換は、固定された量だけ、それらの２つのノードを接続するユーザコネクティビティ値を自動的に増加または減少させ得る。２つのノード間のより複雑な相互作用（例えば、製品またはサービス売上もしくは照会）は、ある程度より大きい固定された量だけ、それらの２つのノードを接続するユーザコネクティビティ値を増加または減少させ得る。いくつかの実施形態では、２つのノード間のユーザコネクティビティ値は、ユーザまたはノードが、相互作用が好ましくなかった、正常に完了しなかった、または別様に有害であったことを示さない限り、増加され得る。例えば、トランザクションが、タイムリーに実行されなかった場合がある、または電子メール交換が、特に不快であった場合がある。有害な相互作用は、ユーザコネクティビティ値を自動的に減少させ得る一方、全ての他の相互作用は、ユーザコネクティビティ値を増加させ得る（またはいかなる影響も及ぼさない）。加えて、ユーザコネクティビティ値は、外部ソースを使用して自動的に収穫され得る。例えば、サードパーティデータソース（評価機関および信用情報機関等）が、コネクティビティ情報に関して自動的にクエリを行われ得る。本コネクティビティ情報は、完全に客観的な情報、完全に主観的な情報、部分的に客観的かつ部分的に主観的である合成情報、任意の他の好適なコネクティビティ情報、または前述の任意の組み合わせを含み得る。
【０１５３】
いくつかの実施形態では、ユーザコネクティビティ値は、ネットワークコミュニティのメンバーによって手動で割り当てられ得る。これらの値は、例えば、２人／２つのユーザまたはノード間の信頼の程度もしくはレベル、またはある努力における１つのノードの別のノードの適姓の評価を表し得る。ユーザコネクティビティ値は、いくつかの実施形態では、主観的コンポーネントと、客観的コンポーネントとを含み得る。主観的コンポーネントは、第１のユーザまたはノードが、第２のユーザ、ノード、コミュニティ、またはサブコミュニティを信頼できると見出す程度を示す信頼性「スコア」を含み得る。本スコアまたは値は、完全に主観的であり、２人／２つのユーザ、ノード、またはコミュニティ間の相互作用に基づき得る。本手動ユーザコネクティビティスコアは、システム信頼スコア、友人信頼スコア、または文脈信頼スコアのうちの１つもしくはそれを上回るものを「無効」にし得る。ユーザが、手動信頼スコアを用いて上記の信頼スコアのうちの１つを「無効」にすると、ユーザ規定信頼スコアが、無効にされた信頼スコアと並行して、またはその代わりに提供され得る。
【０１５４】
いくつかの実施形態では、システム管理者が、システム信頼スコア、友人信頼スコア、または文脈信頼スコアのうちの１つもしくはそれを上回るものを無効にし得る。例えば、システム管理者は、最近の傾向またはイベントを考慮するために、エンティティのシステム信頼スコアを無効にし得る。信頼スコアが、システム管理者によって無効にされると、管理者の信頼スコアが、無効にされた信頼スコアと並行して、またはその代わりに提供され得る。無効にされた信頼スコアが、管理者の信頼スコアの規定された範囲または閾値に到達すると、本システムは、無効にされた信頼スコアに戻るように自動的に戻り得る。例証的実施例として、システム管理者は、ニュースにおいて否定的な世間の注目を集めたエンティティのシステム信頼スコアを減少させ得る。無効にされた信頼スコアは、本システムによって継続して計算され、エンティティの否定的な世間の注目を徐々に反映するであろう。無効にされた信頼スコアが、管理者の信頼レベルのある範囲内（例えば、１０％以内）に到達すると、本システムは、計算されたスコアに戻るように自動的に戻るであろう。いくつかの実施形態では、管理者の信頼スコアは、スコアが無効にされたという通知および／または信頼スコアが無効にされた理由とともにユーザに提供されるであろう。
【０１５５】
表１１０４は、リンクヘッド、リンクテール、およびリンクに関するユーザコネクティビティ値の識別を記憶し得る。リンクは、双方向的であり得る、またはそうではない場合がある。例えば、ノードｎ１からノードｎ２までのユーザコネクティビティ値は、ノードｎ２からノードｎ１までのリンクとは異なり得る（かつ完全に別個である）。特に、上記に説明される信頼の文脈において、各ユーザは、自身の独自のユーザコネクティビティ値をリンクに割り当てることができる（すなわち、いくつかの実施形態では、２人のユーザは、等しい量だけ相互を信頼する必要はない）。
【０１５６】
表１  １０６は、表１１０４の監査ログを記憶し得る。表１  １０６は、どのノードまたはリンクがネットワークコミュニティ内で変化したかを判定するために分析され得る。いくつかの実施形態では、データベーストリガが、表１  １０４内のデータの変更が検出されるときは常に、監査記録を表１  １０６の中に自動的に挿入するために使用される。例えば、新しいリンクが、作成され得る、リンクが、除去され得る、またはユーザコネクティビティ値が、変更され得る。本監査ログは、コネクティビティ値に関連する決定が予め（すなわち、予測されるイベントの前に）行われることを可能にし得る。そのような決定は、ユーザの要求において、または自動化プロセスの一部として行われ得る。本見込み分析は、流動的および／または動的様式におけるトランザクションの開始（またはある特定の措置を講じること）を可能にし得る。そのような変更が検出された後、トリガは、表１  １０６内に新しい行を自動的に作成し得る。表１  １０６は、変更されたノードの識別ならびに変更されたリンクヘッド、変更されたリンクテール、および変更されたリンクに割り当てられるべきユーザコネクティビティ値の識別を記憶し得る。表１  １０６はまた、変更の時間を示すタイムスタンプおよび動作コードを記憶し得る。いくつかの実施形態では、動作コードは、それぞれ、リンクが挿入されたか、ユーザコネクティビティ値が変更されたか、またはリンクが削除されたかに対応する、「挿入」、「更新」、または「削除」動作を含み得る。他の動作コードも、他の実施形態において使用され得る。
【０１５７】
図１２は、本開示のコネクティビティ判定をサポートするために使用されるデータ構造１２１０を示す。いくつかの実施形態では、データ構造１２１０は、キー値ストア１１２（図１）を使用して記憶され得る一方、表１２００は、データストア１１０（図１）内に記憶される。上記に説明されるように、キー値ストア１１２（図１）は、ＨＢａｓｅ記憶システムを実装し、ＢｉｇＴａｂｌｅサポートを含み得る。伝統的なリレーショナルデータベース管理システムのように、図１２に示されるデータは、表内に記憶され得る。しかしながら、ＢｉｇＴａｂｌｅサポートは、各表内に恣意的な数の列を可能にし得る一方、伝統的なリレーショナルデータベース管理システムは、固定された数の列を要求し得る。
【０１５８】
データ構造１２１０は、ノード表１２１２を含み得る。図１２に示される実施例では、ノード表１２１２は、いくつかの列を含む。ノード表１２１２は、行識別子列１２１４を含み得、これは、６４ビット、１２８ビット、２５６ビット、５１２ビット、または１０２４ビットの整数を記憶し得、ノード表１２１２内の各行（例えば、各ノード）を一意に識別するために使用され得る。列１２１６は、現在のノードに関する全ての着信リンクのリストを含み得る。列１２１８は、現在のノードに関する全ての発信リンクのリストを含み得る。列１２２０は、現在ノードが接続されているノード識別子のリストを含み得る。発信リンクが第２のノードに到達するように続き得る場合、第１のノードが、第２のノードに接続され得る。例えば、Ａ−＞Ｂに関して、Ａは、Ｂに接続されるが、Ｂは、Ａに接続されない場合がある。ノード表１２１２はまた、１つまたはそれを上回る「バケットト」列１２２２を含み得る。これらの列は、現在のノードを標的ノードに接続する経路のリストを記憶し得る。上記に説明されるように、経路内の最後のノード（例えば、標的ノード）によって経路をグループ化することは、コネクティビティ算出を促進し得る。図１２に示されるように、いくつかの実施形態では、走査を促進するために、バケット列名は、「ｂｕｃｋｅｔ：」列の終わりに添付される標的ノード識別子を含み得る。
【０１５９】
図１３Ａ−１３Ｅは、ネットワークコミュニティ内のノードのコネクティビティを判定するための例証的プロセスを示す。図１３Ａ−１３Ｅに描写されるプロセスは、図４に描写されるネットワークコネクティビティコンポーネント４０６等のネットワークコンポーネントスコアを判定するために使用され得る。図１３Ａは、ネットワークコミュニティと関連付けられるコネクティビティグラフ（または任意の他の好適なデータ構造）を更新するためのプロセス１３００を示す。上記に説明されるように、いくつかの実施形態では、各ネットワークコミュニティは、その独自のコネクティビティグラフ、有向グラフ、ツリー、または他の好適なデータ構造と関連付けられる。他の実施形態では、複数のネットワークコミュニティが、１つまたはそれを上回るコネクティビティグラフ（または他のデータ構造）を共有し得る。
【０１６０】
いくつかの実施形態では、図１３Ａ−１３Ｅに関して説明されるプロセスは、予め（すなわち、予測されるイベントの前に）決定を行うために実行され得る。そのような決定は、ユーザの要求において、または自動化プロセスの一部として行われ得る。本見込み分析は、流動的および／または動的様式におけるトランザクションの開始（またはある特定の措置を講じること）を可能にし得る。いくつかの実施形態では、処理回路は、ある決定を行った結果として、信頼スコアの増加または減少を予測し得る。処理回路は、例えば、ユーザインターフェース６００または７００のうちの１つを通して、エンドユーザの信頼スコアが決定の結果として増加／減少するであろうことをエンドユーザに示すアラートをエンドユーザに提供し得る。いくつかの実施形態では、見込み決定はまた、決定の結果としての信頼スコアの潜在的増加／減少に基づいて、手動で、または自動的にのいずれかで行われ得る。例えば、処理回路は、決定がある閾値内の信頼スコアの増加／減少をもたらすであろう場合、見込み決定を自動的に行い得る。このように、自動的に、または手動で行われるかを問わず、見込み決定は、エンドユーザのリスク許容度またはリスク選好を考慮し得る。
【０１６１】
ステップ１３０２において、少なくとも１つのノードがネットワークコミュニティ内で変化したかどうかが、判定される。上記に説明されるように、ノードが変化した後、監査記録が、表１１０６（図１１）の中に挿入され得る。表１１０６（図１１）を分析することによって、新しいリンクが追加された、既存のリンクが除去された、またはユーザコネクティビティ値が変化したことが、（例えば、図１のアプリケーションサーバ１０６によって）判定され得る。ステップ１３０４において、ノードが変化したことが判定される場合、プロセス１３００は、（図１３Ｂに示される）ステップ１３１０に進み、変更されたノードを準備し、（図１３Ｃに示される）ステップ１３１２に進み、変更されたノードから発信する経路を計算し、（図１３Ｄに示される）ステップ１３１４に進み、変更されたノードを通過する経路を除去し、（図１３Ｅに示される）ステップ１３１６に進み、変更されたノードを通過する経路を計算する。図１３Ｂ、１３Ｃ、１３Ｄ、および１３Ｅに示される１つを上回るステップまたはタスクが、例えば、コアのクラスタを使用して、並行して実施され得ることに留意されたい。例えば、図１３Ｂに示される複数のステップまたはタスクが、並行して、または分散方式で実行され得、次いで、図１３Ｃに示される複数のステップまたはタスクが、並行して、または分散方式で実行され得、次いで、図１３Ｄに示される複数のステップまたはタスクが、並行して、または分散方式で実行され得、次いで、図１３Ｅに示される複数のステップまたはタスクが、並行して、または分散方式で実行され得る。このように、プロセス１３００と関連付けられる全体的待ち時間が、低減され得る。
【０１６２】
ノード変更がステップ１３０４において検出されない場合、プロセス１３００は、ステップ１３０６において、スリープモードに入る。例えば、いくつかの実施形態では、アプリケーションスレッドまたはプロセスは、少なくとも１つのノードまたはリンクがネットワークコミュニティ内で変化したかどうかを判定するように連続的にチェックし得る。他の実施形態では、アプリケーションスレットまたはプロセスは、ｎ秒毎に変更されたリンクおよびノードを周期的にチェックし、ｎは、任意の正数である。ステップ１３１６において変更されたノードを通過する経路が計算された後、またはステップ１３０６におけるスリープの周期の後、プロセス１３００は、ステップ１３０８においてループするかどうかを判定し得る。例えば、全ての変更されたノードが更新されている場合、プロセス１３００は、ステップ１３１８において停止し得る。しかしながら、処理すべきさらなる変更されたノードまたはリンクが存在する場合、プロセス１３００は、ステップ１３０８においてループし、ステップ１３０４に戻り得る。
【０１６３】
実践では、プロセス１３００において示される１つまたはそれを上回るステップは、他のステップと組み合わせられる、任意の好適な順序で実施される、並行して（例えば、同時に、または実質的に同時に）実施される、または除去され得る。
【０１６４】
図１３Ｂ−１３Ｅは、それぞれ、「マップ」フェーズおよび「リデュース」フェーズを伴うプロセスを含む。上記に説明されるように、これらのフェーズは、並列算出フレームワーク１１４（図１）、キー値ストア１１２（図１）、またはその両方によって実行されるマップ／リデュース算出パラダイムの一部を形成し得る。図１３Ｂに示されるように、任意の変更されたノードを準備するために、マップフェーズ１３２０は、ステップ１３２２においてこれ以上リンク変更が存在するどうかを判定するステップと、ステップ１３４０において次のリンク変更を読み出すステップと、ステップ１３４２においてテールからアウトリンクまでの変更をマッピングするステップと、ステップ１３４４においてヘッドからインリンクまでの変更をマッピングするステップとを含み得る。
【０１６５】
ステップ１３２２においてこれ以上リンク変更が存在しない場合、リデュースフェーズ１３２４では、ステップ１３２６において、処理すべきさらなるノードおよびリンク変更が存在するかが、判定され得る。該当する場合、次のノードおよびそのリンク変更が、ステップ１３２８において読み出され得る。直近のリンク変更が、ステップ１３３０において保存され得る一方、任意の中間リンク変更が、より最近の変更によって置換される。例えば、表１１０６（図１１）に記憶されるタイムスタンプは、全てのリンクまたはノード変更の時間を判定するために使用され得る。ステップ１３３２において、平均アウトリンクユーザコネクティビティ値が、計算され得る。例えば、ノードｎ１が、割り当てられたユーザコネクティビティ値を伴う８つのアウトリンクを有する場合、これらの８つのユーザコネクティビティ値は、ステップ１３３２において平均化され得る。ステップ１３３４において、各アウトリンクの加重が、上記の方程式（１）に従って計算され得る。全てのアウトリンク加重は、次いで、ステップ１３３６において、合計され、各アウトリンク加重を正規化するために使用され得る。例えば、各アウトリンク加重は、全てのアウトリンク加重の和で除算され得る。これは、アウトリンク毎に０〜１の加重をもたらし得る。ステップ１３３８において、変更されたノード、インリンク、およびアウトリンクに関する既存のバケットが、保存され得る。例えば、バケットは、キー値ストア１１２（図１）またはデータストア１１０（図１）内に保存され得る。ステップ１３２６においてこれ以上処理すべきノードおよびリンク変更が存在しない場合、本プロセスは、ステップ１３４６において停止し得る。
【０１６６】
図１３Ｃに示されるように、変更されたノードから発信する経路を計算するために、マップフェーズ１３４８は、ステップ１３５０においてこれ以上変更されたノードが存在するかどうかを判定するステップと、ステップ１３６６において次の変更されたノードを読み出すステップと、ステップ１３６８において変更されたノードをＮＵＬＬ経路にマッピングすることによって、削除のために既存のバケットをマーキングするステップと、ステップ１３７０において続くアウトリンクによって経路を再帰的に生成するステップと、経路が適格な経路である場合、テールを経路にマッピングするステップとを含み得る。適格な経路は、１つまたはそれを上回る事前定義された閾値関数を満たす経路を含み得る。例えば、閾値関数は、最小経路加重を規定し得る。最小経路加重を上回る経路加重を伴う経路は、適格な経路として指定され得る。
【０１６７】
ステップ１３５０においてこれ以上変更されたノードが存在しない場合、リデュースフェーズ１３５２では、ステップ１３５４において、処理すべきさらなるノードおよび経路が存在するかが、判定され得る。該当する場合、次のノードおよびその経路が、ステップ１３５６において読み出され得る。ステップ１３５８において、バケットが、そのヘッドによって経路をグループ化することによって作成され得る。ステップ１３６０において、バケットがＮＵＬＬ経路のみを含有する場合、ノード表内の対応するセルが、ステップ１３６２において削除され得る。バケットがＮＵＬＬ経路よりも多くのものを含有する場合、ステップ１３６４において、バケットは、ノード表内の対応するセルに保存される。ステップ１３５６においてこれ以上処理すべきノードおよび経路が存在しない場合、本プロセスは、ステップ１３７４において停止し得る。
【０１６８】
図１３Ｄに示されるように、変更されたノードを通過する経路を除去するために、マップフェーズ１３７６は、ステップ１３７８においてこれ以上変更されたノードが存在するかどうかを判定するステップと、ステップ１３８８において次の変更されたノードを読み出すステップとを含み得る。ステップ１３９０において、変更されたノードに対応するノード表内の「ｂｕｃｋｅｔ：」列（例えば、ノード表１２１２の列１２２２（両方とも図１２））が、走査され得る。例えば、上記に説明されるように、標的ノード識別子が、「ｂｕｃｋｅｔ：」列名の終わりに添付され得る。各バケットは、現在のノードを標的ノード（例えば、変更されたノード）に接続する経路のリストを含み得る。ステップ１３９２において、走査によって見出された合致するノードおよび変更されたノードの古いバケット毎に、合致するノードが、（変更されたノード、古いバケット）削除ペアに合致され得る。
【０１６９】
ステップ１３７８においてこれ以上変更されたノードが存在しない場合、リデュースフェーズ１３８０では、ステップ１３８４において、処理すべきさらなるノードおよび削除ペアが存在するかが、判定され得る。該当する場合、次のノードおよびその削除ペアが、ステップ１３８４において読み出され得る。ステップ１３８６において、削除ペア毎に、古いバケット内の変更されたノードを通過する任意の経路が、削除され得る。ステップ１３８２においてこれ以上処理すべきノードおよび削除ペアが存在しない場合、本プロセスは、ステップ１３９４において停止し得る。
【０１７０】
図１３Ｅに示されるように、変更されたノードを通過する経路を計算するために、マップフェーズ１３９６は、ステップ１３９８においてこれ以上変更されたノードが存在するかどうかを判定するステップと、ステップ１４０８において次の変更されたノードを読み出すステップとを含み得る。ステップ１４１０において、変更されたノードに対応するノード表内の「ｂｕｃｋｅｔ：」列（例えば、ノード表１２１２の列１２２２（両方とも図１２））が、走査され得る。ステップ１４１２において、走査において見出された合致するノードおよび変更されたノードの経路毎に、走査されたバケット内の全ての経路が、変更されたバケットの全ての経路と結合され得る。ステップ１４１４において、各合致するノードは、各適格な結合された経路にマッピングされ得る。
【０１７１】
ステップ１３９８においてこれ以上変更されたノードが存在しない場合、リデュースフェーズ１４００では、ステップ１４０２において、処理すべきさらなるノードおよび経路が存在するかが、判定され得る。該当する場合、次のノードおよびその経路が、ステップ１４０４において読み出され得る。各経路は、次いで、ステップ１４０６において、適切なノードバケットに追加され得る。ステップ１４０２においてこれ以上処理すべきノードおよび経路が存在しない場合、本プロセスは、ステップ１４１６において停止し得る。
【０１７２】
図１４は、本開示のある実施形態による、システム信頼スコアを計算するためのプロセス１４２０を示す。プロセス１４２０は、ステップ１４２２においてエンティティのプロフィール内の少なくとも１つのエントリを照合するステップと、ステップ１４２４においてソーシャルネットワークに関するコネクティビティメトリックを判定するステップと、ステップ１４２６において公的に利用可能な情報を判定するためにウェブ検索を実施するステップと、ステップ１４２８において過去のトランザクションを識別するステップと、ステップ１４３０においてサードパーティソースから評価情報を受信するステップと、ステップ１４３２においてコンポーネントスコアを計算するステップと、ステップ１４３においてユーザ加重が受信されたかどうかを判定するステップと、ステップ１４３６においてデフォルト加重を使用してコンポーネントスコアを組み合わせるステップと、ステップ１４３８においてユーザ加重を使用してコンポーネントスコアを組み合わせるステップとを含む。本明細書の範囲から逸脱することなく、当業者に明白であろうように、プロセス１４２０は、システム信頼スコアを計算するための例証的ステップを描写し、ステップ１４２２−１４３８のうちの１つまたはそれを上回るものは、省略され、付加的ステップが、プロセス１４２０に追加され得ることを理解されたい。
【０１７３】
ステップ１４２２において、アクセスアプリケーション１０２またはアプリケーションサーバ１０６の処理回路等の処理回路は、エンティティのプロフィール内の少なくとも１つのエントリを照合し得る。エントリは、図４に描写されるデータ照合コンポーネント４０４と関連して説明される照合データ等の照合データの１つまたはそれを上回る断片であり得る。例えば、処理回路は、人間ユーザの電子メールアドレス、電話番号、郵送先住所、教育情報、雇用情報のうちの１つまたはそれを上回るものを照合し得る。ステップ１４２４において、処理回路は、ソーシャルネットワークに関するコネクティビティメトリックを判定し得る。コネクティビティメトリックは、図４に描写されるネットワークコネクティビティコンポーネント４０６と関連して議論されるようなメトリックから成り得る。コネクティビティメトリックは、限定ではないが、友人の数、投稿の数、またはメッセージの数を含み得る。ステップ１４２６において、処理回路は、エンティティと関連付けられる公的に利用可能な情報を判定するために、ウェブ検索を実施し得る。例えば、処理回路は、図４に描写される検索エンジンマイニングコンポーネント４１６に関連して上記に議論されるような検索エンジンマイニングを実施し得る。処理回路はまた、図４に描写されるクレジットスコアコンポーネント４０８および裁判所データコンポーネント４１０に関連して上記に議論されるように、エンティティのクレジットスコアまたは利用可能な裁判所データ等の情報を判定し得る。ステップ１４２８において、処理回路は、エンティティと関連付けられる過去のトランザクションを識別し得る。例えば、処理回路は、エンティティが参加した過去の金融トランザクションおよび金融トランザクションが好ましく完了した（例えば、融資を返済した）か、または好ましくなく完了した（例えば、融資を焦げ付かせた）かを識別し得る。ステップ１４３０において、処理回路は、図４に描写される評価／フィードバックデータコンポーネント４１２に関連して上記に議論されるように、サードパーティソースから評価情報を受信し得る。例証的実施例として、処理回路は、エンティティについて、Ｂｅｔｔｅｒ  Ｂｕｓｉｎｅｓｓ  Ｂｕｒｅａｕから、またはＹｅｌｐ等のオンライン評価サイトから評価を受信し得る。ステップ１４３２において、処理回路は、ステップ１４２４−１４３０から受信された情報に基づいて、コンポーネントスコアを計算し得る。処理回路は、図８および９における上記に議論される方法等の任意の好適な様式でコンポーネントスコアを計算し得る。
【０１７４】
ステップ１４３４において、処理回路は、ユーザ規定加重が受信されているかどうかを判定し得る。例えば、ユーザは、図７に描写されるインターフェース７００等のユーザインターフェースを通して、カスタム加重を規定している場合がある。ユーザ規定加重が受信されている場合、処理回路は、ステップ１４３８において、ユーザ規定加重を使用して、コンポーネントスコアを組み合わせ得る。ユーザ規定加重が受信されていない場合、処理回路は、ステップ１４３６において、図５に描写されるデフォルト加重等のデフォルト加重を使用して、コンポーネントスコアを組み合わせ得る。いくつかの実施形態では、処理回路は、システム信頼スコアに関するユーザ要求に応答して、システム信頼スコアを計算し得る。例えば、ユーザは、図６に描写される計算ボタン６１８を押圧し得、応答して、処理回路は、実質的にリアルタイムでシステム信頼スコアを計算し得る。他の実施形態では、処理回路は、システム信頼スコアに関するユーザ要求に先立って、システム信頼スコアを計算し得る。そのような実施形態では、処理回路は、システム信頼スコアに関するユーザ要求に応答して、例えば、図１に描写されるデータストア１１０から、事前計算されたシステム信頼スコアを読み出し得る。
【０１７５】
図１５は、本開示のある実施形態による、友人信頼スコアを計算するためのプロセス１５００を示す。プロセス１５００は、ステップ１５０２においてシステム信頼スコアを受信するステップと、ステップ１５０４において第１のエンティティから第２のエンティティへの経路を識別するステップと、ステップ１５０６において第１のエンティティまたは第２のエンティティのうちの少なくとも１つと関連付けられる遠隔ソースからデータを受信するステップと、ステップ１５０８においてコンポーネントスコアを更新するステップと、ステップ１５１０において更新されたコンポーネントスコアに基づいて、友人信頼スコアを計算するステップとを含む。本明細書の範囲から逸脱することなく、当業者に明白であろうように、プロセス１５００は、友人信頼スコアを計算するための例証的ステップを描写し、ステップ１５０２−１５１０のうちの１つまたはそれを上回るものは、省略され、付加的ステップが、プロセス１５００に追加され得ることを理解されたい。例えば、友人信頼スコアを計算するためのプロセス１５００は、システム信頼スコアへの更新として図１５に描写される。しかしながら、友人信頼スコアは、上記に議論されるように、システム信頼スコアから独立して、コンポーネントスコアから計算され得ることを理解されたい。
【０１７６】
ステップ１５０２において、アクセスアプリケーション１０２またはアプリケーションサーバ１０６の処理回路等の処理回路は、システム信頼スコアを受信し得る。システム信頼スコアは、図１４に描写されるプロセス１４２０と類似する方法等によって、先に計算されている場合がある。ステップ１５０４において、処理回路は、第１のエンティティから第２のエンティティへの経路を識別し得る。例えば、処理回路は、図１１−１３に関連して上記に議論されるように、経路カウントアプローチを利用し得る。ステップ１５０６において、処理回路は、第１のエンティティまたは第２のエンティティのうちの少なくとも１つと関連付けられる遠隔ソースからデータを受信し得る。例えば、処理回路は、第２のエンティティのソーシャル接続、クレジットスコア、裁判所データ、または第１のエンティティとの以前のトランザクション履歴に関するデータを受信し得る。
【０１７７】
ステップ１５０８において、処理回路は、ステップ１５０２−１５０６からの情報に基づいて、コンポーネントスコアを更新し得る。いくつかの実施形態では、コンポーネントスコアを更新するステップは、システム信頼スコアを構成するコンポーネントスコアの全てよりも少ないものを更新するステップを含む。例えば、処理回路は、第１のエンティティおよび第２のエンティティの相互の連絡先を考慮するために、ネットワークコネクティビティコンポーネントのみを更新し得る。クレジットスコアまたは裁判所データ等、第２のエンティティのシステム信頼スコアに関して計算された他のコンポーネントスコアは、付加的ソーシャルグラフ情報によって影響を受けない場合がある。ステップ１５１０において、処理回路は、例えば、加重平均を使用して、コンポーネントスコアを組み合わせることによって、更新されたコンポーネントに基づいて、友人信頼スコアを計算し得る。いくつかの実施形態では、処理回路は、友人信頼スコアに関するユーザ要求に応答して、友人信頼スコアを計算し得る。例えば、ユーザは、図６に描写される計算ボタン６１８を押圧し得、応答して、処理回路は、実質的にリアルタイムで友人信頼スコアを計算し得る。他の実施形態では、処理回路は、友人信頼スコアに関するユーザ要求に先立って、友人信頼スコアを計算し得る。そのような実施形態では、処理回路は、友人信頼スコアに関するユーザ要求に応答して、例えば、図１に描写されるデータストア１１０から、事前計算された友人信頼スコアを読み出し得る。
【０１７８】
図１６は、本開示のある実施形態による、文脈信頼スコアを計算するためのプロセス１６００を示す。プロセス１６００は、ステップ１６０２において友人信頼スコアを受信するステップと、ステップ１６０４において第１のエンティティおよび第２のエンティティによって実施されるべきアクティビティのインジケーションを受信するステップと、ステップ１６０６においてアクティビティに基づいて、コンポーネントスコアを更新するステップと、ステップ１６０８においてアクティビティに基づいて、加重を更新するステップと、ステップ１６１０において更新されたコンポーネントスコアおよび更新された加重に基づいて、文脈スコアを計算するステップとを含む。本明細書の範囲から逸脱することなく、当業者に明白であろうように、プロセス１６００は、文脈信頼スコアを計算するための例証的ステップを描写し、ステップ１６０２−１６１０のうちの１つまたはそれを上回るものは、省略され、付加的ステップが、プロセス１６００に追加され得ることを理解されたい。例えば、友人信頼スコアを計算するためのプロセス１６００は、友人信頼スコアへの更新として図１６に描写される。しかしながら、文脈信頼スコアは、上記に議論されるように、システム信頼スコアまたは友人信頼スコアから独立して、コンポーネントスコアから計算され得ることを理解されたい。
【０１７９】
ステップ１６０２において、アクセスアプリケーション１０２またはアプリケーションサーバ１０６の処理回路等の処理回路は、友人信頼スコアを受信し得る。システム信頼スコアは、図１５に描写されるプロセス１５００と類似する方法等によって、先に計算されている場合がある。ステップ１６０４において、処理回路は、第１のエンティティおよび第２のエンティティによって実施されるべきアクティビティのインジケーションを受信し得る。例えば、処理回路は、図６に描写されるトランザクションセレクタ６０６を通して、アクティビティのインジケーションを受信し得る。処理回路はまた、図６に関連して上記に議論されるように、トランザクション詳細フィールド６０８を通して、アクティビティ／トランザクションの詳細を受信し得る。ステップ１６０６において、処理回路は、アクティビティに基づいて、コンポーネントスコアを更新し得る。例えば、あるコンポーネントスコアが、トランザクションのタイプによって影響を受け得る。例証的実施例として、図４に描写されるトランザクション履歴コンポーネント４１８等のトランザクション履歴コンポーネントは、第１および第２のエンティティによって実施されている特定のタイプのトランザクションのトランザクション履歴のみを反映するように更新され得る。ステップ１６０８において、処理回路は、アクティビティに基づいて、加重を更新し得る。図７に関連して上記に議論されるように、異なるトランザクションタイプが、異なる加重と関連付けられ得、コンポーネントは、これらの異なる加重に従って組み合わせられ得る。ステップ１６１０において、処理回路は、例えば、更新された加重に従って更新されたコンポーネントスコアの加重平均をとることによって、更新されたコンポーネントスコアおよび更新された加重に基づいて、文脈信頼スコアを計算し得る。いくつかの実施形態では、処理回路は、文脈信頼スコアに関するユーザ要求に応答して、文脈信頼スコアを計算し得る。例えば、ユーザは、図６に描写される計算ボタン６１８を押圧し得、応答して、処理回路は、実質的にリアルタイムで文脈信頼スコアを計算し得る。他の実施形態では、処理回路は、文脈信頼スコアに関するユーザ要求に先立って、文脈信頼スコアを計算し得る。そのような実施形態では、処理回路は、文脈信頼スコアに関するユーザ要求に応答して、例えば、図１に描写されるデータストア１１０から、事前計算された文脈信頼スコアを読み出し得る。
【０１８０】
図１７は、ユーザ入力に基づいて、加重プロファイルを調節するための例証的プロセス１７００である。プロセス１７００は、１７０２において複数のユーザアカウントに加重プロファイルを伝送するステップと、１７０４において加重プロファイルを調節するユーザアカウントから入力を受信するステップと、１７０６において入力が加重プロファイルの閾値差以内であるかを判定するステップと、１７０８において受信された入力に基づいて、加重プロファイルを更新するステップと、１７１０において複数のユーザアカウントのうちの少なくとも１つに更新された加重プロファイルを伝送するステップとを含む。本明細書の範囲から逸脱することなく、当業者に明白であろうように、プロセス１７００は、ユーザ入力に基づいて、加重プロファイルを調節するための例証的ステップを描写し、ステップ１７０２−１７１０のうちの１つまたはそれを上回るものは、省略され、付加的ステップが、プロセス１７００に追加され得ることを理解されたい。
【０１８１】
１７０２において、処理回路は、加重プロファイルを複数のユーザアカウントに伝送し得、これは、ユーザデバイスと関連付けられ得る。加重プロファイルは、信頼スコアを計算するための加重のセットを備えるデフォルト加重プロファイルであり得る。加重のセットの各加重は、データソースからのデータに対応し得、加重のセットは、種々のデータソースからのデータを組み合わせるための加重平均を計算するために使用され得る。１７０４において、処理回路は、加重プロファイルを調節するユーザアカウントから入力を受信し得る。例えば、エンティティは、図７に描写されるインターフェースと類似するユーザインターフェースを使用して、加重プロファイルにおける加重を調節し得る。いくつかの実施形態では、加重のセットにおける１つの加重の調節は、自動的に、またはエンティティによって手動でのいずれかで、加重のセットにおける１つまたはそれを上回る他の加重の対応する調節を要求し得る。例証的実施例として、１つのコンポーネントの１０％の増加は、（例えば、１つの他のコンポーネントを１０％だけ、または５つの他のコンポーネントをそれぞれ２％だけ低減させることによって）集合的な１０％だけ他の加重を低減させるようにユーザに要求し得る。
【０１８２】
１７０６において、処理回路は、随意に、入力が加重プロファイルの閾値差以内であるかどうかを判定し得る。入力が閾値差以内ではない場合、処理回路は、１７０４に戻り得る。例えば、加重の大きい変化は、デフォルト加重プロファイルを更新するとき、外れ値として処理回路によって無視され得る。１７０８において、入力が加重プロファイルの閾値差以内である場合、処理回路は、受信された入力に基づいて、加重プロファイルを更新し得る。いくつかの実施形態では、加重プロファイルを更新するステップは、受信された入力に基づいて、加重の平均セットを計算するステップを含む。１７１０において、処理回路は、複数のユーザアカウントのうちの少なくとも１つに更新された加重プロファイルを伝送し得る。いくつかの実施形態では、ユーザアカウントは、ユーザデバイスと関連付けられ得る。アカウントは、ログインするようにユーザに要求するアカウント、インターネットアカウント、モバイルデバイス上のアカウント、ユーザプロフィールであり得る、またはアカウントは、ローカルもしくは遠隔記憶デバイス上でユーザについて記憶された情報を指し得る。
【０１８３】
図１８は、エンティティと関連付けられる属性を提供するための例証的ディスプレイ１８００である。ディスプレイ１８００は、エンティティの識別１８０２と、属性のインジケーション１８０４と、フィードバック入力１８０６および１８０８とを含み得る。ディスプレイ１８００が、モバイル電話インターフェース上に描写されるが、ディスプレイ１８００は、限定ではないが、モバイル電話、コンピュータ、またはタブレットを含む、任意の好適なデバイス上に表示され得ることを理解されたい。さらに、属性は、ディスプレイ１８００において描写される「技能および推奨」に限定されず、そのような属性は、例証のみを目的として提供されることが、当業者によって理解されるであろう。
【０１８４】
インジケータ１８０４が、１８０２によって示されるエンティティと関連付けられる属性を示し得る。例えば、エンティティ「Ｊｏｈｎ  Ｄｏｅ」は、属性「ビジネスアナリスト」と関連付けられ得る。本属性は、エンティティ自体によって、または群衆によって追加された場合がある。例えば、ディスプレイ１８００は、ユーザ選択可能アイコン「技能を追加する」を提供し、他のエンティティが、そのプロフィールがディスプレイ１８００において描写されているエンティティと関連付けられる属性を追加することを可能にし得る。ディスプレイ１８００はまた、上および下矢印として図１８に描写されるユーザ選択可能アイコン１８０６および１８０８を含み得、これらは、群衆が属性に対するフィードバックを提供することを可能にする。いくつかの実施形態では、エンティティは、一度だけフィードバックを提供することを可能にされ得る。つまり、いったん群衆のエンティティが、上または下矢印のうちの１つ（属性に「合意する」か、または「反対する」かのいずれか）を選択すると、ユーザ選択可能アイコン１８０６および１８０８は、無効になり、群衆のエンティティがさらなるフィードバックを提供しないように却下し得る。図１８に描写される例証的実施形態等のいくつかの実施形態では、ディスプレイ１８００は、「コメントを追加する」選択可能アイコンを提供し得る。選択されると、本アイコンは、群衆のエンティティが属性に対するコメントを提供することを可能にし得る。いくつかの実施形態では、アイコンはまた、他の群衆のユーザによってすでに残されているコメントの数を表示し得る。
【０１８５】
いくつかの実施形態では、ディスプレイ１８００はまた、列挙される属性１８０４毎に正味属性スコアを表示し得る。例えば、「ビジネスアナリスト」属性は、１００（１１０件の「いいね」−１０件の「やだね」）の正味属性スコアを有し、本正味属性スコアは、インジケータ１８０４に隣り合って示される。
【０１８６】
図１９は、エンティティと関連付けられる属性に基づいて、システム信頼スコアを計算するための例証的プロセス１９００である。プロセス１９００は、１９０２において第１のデータベースから、第１のエンティティと関連付けられる第１のデータを読み出すステップと、１９０４において第１のデータに基づいて、第１のコンポーネントスコアを計算するステップと、１９０６において第２のデータベースから、第１のエンティティと関連付けられる第２のデータを読み出すステップと、１９０８において第２のデータに基づいて、第２のコンポーネントスコアを計算するステップと、１９１０において第１のエンティティに関するシステム信頼スコアを生産するために、第１のコンポーネントスコアおよび第２のコンポーネントスコアの加重平均を計算するステップと、１９１２において第２のエンティティのユーザデバイスから、第１のエンティティと関連付けられる属性を示すデータを受信するステップと、１９１４において属性を示す受信されたデータに基づいて、第１のコンポーネントスコアを再計算するステップと、１９１６において第１のコンポーネントスコアがある閾値を上回って変化したかどうかを判定するステップと、１９１８において第１のコンポーネントスコアの変化をその閾値まで低減させるステップと、１９２０において再計算された第１のコンポーネントスコアに基づいて、システム信頼スコアを更新するステップとを含む。本明細書の範囲から逸脱することなく、当業者に明白であろうように、プロセス１９００は、エンティティと関連付けられる属性に基づいて、システム信頼スコアを計算する例証的ステップを描写し、ステップ１９０２−１９２０のうちの１つまたはそれを上回るものは、省略され、付加的ステップが、プロセス１９００に追加され得ることを理解されたい。
【０１８７】
１９０２において、処理回路は、１９０２において、第１のデータベースから、第１のエンティティと関連付けられる第１のデータを読み出し得る。第１のデータは、上記に図４と併せて議論されるデータベースのいずれか等の任意の好適なローカルまたは遠隔データベースから受信され得る。１９０４において、処理回路は、第１のデータに基づいて、第１のコンポーネントスコアを計算し得る。１９０４は、上記に図１４と併せて議論される１４３２と実質的に類似し得る。１９０２および１９０４と同様に、処理回路は、１９０６において、第２のデータベースから、第１のエンティティと関連付けられる第２のデータを読み出し、１９０８において、第２のデータに基づいて、第２のコンポーネントスコアを計算し得る。第２のデータベースは、第１のデータベースとは異なるデータベースであり得る。２つのコンポーネントスコアのみが、プロセス１９００に議論されるが、任意の数のコンポーネントスコアが、計算され得、１つを上回るコンポーネントスコアが、１つのデータベースから読み出されたデータに基づいて計算され得ることを理解されたい。１９１０において、処理回路は、システム信頼スコアを生産するために、第１のコンポーネントスコアおよび第２のコンポーネントスコアの加重平均を計算し得る。１９１０は、システム信頼スコアを計算することに関連して上記に議論される、図１４からのステップ１４３６および１４３８と実質的に類似し得る。
【０１８８】
１９１０において、処理回路は、１９１２において、第２のエンティティのユーザデバイスから、第１のエンティティと関連付けられる属性を示すデータを受信し得る。いくつかの実施形態では、属性を示すデータは、属性のインジケーションを備え得る。例えば、第２のエンティティは、ユーザデバイスの任意の好適なユーザインターフェースを使用して、属性を提供し得る。いくつかの実施形態では、属性を示すデータは、属性と関連付けられるフィードバックを備え得る。例えば、上記に議論されるように、エンティティは、いいね／やだね、賛成／反対、星ベースのシステム、または数値評価システム等のユーザインターフェースのユーザ選択可能アイコンを通して、属性に関するフィードバックを提供し得る。属性を示すデータは、エンティティがこれらのユーザ選択可能アイコンのうちの１つまたはそれを上回るものを選択し、属性に関するフィードバックを提供したことを示すデータを備え得る。
【０１８９】
１９１４において、処理回路は、１９１４において、属性を示す受信されたデータに基づいて、第１のコンポーネントスコアを再計算し得る。上記に議論されるように、属性は、コンポーネントスコアおよび／または信頼スコアを調節するために使用され得る。いくつかの実施形態では、属性自体が、コンポーネントスコアおよび／または信頼スコアの調節を引き起こし得る。例えば、エンティティが属性と関連付けられるという事実は、コンポーネントおよび／または信頼スコアを事前判定された量（コンポーネントまたは信頼スコアの数ポイントまたは事前設定されたパーセンテージ等）だけ増加または減少させ得る。いくつかの実施形態では、第２のエンティティによって残された属性に関するフィードバックは、正味属性スコアを計算するために使用され得、コンポーネントおよび／または信頼スコアの調節は、正味属性スコアに基づき得る。例えば、処理回路は、属性に関してコンピュータネットワーク内の他のエンティティによって残された肯定的フィードバックの数と否定的フィードバックの数との間の差異を計算し、比例量だけ属性に関連するコンポーネントスコアおよび／または信頼スコアを調節し得る。
【０１９０】
１９１６において、処理回路は、随意に、第１のコンポーネントスコアがある閾値を上回って変化したかどうかを判定し得る。いくつかの実施形態では、処理回路は、１９１６をスキップし、直接１９２０に進み得る。他の実施形態では、処理回路は、遠隔データベースのローカルメモリまたは遠隔記憶装置等のメモリから、コンポーネントスコアに関する閾値または最大値を示す閾値を読み出し得る。閾値または最大値はまた、第１のコンポーネントスコアが、属性または正味属性スコアに基づいて調節され得る最大量を示し得る。第１のコンポーネントスコアが、その閾値を上回って変化した場合、処理回路は、１９１８において、第１のコンポーネントスコアの変化をその閾値まで低減させ、１９２０において、再計算された第１のコンポーネントスコアに基づいて、システム信頼スコアを更新し得る。第１のコンポーネントスコアが、その閾値を上回って変化しなかった場合、処理回路は、直接１９２０に進み、再計算された第１のコンポーネントスコアに基づいて、システム信頼スコアを更新し得る。システム信頼スコアを更新するステップは、図１４に描写される１４３４−１４３８と実質的に類似し得る。例えば、システム信頼スコアを更新するステップは、（例えば、ユーザまたはシステム管理者のいずれかによって供給される）加重のセットを受信するステップと、加重のセットによる加重平均を使用して、第１のコンポーネントスコアおよび第２のコンポーネントスコアを組み合わせるステップとを含み得る。
【０１９１】
図２０は、エンティティと関連付けられる属性に基づいて、友人信頼スコアを計算するための例証的プロセス２０００である。プロセス２０００は、２００１において第１のエンティティのシステム信頼スコアを読み出すステップと、２００２において第２のエンティティのユーザデバイスから、第１のエンティティと関連付けられる属性を示すデータを受信するステップと、２００４において第３のエンティティのユーザデバイスから、第１のエンティティに関する信頼スコアに関する要求を受信するステップと、２００６において第３のエンティティを第２のエンティティに接続する経路を識別するステップと、２００８において識別された経路がある閾値数を下回るリンクを備えるかどうかを判定するステップと、２０１０において識別された経路に基づいて、コンポーネントスコアを再計算するステップと、２０１２において友人信頼スコアを計算するステップとを含む。本明細書の範囲から逸脱することなく、当業者に明白であろうように、プロセス２０００は、エンティティと関連付けられる属性に基づいて、友人信頼スコアを計算するための例証的ステップを描写し、ステップ２００１−２０１４のうちの１つまたはそれを上回るものは、省略され、付加的ステップが、プロセス２０００に追加され得ることを理解されたい。
【０１９２】
２００１において、処理回路は、２００１において、第１のエンティティのシステム信頼スコアを読み出し得る。例えば、処理回路は、遠隔データベースのローカルメモリまたは遠隔メモリから、プロセス１４００または１９００に従って計算されている場合がある、システム信頼スコアを読み出し得る。２００２において、処理回路は、第２のエンティティのユーザデバイスから、第１のエンティティと関連付けられる属性を示すデータを受信し得る。２００２は、図１９に関連して上記に説明される１９１２と実質的に類似し得る。
【０１９３】
２００４において、処理回路は、第３のエンティティのユーザデバイスから、第１のエンティティに関する信頼スコアに関する要求を受信し得る。例えば、第３のエンティティ（すなわち、要求エンティティ）は、第１のエンティティ（すなわち、標的エンティティ）に関する友人信頼スコアを要求し得る。２００６において、処理回路は、第２のエンティティ等の「群衆」のエンティティのいずれかが、コンピュータネットワーク内で第３のエンティティに接続されているかどうかを判定し得る。いくつかの実施形態では、本判定は、２００６に示されるように、第３のエンティティを第２のエンティティに接続する経路を識別するステップを含む。いくつかの実施形態では、経路を識別するステップは、２００８に示されるように、ある閾値数を下回るリンクを有する、第３のエンティティから第２のエンティティへの経路を識別するステップを含む。このように、処理回路は、第２のエンティティが第３のエンティティに十分に関連するかどうか、および属性に対する第２のエンティティのフィードバックがより大きい加重を用いて処理されるべきかどうかを判定し得る。２００８において、処理回路が、その閾値数を下回るリンクを備える経路を識別する場合、処理回路は、２０１０において、識別された経路に基づいて、コンポーネントスコアを再計算し得る。例えば、処理回路は、図１９に描写される１９１４と併せて議論されるものと類似する方式で、コンポーネントスコアを増加させるか、または減少させるかのいずれかによって、コンポーネントスコアをさらに調節し得る。コンポーネントスコアを再計算した後、処理回路は、２０１２に進み得る。処理回路が、ある閾値数を下回るリンクを備える第３のエンティティから第２のエンティティへの経路を識別できない場合、処理回路はまた、コンポーネントスコアを再計算することなく、２０１２に進み得る。処理回路は、２０１２において、図１５に関連して説明されるものと類似する様式で、友人信頼スコアを計算し得る。
【０１９４】
図２１は、エンティティと関連付けられる属性に基づいて、文脈信頼スコアを計算するための例証的プロセス２１００である。プロセス２１００は、２１０１において第１のエンティティのシステムまたは友人信頼スコアを読み出すステップと、２１０２において第２のエンティティのユーザデバイスから、第１のエンティティと関連付けられる属性を示すデータを受信するステップと、２１０４において第３のエンティティのユーザデバイスから、第１のエンティティに関する信頼スコアに関する要求を受信するステップと、２１０６において第１のエンティティおよび第３のエンティティによって将来実施されるべきアクティビティのインジケーションを受信するステップと、２１０８において属性と関連付けられるメタデータを読み出すステップと、２１１０においてメタデータが、属性がアクティビティと関連付けられることを示すことを判定するステップと、２１１２において属性に基づいて、コンポーネントスコアを再計算するステップと、２１１４において文脈信頼スコアを計算するステップとを含む。本明細書の範囲から逸脱することなく、当業者に明白であろうように、プロセス２１００は、エンティティと関連付けられる属性に基づいて、文末信頼スコアを計算するための例証的ステップを描写し、ステップ２１０１−２１１４のうちの１つまたはそれを上回るものは、省略され、付加的ステップが、プロセス２１００に追加され得ることを理解されたい。
【０１９５】
２１０１において、処理回路は、第１のエンティティのシステムまたは友人信頼スコアを読み出し得る。例えば、処理回路は、遠隔データベースのローカルメモリまたは遠隔メモリから、プロセス１４００、１５００、１９００、または２０００のうちのいずれか１つに従って計算されている場合がある、システムまたは友人信頼スコアを読み出し得る。２１０２において、処理回路は、第２のエンティティのユーザデバイスから、第１のエンティティと関連付けられる属性を示すデータを受信し得る。２１０２は、図１９および２０に関連して上記に説明される２００２および１９１２と実質的に類似し得る。
【０１９６】
２１０４において、処理回路は、第３のエンティティのユーザデバイスから、第１のエンティティに関する信頼スコアに関する要求を受信し得、２１０６において、処理回路は、第１のエンティティおよび第３のエンティティによって将来実施されるべきアクティビティのインジケーションを受信し得る。例えば、第３のエンティティは、文脈信頼スコアを要求し、これが第１のエンティティとともに実施することを計画している、または所望するあるアクティビティもしくはトランザクションを識別し得る。２１０８において、処理回路は、属性と関連付けられるメタデータを読み出し得る。処理回路は、遠隔データベースのローカルメモリまたは遠隔メモリを含む、任意の好適な記憶場所からメタデータを読み出し得る。いくつかの実施形態では、属性と関連付けられるメタデータは、属性とともに記憶され得る。例えば、属性を示すデータは、属性が関連し得るデータ、属性をエンティティに自動的に割り当て得るデータまたはデータのタイプ、属性が関連するコンポーネントスコア、および属性が関連するトランザクション／アクティビティタイプを含む、属性についての情報を示すヘッダまたは添付されるメタデータを備え得る。いくつかの実施形態では、属性についてのメタデータは、正味属性スコアに基づいて、コンポーネントまたは信頼スコアを調節するためのデータおよび／もしくは命令を備え得る。いくつかの実施形態では、属性についてのメタデータは、属性を示すデータとして別個に、または別個の場所に記憶され得る。
【０１９７】
２１１０において、処理回路は、メタデータが、属性がアクティビティと関連付けられることを示すことを判定し得る。例えば、処理回路は、属性とアクティビティとの間の関係を示すデータエントリに関してメタデータを検索し得る。アクティビティおよび属性が関連する、または関連付けられる場合、処理回路は、２１１２に進み、属性に基づいて、コンポーネントスコアを再計算し得る。２１１２は、図２０に関連して上記に議論される２０１０と実質的に類似し得る。メタデータが、属性がアクティビティと関連付けられることを示さない場合、処理回路は、２１１４に進み、文脈信頼スコアを計算し得る。２１１４は、上記に議論される図１６のステップと実質的に類似し得る。
【０１９８】
図２２は、外挿された傾向に基づいて、信頼スコアを更新するための例証的プロセス２２００である。プロセス２２００は、２２０２において第１のエンティティの第１の信頼スコアおよび第１の信頼スコアが計算されたときの第１の時間を示すタイムスタンプを読み出すステップと、２２０４において第１の時間と現在の時間との間の差異がある閾値を超えるかどうかを判定するステップと、２２０６においてコンピュータネットワーク内の第２のエンティティを識別するステップと、２２０８において第２のエンティティと関連付けられる少なくとも１つの信頼スコアが第１の時間よりも後で計算されたことを判定するステップと、２２１０において第２のエンティティと関連付けられる信頼スコアを使用して、傾向を計算するステップと、２２１２において計算された傾向を使用して、第１の信頼スコアを更新するステップとを含む。本明細書の範囲から逸脱することなく、当業者に明白であろうように、プロセス２２００は、外挿された傾向に基づいて、信頼スコアを更新するための例証的ステップを描写し、ステップ２２０２−２２１２のうちの１つまたはそれを上回るものは、省略され、付加的ステップが、プロセス２２００に追加され得ることを理解されたい。
【０１９９】
２２０２において、処理回路は、第１のエンティティの第１の信頼スコアおよび第１の信頼スコアが計算されたときの第１の時間を示すタイムスタンプを読み出し得る。処理回路は、遠隔データベースのローカルメモリまたは遠隔メモリを含む、任意の好適な記憶装置から第１の信頼スコアおよびタイムスタンプを読み出し得る。いくつかの実施形態では、第１の信頼スコアおよびタイムスタンプは、ともに記憶され得る。例えば、第１の信頼スコアおよびタイムスタンプは、アレイ構造の第１および第２の要素として記憶され得る。他の実施形態では、第１の信頼スコアおよびタイムスタンプは、別個に、および／または別個のデータ構造内に記憶され得る。
【０２００】
２２０４において、処理回路は、第１の時間と現在の時間との間の差異が、ある閾値時間周期を超えるかどうかを判定し得る。差異がその閾値時間周期を超えない場合、これは、第１の信頼スコアが比較的に最近に計算されたことを示し得、処理回路は、２２０２に戻り、後でプロセス２２００を繰り返し得る。差異がその閾値時間周期を超える場合、これは、第１の信頼スコアが比較的に期限切れであることを示し得、処理回路は、２２０６に進み得る。他のエンティティの信頼スコアにおける傾向に基づいて、エンティティに関する信頼スコアを更新する方法は、第１の信頼スコアが比較的に「期限切れ」であるという判定に関連して説明されるが、信頼スコアを更新する本方法は、第１の信頼スコアが期限切れではないときであっても適用され得ることを理解されたい。例えば、いくつかの実施形態では、ステップ２２０４は、随意であり得、処理回路は、他のエンティティの信頼スコアにおける傾向に基づいて、第１の信頼スコアを調節するように進み得る。
【０２０１】
２２０６において、処理回路は、コンピュータネットワーク内の第２のエンティティを識別し得る。いくつかの実施形態では、処理回路は、第１のエンティティから第２のエンティティへの経路を識別することによって、第２のエンティティを識別し得る。処理回路は、ある閾値数よりも少ないリンクを備える、第１のエンティティから第２のエンティティへの経路を識別し得る。いくつかの実施形態では、処理回路は、複数のエンティティから無作為に第２のエンティティを選定し得る。さらに他の実施形態では、処理回路は、複数のエンティティを識別し得る。２２０８において、処理回路は、第２のエンティティと関連付けられる少なくとも１つの信頼スコアが、第１の時間よりも後で計算されたことを判定し得る。例えば、処理回路は、第２のエンティティと関連付けられる少なくとも１つの信頼スコア（例えば、ローカルメモリまたは遠隔メモリから）および少なくとも１つの信頼スコアが計算された時間を示すタイムスタンプを読み出し得る。処理回路は、次いで、どの信頼スコアが後で計算されたかを判定するために、第１の信頼スコアに関してタイムスタンプ間を比較し得る。いくつかの実施形態では、２２０８は、随意であり得、処理回路は、２２０８を実施することなく２２１０に進み得る。そのような実施形態では、処理回路は、個別の信頼スコアが計算されたときにかかわらず、第２のエンティティと関連付けられる信頼スコアの傾向に基づいて、第１の信頼スコアを更新し得る。
【０２０２】
２２１０において、処理回路は、第２のエンティティと関連付けられる信頼スコアを使用して、傾向を計算し得る。当業者によって理解されるであろうように、傾向は、（信頼スコア、時間）座標、多項回帰、または２つもしくはそれを上回るデータ点のために好適な任意の他のタイプのパターン合致等、２つのデータ点間の線形回帰を備え得る。例証的実施例として、処理回路は、第２のエンティティと関連付けられる少なくとも２つの信頼スコアおよび少なくとも２つの信頼スコアが計算されたときに関する対応するタイムスタンプを読み出し得る。処理回路は、２つの信頼スコア間の差異およびその計算時間における差異を計算し得る。２つの信頼スコアの差異をその計算時間における差異で除算することによって、処理回路は、信頼スコアの増加または減少の傾きを生産し得る。いくつかの実施形態では、処理回路は、第１のエンティティに関する第１の信頼スコアの計算時間よりも後である計算時間と関連付けられる、第２のエンティティと関連付けられる信頼スコアのみを受信し得る。したがって、処理回路は、第１の時間と現在の時間との間の時間周期に関連する第２のエンティティに関する信頼スコアにおける傾向を計算し得る。
【０２０３】
いくつかの実施形態では、２２１０は、１つまたはそれを上回るコンポーネントスコアにおける傾向を判定するステップを含み得る。例えば、全体を通して詳細に議論されるように、信頼スコアは、複数のコンポーネントスコアの加重和を備え得る。２２１０において、処理回路は、第２のエンティティと関連付けられる少なくとも２つの信頼スコアならびにその個別のコンポーネントスコアを読み出し得る。処理回路は、次いで、個々のコンポーネントスコアにおける傾向を識別するために、少なくとも２つの信頼スコアからの対応するコンポーネントスコアを分析し得る。傾向は、例えば、線形回帰および／または多項回帰技法を含む、上記に説明されるものと殆ど同一の様式で判定され得る。
【０２０４】
２２１２において、処理回路は、計算された傾向を使用して、第１の信頼スコアを更新し得る。例えば、処理回路は、信頼スコアの判定された増加または減少する傾きを第１の信頼スコアに適用し得る。いくつかの実施形態では、第１の信頼スコアを更新するステップは、第１の時間と現在の時間との間の時間差を見出すステップと、本時間差を傾きで乗算するステップと、結果として生じる積を第１の信頼スコアに加算するステップとを含む。いくつかの実施形態では、第１の信頼スコアを更新するステップは、初期座標として第１の信頼スコアを使用して、第１の時間から現在の時間までの多項式を外挿するステップを含む。いくつかの実施形態では、第１の信頼スコアを更新するステップは、第１の信頼スコアを個々のコンポーネントスコアに分解するステップと、（第２のエンティティのコンポーネントスコアの分析から導出された）個々のコンポーネントスコアにおける傾向を対応するコンポーネントスコアに適用するステップと、信頼スコアを再計算するステップとを含む。
【０２０５】
図２２は、単一のエンティティ（すなわち、第２のエンティティ）のみの信頼スコア／コンポーネントスコアの傾向を分析するステップに関連して説明されるが、複数のエンティティに関する傾向が、並行して追跡され、ともに平均化され、平均傾向を生産し得ることが、当業者によって理解されるであろう。本平均傾向は、必要な変更を加えて、図２２に描写されるプロセス２２００に従って適用され得る。
【０２０６】
前述は、単に、本開示の原理の例証であり、本明細書に説明されるシステム、デバイス、および方法は、限定ではなく、例証を目的として提示される。変形例および修正が、本開示を精査した後に当業者に想起されるであろう。開示される特徴は、本明細書に説明される１つまたはそれを上回る他の特徴との（複数の従属組み合わせおよび副次的組み合わせを含む）任意の組み合わせおよび副次的組み合わせにおいて実装され得る。上記に説明または例証される種々の特徴は、その任意のコンポーネントを含め、他のシステムに組み合わせられる、または統合され得る。さらに、ある特徴は、省略される、または実装されない場合がある。当業者によって確認可能な実施例、変更、代用、および改変が、本明細書に開示される情報の範囲から逸脱することなく成されることができる。
【図１】
2019517084.tif 000007
【図２】
2019517084.tif 000008
【図３】
2019517084.tif 000009
【図４】
2019517084.tif 000010
【図５】
2019517084.tif 000011
【図６】
2019517084.tif 000012
【図７】
2019517084.tif 000013
【図８】
2019517084.tif 000014
【図９】
2019517084.tif 000015
【図１０】
2019517084.tif 000016
【図１１】
2019517084.tif 000017
【図１２】
2019517084.tif 000018
【図１３Ａ】
2019517084.tif 000019
【図１３Ｂ】
2019517084.tif 000020
【図１３Ｃ】
2019517084.tif 000021
【図１３Ｄ】
2019517084.tif 000022
【図１３Ｅ】
2019517084.tif 000023
【図１４】
2019517084.tif 000024
【図１５】
2019517084.tif 000025
【図１６】
2019517084.tif 000026
【図１７】
2019517084.tif 000027
【図１８】
2019517084.tif 000028
【図１９】
2019517084.tif 000029
【図２０】
2019517084.tif 000030
【図２１】
2019517084.tif 000031
【図２２】
2019517084.tif 000032
【国際調査報告】
2019517084.tif 000033
2019517084.tif 000034